(57)【要約】  本開示の特定の態様は、ＲＴＳ／ＣＴＳ（送信要求／送信許可（Request to Send / Clear to Send））フレーム交換を利用して無線通信のために使用されるべき帯域幅をシグナリングするための技法および装置を提供し、少なくとも２０ＭＨｚ、４０ＭＨｚ、８０ＭＨｚ、１６０ＭＨｚ、あるいはそれ以上の帯域幅を提供する。この帯域幅情報の交換は、―ＲＴＳ／ＣＴＳフレームが実際に送信されるチャネルを決定することによって―暗黙に実行され得るか、あるいは明白に実行され得る。この帯域幅情報交換に加えて、また、本開示は、複数チャネル中のネットワーク割り当てベクトル（ＮＡＶ：Network Allocation Vector）を可能にし得る。この方法で、無線媒体は指定され得、伝送は隠れたノードから保護され得る。
2013541293.tif 000002
【特許請求の範囲】
【請求項１】
無線通信のための方法であって、
装置に対して、前記装置に対してデータを送信するための希望の帯域幅を指示する第１制御フレームを送信することと、
前記装置の利用可能な帯域幅を指示する第２制御フレームを受信することと、
前記希望の帯域幅および前記利用可能な帯域幅のうちより劣った方に基づいて前記データを送信することと、
を備えた方法。
【請求項２】
前記第１制御フレームは、送信要求（ＲＴＳ：Request to Send）フレームを備え、前記ＲＴＳフレームは米国電気電子学会（ＩＥＥＥ：Institute of Electrical and Electronics Engineers）８０２．１１規格に対するＩＥＥＥ８０２．１１ａ補正に応じたレガシー・フレーム・フォーマットを備える、請求項１の方法。
【請求項３】
前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備え、
前記ＲＴＳフレームは、ＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示するか、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示するか、
前記ＲＴＳフレームはＩＥＥＥ８０２．１１ａ補正に応じたスクランブラ初期化シードを有する前記サービス・フィールドを備え、前記サービス・フィールドの前記スクランブラ初期化シードは前記希望の帯域幅を指示するか、
のうちの少なくとも１つである、請求項１の方法。
【請求項４】
前記Ｌ−ＳＩＧフィールドの同位相（Ｉ）成分または直交（Ｑ）成分の少なくとも１つは、前記ＲＴＳフレームが前記希望の帯域幅を指示することを指示する、請求項３の方法。
【請求項５】
前記第１制御フレームは送信要求（ＲＴＳ）フレームを備え、前記ＲＴＳフレームはデュレーション・フィールドを備え、前記デュレーション・フィールドの２個以上の最下位ビット（ＬＳＢ）は前記希望の帯域幅を指示する、請求項１の方法。
【請求項６】
前記デュレーション・フィールドの少なくとも１個の最上位ビット（ＭＳＢ）は、前記ＲＴＳフレームが前記希望の帯域幅を指示することを指示する、請求項５の方法。
【請求項７】
前記第１制御フレームは送信要求（ＲＴＳ）フレームを備え、前記ＲＴＳフレームはフレーム制御フィールドを備え、前記フレーム制御フィールドの２個以上のビットは、前記希望の帯域幅を指示する請求項１の方法。
【請求項８】
前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、請求項１の方法。
【請求項９】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットの１個は、前記複製モードを指示する、請求項８の方法。
【請求項１０】
前記第１制御フレームは送信要求（ＲＴＳ）フレームを備え、前記ＲＴＳフレームはハイ・スループット制御（ＨＴＣ）フィールドを備え、前記ＨＴＣフィールドの２個以上のビットは前記希望の帯域幅を指示する、請求項１の方法。
【請求項１１】
前記第１制御フレームは送信要求（ＲＴＳ）フレームを備え、前記第２制御フレームは送信許可（ＣＴＳ：Clear to Send）フレームを備え、前記ＲＴＳフレームは、前記ＣＴＳフレームの受信、ショート・フレーム間スペース（ＳＩＦＳ）のための時間、および前記データの送信をカバーするネットワーク割り当てベクトルを指示するデュレーション・フィールドを備える、請求項１の方法。
【請求項１２】
前記第１制御フレームは送信要求（ＲＴＳ）フレームを備え、前記ＲＴＳフレームは前記希望の帯域幅を指示する帯域幅情報フィールドを伴うフレーム・フォーマットを備える、請求項１の方法。
【請求項１３】
前記ＲＴＳフレームは、
前記帯域幅情報フィールドを伴う前記フレーム・フォーマットと、
米国電気電子学会（ＩＥＥＥ）８０２．１１規格に対するＩＥＥＥ８０２．１１ａ補正に応じたレガシー・プリアンブルあるいは複製モードが前記ＲＴＳフレームのデータ部分のために使用されるかどうかを指示するプリアンブルと、
を備える、請求項１２の方法。
【請求項１４】
前記第１制御フレームを送信することは、前記希望の帯域幅に応じて前記装置に対して前記データを送信するための各々の１つまたは複数のチャネル上で、前記帯域幅情報フィールドと共に、前記ＲＴＳフレームを送信することを備え、前記第２制御フレームを受信することは、前記装置の前記利用可能な帯域幅に応じて各々の少なくとも一部のチャネル上で送信許可（ＣＴＳ）フレームを受信することを備える、請求項１２の方法。
【請求項１５】
前記装置に対して、米国電気電子学会（ＩＥＥＥ）８０２．１１規格に対するＩＥＥＥ８０２．１１ａ補正に応じたレガシーＲＴＳフレームを送信することであって、前記ＲＴＳフレームは、各々の少なくとも一部の前記チャネル上で複製される、送信することと、
ＩＥＥＥ８０２．１１ａ補正に応じたレガシーＣＴＳフレームを受信することであって、前記レガシーＣＴＳフレームは各々の前記少なくとも一部の前記チャネル上で複製され、レガシーＲＴＳフレームおよびレガシーＣＴＳフレームに設定され複製される第１のネットワーク割り当てベクトル（ＮＡＶ：Network Allocation Vector）は前記データの伝送を保護する、受信することと、
を更に備える、請求項１４の方法。
【請求項１６】
前記ＲＴＳフレームは、前記ＣＴＳフレームの受信、ショート・フレーム間スペース（ＳＩＦＳ）のための時間、および前記レガシーＲＴＳフレームの送信をカバーする第２ネットワーク割り当てベクトル（ＮＡＶ）を指示するデュレーション・フィールドを備える、請求項１５の方法。
【請求項１７】
前記装置に対して、各々の第１組のチャネル上で複製され、あるいは主要チャネル上で、米国電気電子学会（ＩＥＥＥ）８０２．１１規格に対するＩＥＥＥ８０２．１１ａ補正に応じたレガシーＲＴＳフレームを送信することと、
少なくとも一部の前記第１組のチャネル上でＩＥＥＥ８０２．１１ａ補正に応じたレガシー送信許可（ＣＴＳ）フレームを受信することであって、前記少なくとも一部の前記第１組のチャネルは前記装置でアイドル状態であり、前記第１制御フレームを送信することは、前記レガシーＣＴＳフレームを受信後に、前記希望の帯域幅に応じて前記装置に対して前記データを送信するための各々の第２組のチャネル上で、前記帯域幅情報フィールドと共に、前記ＲＴＳフレームを送信することを備え、前記第２制御フレームを受信することは、前記装置の前記利用可能な帯域幅に応じて各々の少なくとも一部の前記第２組のチャネル上でＣＴＳフレームを受信することを備える、レガシーＣＴＳフレームを受信することと、
をさらに備える、請求項１２の方法。
【請求項１８】
無線通信のための装置であって、
別の装置に対して、前記別の装置にデータを送信するために希望の帯域幅を指示する第１制御フレームを送信するように構成された送信機と、
前記別の装置の利用可能な帯域幅を指示する第２制御フレームを受信するように構成された受信機であって、前記送信機は、前記希望の帯域幅および前記利用可能な帯域幅のより劣った方に基づいて前記データを送信するようにさらに構成された、受信機と、
を備える装置。
【請求項１９】
前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備える、請求項１８の装置。
【請求項２０】
前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備え、
前記ＲＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示する、か、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示する、か、
前記ＲＴＳフレームはＩＥＥＥ８０２．１１ａ補正に応じたスクランブラ初期化シードを有するサービス・フィールドを備え、前記サービス・フィールドの前記スクランブラ初期化シードは前記希望の帯域幅を指示する、か、
のうちの少なくとも１つである、請求項１８の装置。
【請求項２１】
前記Ｌ−ＳＩＧフィールドの同位相（Ｉ）成分あるいは直交（Ｑ）成分の少なくとも１つは、前記ＲＴＳフレームが前記希望の帯域幅を指示することを指示する、請求項２０の装置。
【請求項２２】
前記第１制御フィールドは、送信要求（ＲＴＳ）フレームを備え、前記ＲＴＳフレームはデュレーション・フィールドを備え、前記デュレーション・フィールドの２個以上の最下位ビット（ＬＳＢ）は、前記希望の帯域幅を指示する、請求項１８の装置。
【請求項２３】
前記デュレーション・フィールドの少なくとも１個の最上位ビット（ＭＳＢ）は、前記ＲＴＳフレームが前記希望の帯域幅を指示することを指示する、請求項２２の装置。
【請求項２４】
前記第１制御フレームは送信要求（ＲＴＳ）フレームを備え、前記ＲＴＳフレームはフレーム制御フィールドを備え、前記フレーム制御フィールドの２個以上のビットは前記希望の帯域幅を指示する、請求項１８の装置。
【請求項２５】
前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、請求項１８の装置。
【請求項２６】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットの１つは、前記複製モードを指示する、請求項２５の装置。
【請求項２７】
前記第１制御フレームは送信要求（ＲＴＳ）フレームを備え、前記ＲＴＳフレームはハイ・スループット制御（ＨＴＣ）フィールドを備え、前記ＨＴＣフィールドの２個以上のビットは前記希望の帯域幅を指示する、請求項１８の装置。
【請求項２８】
前記第１制御フレームは、送信要求（ＲＴＳ）フレームを備え、前記第２制御フレームは送信許可（ＣＴＳ）フレームを備え、前記ＲＴＳフレームは、前記ＣＴＳフレームの受信、ショート・フレーム間スペース（ＳＩＦＳ）のための時間、および前記データの送信、をカバーするネットワーク割り当てベクトル（ＮＡＶ）を指示するデュレーション・フィールドを備える、請求項１８の装置。
【請求項２９】
前記第１制御フレームは、送信要求（ＲＴＳ）フレームを備え、前記ＲＴＳフレームは、前記希望の帯域幅を指示する、帯域幅情報フィールドを伴うフレーム・フォーマットを備える、請求項１８の装置。
【請求項３０】
前記ＲＴＳフレームは、
前記帯域幅情報フィールドを伴う前記フレーム・フォーマットと、
米国電気電子学会（ＩＥＥＥ）８０２．１１規格に対するＩＥＥＥ８０２．１１ａ補正に応じたレガシー・プリアンブルもしくは複製モードが前記ＲＴＳフレームのデータ部分のために使用されるかどうかを指示するプリアンブルと、
を備える、請求項２９の装置。
【請求項３１】
前記送信機は、前記希望の帯域幅に応じた前記別の装置に対して前記データを送信するための各々の１つまたは複数のチャネル上で、前記帯域幅情報フィールドと共に、前記ＲＴＳフレームを送信することによって前記第１制御フレームを送信するように構成され、前記受信機は、前記別の装置の前記利用可能な帯域幅に応じた各々の少なくとも一部の前記チャネル上で送信許可（ＣＴＳ）フレームを受信することによって前記第２制御フレームを受信するように構成された、請求項２９の装置。
【請求項３２】
前記送信機は、米国電気電子学会（ＩＥＥＥ）８０２．１１規格に対するＩＥＥＥ８０２．１１ａ補正に応じたレガシーＲＴＳフレームを前記別の装置へ送信するようにさらに構成され、前記レガシーＲＴＳフレームは、各々の前記少なくとも一部の前記チャネル上で複製され、前記受信機は、ＩＥＥＥ８０２．１１ａ補正に応じたレガシーＣＴＳフレームを受信するようにさらに構成され、前記レガシーＣＴＳフレームは各々の前記少なくとも一部の前記チャネル上で複製され、前記レガシーＲＴＳフレームおよび前記レガシーＣＴＳフレームによって設定されている第１ネットワーク割り当てベクトル（ＮＡＶ）は、前記データの伝送を保護する、請求項３１の装置。
【請求項３３】
前記ＲＴＳフレームは、前記ＣＴＳフレームの受信、ショート・フレーム間スペース（ＳＩＦＳ）のための時間、および前記レガシーＲＴＳフレームの伝送をカバーする、第２ネットワーク割り当てベクトル（ＮＡＶ）を指示するデュレーション・フィールドを備える、請求項３２の装置。
【請求項３４】
前記送信機は、各々の第１組のチャネル上で複製されるか主要チャネル上で米国電気電子学会（ＩＥＥＥ）８０２．１１規格に対するＩＥＥＥ８０２．１１ａ補正に応じたレガシーＲＴＳフレームを、前記別の装置へ送信するようにさらに構成され、前記受信機は、少なくとも一部の前記第１組のチャネル上でＩＥＥＥ８０２．１１ａ補正に応じたレガシー送信許可（ＣＴＳ）フレームを受信するようにさらに構成され、前記少なくとも一部の前記第１組のチャネルは前記別の装置でアイドル状態であり、前記送信機は、前記レガシーＣＴＳフレーム受信後に前記希望の帯域幅に応じた前記別の装置に対して前記データを送信するための各々の第２組のチャネル上で、前記帯域幅情報フィールドと共に、前記ＲＴＳフレームを送信することによって、前記第１制御フレームを送信するようにさらに構成され、前記受信機は、前記別の装置の前記利用可能な帯域幅に応じた各々の少なくとも一部の前記第２組のチャネル上でＣＴＳフレームを受信することによって前記第２制御フレームを受信するようにさらに構成された、請求項２９の装置。
【請求項３５】
無線通信のための装置であって、
別の装置に対して、前記別の装置に対してデータを送信するための希望の帯域幅を指示する第１制御フレームを送信するための手段と、
前記別の装置の利用可能な帯域幅を指示する第２制御フレームを受信するための手段であって、前記送信するための手段は前記希望の帯域幅および前記利用可能な帯域幅のより劣った方に基づいて、前記データを送信するようにさらに構成されている、第２制御フレームを受信するための手段と、
を備えた装置。
【請求項３６】
前記第１制御フレームは送信要求（ＲＴＳ）フレームを備え、前記ＲＴＳフレームは、米国電気電子学会（ＩＥＥＥ）８０２．１１規格に対するＩＥＥＥ８０２．１１ａ補正に応じたレガシー・フレーム・フォーマットを備える、請求項３５の装置。
【請求項３７】
前記第１制御フレームは送信要求（ＲＴＳ）フレームを備え、前記ＲＴＳフレームは、米国電気電子学会（ＩＥＥＥ）８０２．１１規格に対するＩＥＥＥ８０２．１１ａ補正に応じたレガシー・フレーム・フォーマットを備え、
前記ＲＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示する、か、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示するか、
前記ＲＴＳフレームはＩＥＥＥ８０２．１１ａ補正に応じたスクランブラ初期化シードを有する前記サービス・フィールドを備え、前記サービス・フィールドの前記スクランブラ初期化シードは前記希望の帯域幅を指示するか、
のうちの少なくとも１つである、請求項３５の装置。
【請求項３８】
前記Ｌ−ＳＩＧフィールドの同位相（Ｉ）成分もしくは直交（Ｑ）成分の少なくとも１つは、前記ＲＴＳフレームが前記希望の帯域幅を指示することを指示する、請求項３７の装置。
【請求項３９】
前記第１制御フレームは送信要求（ＲＴＳ）フレームを備え、前記ＲＴＳフレームはデュレーション・フィールドを備え、前記デュレーション・フィールドの２個以上の最下位（ＬＳＢ）ビットは、前記希望の帯域幅を指示する、請求項３５の装置。
【請求項４０】
前記デュレーション・フィールドの少なくとも１個の最上位（ＭＳＢ）ビットは、前記ＲＴＳフレームが前記希望の帯域幅を指示することを指示する、請求項３９の装置。
【請求項４１】
前記第１制御フレームは送信要求（ＲＴＳ）フレームを備え、前記ＲＴＳフレームはフレーム制御フィールドを備え、前記フレーム制御フィールドの２個以上のビットは前記希望の帯域幅を指示する、請求項３５の装置。
【請求項４２】
前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、請求項３５の装置。
【請求項４３】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットのうちの１個は、前記複製モードを指示する、請求項４２の装置。
【請求項４４】
前記第１制御フレームは、送信要求（ＲＴＳ）フレームを備え、前記ＲＴＳフレームは、ハイ・スループット制御（ＨＴＣ）フィールドを備え、前記ＨＴＣフィールドの２個以上のビットは前記希望の帯域幅を指示する、請求項３５の装置。
【請求項４５】
前記第１制御フレームは送信要求（ＲＴＳ）フレームを備え、前記第２制御フレームは送信許可（ＣＴＳ）フレームを備え、前記ＲＴＳフレームは、前記ＣＴＳフレームの受信、ショート・フレーム間スペース（ＳＩＦＳ）のための時間、および、前記データの伝送、をカバーするネットワーク割り当てベクトル（ＮＡＶ）を指示するデュレーション・フィールドを備える、請求項３５の装置。
【請求項４６】
前記第１制御フレームは送信要求（ＲＴＳ）フレームを備え、前記ＲＴＳフレームは、前記希望の帯域幅を指示する帯域幅情報フィールドを伴うフレーム・フォーマットを備える、請求項３５の装置。
【請求項４７】
前記ＲＴＳフレームは、
前記帯域幅情報フィールドを伴う前記フレーム・フォーマットと、
米国電気電子学会（ＩＥＥＥ）８０２．１１ａ補正に応じたレガシー・プリアンブルか、もしくは複製モードが前記ＲＴＳフレームのデータ部分のために使用されるかどうかを指示するプリアンブルと、
を備える、請求項４６の装置。
【請求項４８】
前記第１制御フレームを送信するための前記手段は、前記希望の帯域幅に応じた前記別の装置に前記データを送信するために各々の１つまたは複数のチャネル上で、前記帯域幅情報フィールドと共に、前記ＲＴＳフレームを送信するために構成され、前記第２制御フレームを受信するための前記手段は、前記別の装置の前記利用可能な帯域幅に応じた各々の少なくとも一部の前記チャネル上で送信許可（ＣＴＳ）フレームを受信するように構成されている、請求項４６の装置。
【請求項４９】
前記送信するための手段は、米国電気電子学会（ＩＥＥＥ）８０２．１１規格に対するＩＥＥＥ８０２．１１ａ補正に応じたレガシーＲＴＳフレームを、前記別の装置に対して送信するようにさらに構成され、前記レガシーＲＴＳフレームは各々の前記少なくとも前記一部の前記チャネル上で複製され、前記受信するための手段はＩＥＥＥ８０２．１１ａ補正に応じたレガシーＣＴＳフレームを受信するようにさらに構成され、前記レガシーＣＴＳフレームは各々の前記少なくとも前記一部の前記チャネル上で複製され、前記レガシーＲＴＳおよびレガシーＣＴＳフレームによって設定された第１ネットワーク割り当てベクトル（ＮＡＶ）は前記データの伝送を保護する、請求項４８の装置。
【請求項５０】
前記ＲＴＳフレームは、前記ＣＴＳフレームの受信、ショート・フレーム間スペース（ＳＩＦＳ）のための時間、および、前記レガシーＲＴＳフレームの伝送をカバーする第２ネットワーク割り当てベクトル（ＮＡＶ）を指示するデュレーション・フィールドを備える、請求項４９の装置。
【請求項５１】
前記送信するための手段は、各々の第１組のチャネル上で複製されるかあるいは、主要チャネル上で米国電気電子学会（ＩＥＥＥ）８０２．１１規格に対するＩＥＥＥ８０２．１１ａ補正に応じたレガシーＲＴＳフレームを、前記別の装置に対して送信するようにさらに構成され、前記受信するための手段は、少なくとも一部の前記第１組のチャネル上でＩＥＥＥ８０２．１１ａ補正に応じたレガシー送信許可（ＣＴＳ）フレームを受信するようにさらに構成され、前記少なくとも前記一部の前記第１組のチャネルは前記別の装置でアイドル状態であり、前記第１制御フレームを送信するための前記手段は、前記レガシーＣＴＳフレームを受信後に、前記希望の帯域幅に応じた前記別の装置に対して前記データを送信するための各々の第２組のチャネル上で、前記帯域幅情報フィールドと共に、前記ＲＴＳフレームを送信するようにさらに構成され、前記第２制御フレームを受信するための前記手段は、前記別の装置の前記利用可能な帯域幅に応じた各々の少なくとも一部の前記第２組のチャネル上で、ＣＴＳフレームを受信するようにさらに構成される、請求項４６の装置。
【請求項５２】
無線通信のためのコンピュータプログラム・プロダクトであって、
装置に対して、前記装置に対してデータを送信するための希望の帯域幅を指示する第１制御フレームを送信することと、
前記装置の利用可能な帯域幅を指示する第２制御フレームを受信することと、
前記希望の帯域幅及び前記利用可能な帯域幅のうちより劣った方に基づいて前記データを送信することと、
を実行可能である命令群を備えるコンピュータ可読媒体を備える、コンピュータプログラム・プロダクト。
【請求項５３】
少なくとも１本のアンテナと、
前記少なくとも1本のアンテナを介して装置に対して、前記装置に対してデータを送信するための希望の帯域幅を指示する第１制御フレームを送信するように構成された送信機と、
前記装置の利用可能な帯域幅を指示する第２制御フレームを受信するように構成された受信機であって、前記送信機は、前記希望の帯域幅および前記利用可能な帯域幅のうちより劣った方に基づいて前記データを送信するようにさらに構成されている、第２制御フレームを受信するように構成された受信機と、
を備えた、アクセス・ポイント。
【請求項５４】
無線通信のための方法であって、
装置において、前記装置に対してデータを送信するための希望の帯域幅を指示する第１制御フレームを受信することと、
前記第１制御フレームを受信したことに応答して、前記装置の利用可能な帯域幅を指示する第２制御フレームを送信することと、
前記希望の帯域幅および前記利用可能な帯域幅のうちより劣った方を使用して送信された前記データを受信することと、
を備えた、方法。
【請求項５５】
前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、請求項５４の方法。
【請求項５６】
前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、請求項５４の方法。
【請求項５７】
前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、請求項５６の方法。
【請求項５８】
前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、請求項５４の方法。
【請求項５９】
前記デュレーション・フィールドの少なくとも１個の最上位ビット（ＭＳＢ）は、前記ＣＴＳフレームが前記利用可能な帯域幅を指示することを指示する、請求項５８の方法。
【請求項６０】
前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、請求項５４の方法。
【請求項６１】
前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、請求項５４の方法。
【請求項６２】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、請求項６１の方法。
【請求項６３】
前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、請求項５４の方法。
【請求項６４】
前記第２制御フレームは送信許可（ＣＴＳ）フレームを備え、前記ＣＴＳフレームは前記利用可能な帯域幅を指示する帯域幅情報フィールドと共にフレーム・フォーマットを備える、請求項５４の方法。
【請求項６５】
前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、請求項６４の方法。
【請求項６６】
前記第１制御フレームを受信することは、前記希望の帯域幅に応じた前記装置に対して前記データを送信するために各々の１つまたは複数のチャネル上で送信要求（ＲＴＳ）フレームを受信することを備え、前記第２制御フレームを送信することは、前記装置の前記利用可能な帯域幅に応じた各々の少なくとも一部の前記チャネル上で、前記帯域幅情報フィールドと共に、前記ＣＴＳフレームを送信することを備える、請求項６４の方法。
【請求項６７】
前記装置において、米国電気電子学会（ＩＥＥＥ）８０２．１１規格に対するＩＥＥＥ８０２．１１ａ補正に応じたレガシーＲＴＳフレームを受信することであって、前記レガシーＲＴＳフレームは各々の前記少なくとも一部の前記チャネル上で複製されている、レガシーＲＴＳフレームを受信することと、
ＩＥＥＥ８０２．１１ａ補正に応じたレガシーＣＴＳフレームを送信することであって、前記レガシーＣＴＳフレームは各々の前記少なくとも一部の前記チャネルで複製され、前記レガシーＲＴＳおよびレガシーＣＴＳフレームによって設定されたネットワーク割り当てベクトル（ＮＡＶ）は前記データの受信を保護する、レガシーＣＴＳフレームを送信することと、
を備える、請求項６６の方法。
【請求項６８】
前記装置において、米国電気電子学会（ＩＥＥＥ）８０２．１１規格に対するＩＥＥＥ８０２．１１ａ補正に応じたレガシー送信要求（ＲＴＳ）フレームを受信することであって、前記レガシーＲＴＳフレームは主要チャネル上で受信されるか、各々の第１組のチャネル上で複製される、受信することと、
少なくとも一部の前記第１組のチャネル上でＩＥＥＥ８０２．１１ａ補正に応じたレガシーＣＴＳフレームを送信することであって、前記少なくとも一部の前記第１組のチャネルは前記装置においてアイドル状態であり、前記第１制御フレームを受信することは、前記レガシーＣＴＳフレームを送信後に、前記希望の帯域幅に応じた前記装置に対して前記データを送信するために各々の第２組のチャネル上でＲＴＳフレームを受信することを備え、前記第２制御フレームを送信することは前記装置の前記利用可能な帯域幅に応じた各々の少なくとも一部の前記第２組のチャネル上で、前記帯域幅情報フィールドと共に、前記ＣＴＳフレームを送信することを備える、レガシーＣＴＳフレームを送信することと、
をさらに備える、請求項６４の方法。
【請求項６９】
前記第１制御フレームのアドレスが、前記受信された第一制御フレームからの前記希望の帯域幅を決定するよりも前に、複数チャネル能力のあるエンティティに対応するかどうかを検査することをさらに備え、前記検査することは１組のアドレスに属する前記アドレスに基づいている、請求項５４の方法。
【請求項７０】
無線通信のための装置であって、
前記装置に対してデータを送信するための希望の帯域幅を指示する第１制御フレームを受信するように構成された受信機と、
前記第１制御フレームを受信したことに応答して、前記装置の利用可能な帯域幅を指示する第２制御フレームを送信するように構成された送信機であって、前記受信機は前記希望の帯域幅および前記利用可能な帯域幅のうちより劣った方を利用して送信された前記データを受信するようにさらに構成された、送信機と、
を備えた装置。
【請求項７１】
前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、請求項７０の装置。
【請求項７２】
前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、請求項７０の装置。
【請求項７３】
前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、請求項７２の装置。
【請求項７４】
前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、請求項７０の装置。
【請求項７５】
前記デュレーション・フィールドの少なくとも１個の最上位ビット（ＭＳＢ）は、前記ＣＴＳフレームが前記利用可能な帯域幅を指示することを指示する、請求項７４の装置。
【請求項７６】
前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、請求項７０の装置。
【請求項７７】
前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、請求項７０の装置。
【請求項７８】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、請求項７７の装置。
【請求項７９】
前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、請求項７０の装置。
【請求項８０】
前記第２制御フレームは送信許可（ＣＴＳ）フレームを備え、前記ＣＴＳフレームは前記利用可能な帯域幅を指示する帯域幅情報フィールドと共にフレーム・フォーマットを備える、請求項７０の装置。
【請求項８１】
前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、請求項８０の装置。
【請求項８２】
前記受信機は、前記希望の帯域幅に応じた前記装置に対して前記データを送信するために各々の１つまたは複数のチャネル上で送信要求（ＲＴＳ）フレームを受信することによって前記第１制御フレームを受信するように構成され、前記送信機は、前記装置の前記利用可能な帯域幅に応じた各々の少なくとも一部の前記チャネル上で、前記帯域幅情報フィールドと共に、前記ＣＴＳフレームを送信することによって前記第２制御フレームを送信するように構成されている、請求項８０の装置。
【請求項８３】
前記受信機は、米国電気電子学会（ＩＥＥＥ）８０２．１１規格に対するＩＥＥＥ８０２．１１ａ補正に応じたレガシーＲＴＳフレームを受信するようにさらに構成され、前記レガシーＲＴＳフレームは各々の前記少なくとも一部の前記チャネル上で複製されており、前記送信機は、ＩＥＥＥ８０２．１１ａ補正に応じたレガシーＣＴＳフレームを送信するようにさらに構成され、前記レガシーＣＴＳフレームは各々の前記少なくとも前記一部の前記チャネルで複製され、前記レガシーＲＴＳフレームおよび前記レガシーＣＴＳフレームによって設定されたネットワーク割り当てベクトル（ＮＡＶ）は前記データの受信を保護する、請求項８２の装置。
【請求項８４】
前記受信機は、米国電気電子学会（ＩＥＥＥ）８０２．１１規格に対するＩＥＥＥ８０２．１１ａ補正に応じたレガシー送信要求（ＲＴＳ）フレームを受信するようにさらに構成され、前記レガシーＲＴＳフレームは主要チャネル上で受信されるか、各々の第１組のチャネル上で複製され、前記送信機は、少なくとも一部の前記第１組のチャネル上でＩＥＥＥ８０２．１１ａ補正に応じたレガシーＣＴＳフレームを送信するようにさらに構成され、前記少なくとも一部の前記第１組のチャネルは前記装置においてアイドル状態であり、前記受信機は、前記レガシーＣＴＳフレームを送信後に、前記希望の帯域幅に応じた前記装置に対して前記データを送信するために各々の第２組のチャネル上でＲＴＳフレームを受信することによって、前記第１制御フレームを受信するようにさらに構成され、前記送信機は、前記装置の前記利用可能な帯域幅に応じた各々の少なくとも一部の前記第２組のチャネル上で、前記帯域幅情報フィールドと共に、前記ＣＴＳフレームを送信することによって、前記第２制御フレームを送信するようにさらに構成されている、請求項８０の装置。
【請求項８５】
前記第１制御フレームのアドレスが、前記受信された第一制御フレームからの前記希望の帯域幅を決定するよりも前に、複数チャネル能力のあるエンティティに対応するかどうかを検査するように構成された処理システムをさらに備え、前記検査することは１組のアドレスに属する前記アドレスに基づいている、請求項７０の装置。
【請求項８６】
無線通信のための装置であって、
前記装置に対してデータを送信するための希望の帯域幅を指示する第１制御フレームを受信するための手段と、
前記第１制御フレームを受信したことに応答して、前記装置の利用可能な帯域幅を指示する第２制御フレームを送信するための手段であって、前記受信するための手段は前記希望の帯域幅および前記利用可能な帯域幅のうちより劣った方を利用して送信された前記データを受信するようにさらに構成された、送信するための手段と、
を備えた装置。
【請求項８７】
前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、請求項８６の装置。
【請求項８８】
前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、請求項８６の装置。
【請求項８９】
前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、請求項８８の装置。
【請求項９０】
前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、請求項８６の装置。
【請求項９１】
前記デュレーション・フィールドの少なくとも１個の最上位ビット（ＭＳＢ）は、前記ＣＴＳフレームが前記利用可能な帯域幅を指示することを指示する、請求項９０の装置。
【請求項９２】
前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、請求項８６の装置。
【請求項９３】
前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、請求項８６の装置。
【請求項９４】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、請求項９３の装置。
【請求項９５】
前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、請求項８６の装置。
【請求項９６】
前記第２制御フレームは送信許可（ＣＴＳ）フレームを備え、前記ＣＴＳフレームは前記利用可能な帯域幅を指示する帯域幅情報フィールドと共にフレーム・フォーマットを備える、請求項８６の装置。
【請求項９７】
前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、請求項９６の装置。
【請求項９８】
前記第１制御フレームを前記受信するための手段は、前記希望の帯域幅に応じた前記装置に対して前記データを送信するために各々の１つまたは複数のチャネル上で送信要求（ＲＴＳ）フレームを受信するように構成され、前記第２制御フレームを前記送信するための手段は、前記装置の前記利用可能な帯域幅に応じた各々の少なくとも一部の前記チャネル上で、前記帯域幅情報フィールドと共に、前記ＣＴＳフレームを送信するように構成されている、請求項９６の装置。
【請求項９９】
前記受信するための手段は、米国電気電子学会（ＩＥＥＥ）８０２．１１規格に対するＩＥＥＥ８０２．１１ａ補正に応じたレガシーＲＴＳフレームを受信するようにさらに構成され、前記レガシーＲＴＳフレームは各々の前記少なくとも前記一部の前記チャネル上で複製されており、前記送信するための手段は、ＩＥＥＥ８０２．１１ａ補正に応じたレガシーＣＴＳフレームを送信するようにさらに構成され、前記レガシーＣＴＳフレームは各々の前記少なくとも前記一部の前記チャネルで複製され、前記レガシーＲＴＳフレームおよび前記レガシーＣＴＳフレームによって設定されたネットワーク割り当てベクトル（ＮＡＶ）は前記データの受信を保護する、請求項９８の装置。
【請求項１００】
前記受信するための手段は、米国電気電子学会（ＩＥＥＥ）８０２．１１規格に対するＩＥＥＥ８０２．１１ａ補正に応じたレガシー送信要求（ＲＴＳ）フレームを受信するようにさらに構成され、前記レガシーＲＴＳフレームは主要チャネル上で受信されるか、各々の第１組のチャネル上で複製され、前記送信するための手段は、少なくとも一部の前記第１組のチャネル上でＩＥＥＥ８０２．１１ａ補正に応じたレガシーＣＴＳフレームを送信するようにさらに構成され、前記少なくとも一部の前記第１組のチャネルは前記装置においてアイドル状態であり、前記第１制御フレームを前記受信するための手段は、前記レガシーＣＴＳフレームを送信後に、前記希望の帯域幅に応じた前記装置に対して前記データを送信するために各々の第２組のチャネル上でＲＴＳフレームを受信するようにさらに構成され、前記第２制御フレームを前記送信するための手段は、前記装置の前記利用可能な帯域幅に応じた各々の少なくとも一部の前記第２組のチャネル上で、前記帯域幅情報フィールドと共に、前記ＣＴＳフレームを送信するようにさらに構成されている、請求項９６の装置。
【請求項１０１】
前記第１制御フレームのアドレスが、前記受信された第一制御フレームからの前記希望の帯域幅を決定するよりも前に、複数チャネル能力のあるエンティティに対応するかどうかを検査するための手段をさらに備え、前記検査することは１組のアドレスに属する前記アドレスに基づいている、請求項８６の装置。
【請求項１０２】
無線通信のためのコンピュータプログラム・プロダクトであって、
装置において、前記装置に対してデータを送信するための希望の帯域幅を指示する第１制御フレームを受信することと、
前記第１制御フレームを受信したことに応答して、前記装置の利用可能な帯域幅を指示する第２制御フレームを送信することと、
前記希望の帯域幅及び前記利用可能な帯域幅のうちより劣った方を用いて送信された前記データを受信することと、
を実行可能である命令群を備えるコンピュータ可読媒体を備える、コンピュータプログラム・プロダクト。
【請求項１０３】
無線ノードであって、
少なくとも１本のアンテナと、
前記少なくとも1本のアンテナを介して、前記無線ノードに対してデータを送信するための希望の帯域幅を指示する第１制御フレームを受信するように構成された受信機と、
前記第１制御フレームを受信したことに応答して、前記無線ノードの利用可能な帯域幅を指示する第２制御フレームを受信するように構成された送信機であって、前記受信機は、前記希望の帯域幅および前記利用可能な帯域幅のうちより劣った方を使用して送信された前記データを受信するようにさらに構成されている、第２制御フレームを受信するように構成された送信機と、
を備えた、無線ノード。
【発明の詳細な説明】
【関連出願への相互参照】
【０００１】
この出願は、２０１０年９月２２日に出願された米国仮特許出願番号第６１／３８５，４６２号（Atty. Dkt. No. 102919P1）、２０１０年９月２９日に出願された米国仮特許出願番号第６１／３８７，７４４号（Atty. Dkt. No. 102919P2）、ならびに、２０１０年１０月１２日に出願された米国仮特許出願番号第６１／３９２，４５６号（Atty. Dkt. No. 102919P3）、の利益を主張し、それらの全てが参照としてここに組み込まれる。
【技術分野】
【０００２】
本開示の特定の態様は、一般には無線通信に関連しており、より詳細には、送信エンティティと受信エンティティとの間の帯域幅情報を交換し、データを伝送するための２個のエンティティの間で使用されるべき帯域幅を決定することに関連している。
【背景技術】
【０００３】
無線通信システムに関して要求されている帯域幅要求の増大の問題を取り扱うために、チャネル・リソースを共有することで複数のユーザ端末に単一のアクセス・ポイントと通信させる一方で高いデータ処理能力を達成する異なるスキームが開発されている。複数入力・複数出力（ＭＩＭＯ：Multiple Input Multiple Output）技術は、次世代通信システムのためのポピュラーな技法として近年登場した１つのそうしたアプローチを表している。ＭＩＭＯ技術は、米国電気電子学会（ＩＥＥＥ：Institute of Electrical and Electronics Engineers）８０２．１１規格などのいくつかの新興の無線通信規格に採用されている。IEEE802.11は、（例えば、数十メートルから数百メートルの）短距離通信に関してIEEE802.11委員会によって策定された無線ローカル・エリア・ネットワーク（ＷＬＡＮ：Wireless Local Area Network）エアー・インターフェース規格一式を指す。
【０００４】
ＭＩＭＯシステムは、データ伝送のために複数の（ＮＴ本の）送信アンテナと複数の（ＮＲ本の）受信アンテナとを使用する。ＮＴ本の送信アンテナおよびＮＲ本の受信アンテナによって形成されているＭＩＭＯチャネルは、ＮＳ個の独立したチャネルへ分解され得、それらはまた空間チャネルと呼ばれ、ここで
【数１】
2013541293.tif 000003
【０００５】
である。各々のＮＳ個の独立したチャネルは、次元（dimension）に対応する。ＭＩＭＯシステムは、複数の送信アンテナおよび複数の受信アンテナによって生成される追加の次元（dimensionality）が利用される場合、改善されたパフォーマンス（例えば、より高い処理能力および／またはより大きな信頼性）を提供することができる。
【０００６】
単一のアクセス・ポイント（ＡＰ：Access Point）と複数のユーザ局（ＳＴＡ：station）との無線ネットワークでは、上りリンクと下りリンクの両方の方向において異なる局へ向かう複数のチャネル上で、同時伝送が生じ得る。多くの挑戦が、そうしたシステムに存在している。
【発明の概要】
【０００７】
本開示の特定の態様は、一般には、制御フレーム機構（例えば、ＲＴＳ／ＣＴＳ機構）を介して送信エンティティと受信エンティティとの間の帯域幅情報を交換し、２個のエンティティ間で使用されるべきデータ伝送帯域幅を決定することに関連している。
【０００８】
本開示の特定の態様は、無線通信のための方法を提供する。本方法は、一般に、装置に対してデータを送信するための希望の帯域幅を指示する第１制御フレームを装置へ送信することと、装置の利用可能な帯域幅を指示する第２制御フレームを受信することと、希望の帯域幅と利用可能な帯域幅のうちより劣った方に基づいてデータを送信することと、を含んでいる。
【０００９】
本開示の特定の態様は、無線通信のための装置を提供する。本装置は、一般に、もう一方の装置に対してデータを送信するための希望の帯域幅を指示する第１制御フレームを別の装置へ送信するように構成された送信機と、もう一方の装置の利用可能な帯域幅を指示する第２制御フレームを受信するように構成された受信機と、を含んでおり、ここで、送信機は、希望の帯域幅と利用可能な帯域幅のうちより劣った方に基づいてデータを送信するようにさらに構成されている。
【００１０】
本開示の特定の態様は、無線通信のための装置を提供する。本装置は、一般に、もう一方の装置に対してデータを送信するための希望の帯域幅を指示する第１制御フレームを別の装置へ送信するための手段と、もう一方の装置の利用可能な帯域幅を指示する第２制御フレームを受信するための手段と、を含んでおり、ここで、送信するための手段は、希望の帯域幅と利用可能な帯域幅のうちより劣った方に基づいてデータを送信するようにさらに構成されている。
【００１１】
本開示の特定の態様は、無線通信のためのコンピュータプログラム・プロダクトを提供する。本コンピュータプログラム・プロダクトは、一般に、装置に対してデータを送信するための希望の帯域幅を指示する第１制御フレームを装置へ送信することと、装置の利用可能な帯域幅を指示する第２制御フレームを受信することと、希望の帯域幅と利用可能な帯域幅のうちより劣った方に基づいてデータを送信することと、を実行可能な命令を有するコンピュータ可読媒体を含んでいる。
【００１２】
本開示の特定の態様は、アクセス・ポイントを提供する。本アクセス・ポイントは、一般に、少なくとも１本のアンテナと、装置に対してデータを送信するための希望の帯域幅を指示する第１制御フレームを、少なくとも１本のアンテナを介して、装置へ送信するように構成された送信機と、装置の利用可能な帯域幅を指示する第２制御フレームを受信するように構成された受信機と、を含んでおり、ここで、送信機は、希望の帯域幅と利用可能な帯域幅のうちより劣った方に基づいてデータを送信するようにさらに構成されている。
【００１３】
本開示の特定の態様は、無線通信のための方法を提供する。本方法は、一般に、装置に対してデータを送信するために希望の帯域幅を指示する第１制御フレームを装置において受信することと、第１制御フレームを受信したことに応答して、装置の利用可能な帯域幅を指示する第２制御フレームを送信することと、希望の帯域幅と利用可能な帯域幅のうちより劣った方を利用して送信されたデータを受信することと、を含んでいる。
【００１４】
本開示の特定の態様は、無線通信のための装置を提供する。本装置は、一般に、装置に対してデータを送信するための希望の帯域幅を指示する第１制御フレームを受信するように構成された受信機と、第１制御フレームを受信したことに応答して、装置の利用可能な帯域幅を指示する第２制御フレームを送信するように構成された送信機と、を含んでおり、ここで、受信機は、希望の帯域幅と利用可能な帯域幅のうちより劣った方を利用して送信されたデータを受信するようにさらに構成されている。
【００１５】
本開示の特定の態様は、無線通信のための装置を提供する。本装置は、一般に、装置に対してデータを送信するために希望の帯域幅を指示する第１制御フレームを受信するための手段と、第１制御フレームを受信したことに応答して、装置の利用可能な帯域幅を指示する第２制御フレームを送信するための手段と、を含んでおり、ここで、受信するための手段は、希望の帯域幅と利用可能な帯域幅のうちより劣った方を利用して送信されたデータを受信するようにさらに構成されている。
【００１６】
本開示の特定の態様は、無線通信のためのコンピュータプログラム・プロダクトを提供する。本コンピュータプログラム・プロダクトは、一般に、装置に対してデータを送るために希望の帯域幅を指示する第１制御フレームを装置において受信することと、第１制御フレームを受信したことに応答して、装置の利用可能な帯域幅を指示する第２制御フレームを送信することと、希望の帯域幅と利用可能な帯域幅のうちより劣った方を利用して送信されたデータを受信することと、を実行可能な命令を有するコンピュータ可読媒体を含んでいる。
【００１７】
本開示の特定の態様は、無線ノードを提供する。本無線ノードは、一般に、少なくとも１本のアンテナと、装置に対してデータを送信するための希望の帯域幅を指示する第１制御フレームを、少なくとも１本のアンテナを介して、受信するように構成された受信機と、第１制御フレームを受信したことに応答して、装置の利用可能な帯域幅を指示する第２制御フレームを送信するように構成された送信機と、を含んでおり、ここで、受信機は、希望の帯域幅と利用可能な帯域幅のうちより劣った方を利用して送信されたデータを受信するようにさらに構成されている。
【００１８】
本開示の特定の態様は、無線通信のための方法を提供する。本方法は、一般に、装置に対してデータを送信するために望ましい各々の１つまたは複数のチャネルに関する第１制御フレームを、装置へ送信することと、各々の少なくとも一部のチャネルに関する第２制御フレームを受信することであって、チャネルの一部のチャネルが装置で利用可能である、受信することと、少なくとも一部のチャネルを利用してデータを送信することと、を含んでいる。
【００１９】
本開示の特定の態様は、無線通信のための装置を提供する。本装置は、一般に、もう一方の装置に対してデータを送信するために望ましい各々の１つまたは複数のチャネルに関する第１制御フレームを、別の装置へ送信するために構成された送信機と、各々の少なくとも一部のチャネルに関する第２制御フレームを受信するように構成された受信機と、を含んでおり、ここで、チャネルの一部のチャネルはもう一方の装置で利用可能であり、かつ、ここで、送信機は、少なくとも一部のチャネルを利用してデータを送信するようにさらに構成されている。
【００２０】
本開示の特定の態様は、無線通信のための装置を提供する。本装置は、一般に、もう一方の装置に対してデータを送信するために望ましい各々の１つまたは複数のチャネルに関する第１制御フレームを別の装置へ送信するための手段と、各々の少なくとも一部のチャネルに関する第２制御フレームを受信するための手段と、を含んでおり、ここで、チャネルの一部のチャネルは、もう一方の装置で利用可能であり、かつ、ここで、送信するための手段は、少なくとも一部のチャネルを利用してデータを送信するようにさらに構成されている。
【００２１】
本開示の特定の態様は、無線通信のためのコンピュータプログラム・プロダクトを提供する。本コンピュータプログラム・プロダクトは、一般に、装置に対してデータを送信するために望ましい各々の１つまたは複数のチャネルに関する第１制御フレームを装置へ送信すること、各々の少なくとも一部のチャネルに関する第２制御フレームを受信することであって、チャネルの一部のチャネルは装置で利用可能である、受信すること、および、少なくとも一部のチャネルを利用してデータを送信すること、が実行可能である命令を有するコンピュータ可読媒体を含んでいる。
【００２２】
本開示の特定の態様は、アクセス・ポイントを提供する。本アクセス・ポイントは、一般に、少なくとも１本のアンテナと、装置に対してデータを送信するために望ましい各々の１つまたは複数のチャネルに関する第１制御フレームを、少なくとも１本のアンテナを介して装置へ送信するように構成された送信機と、各々の少なくとも一部のチャネルに関する第２制御フレームを受信するように構成された受信機と、を含んでおり、ここで、チャネルの一部のチャネルは装置で利用可能であり、かつ、ここで、送信機は、少なくとも一部のチャネルを利用してデータを送信するようにさらに構成されている。
【００２３】
本開示の特定の態様は、無線通信のための方法を提供する。本方法は、一般に、装置に対してデータを送信するために望ましい各々の１つまたは複数のチャネルに関する第１制御フレームを装置で受信することと、各々のチャネルに関する第１制御フレームを装置で受信したことに応答して、各々の少なくとも一部のチャネルに関する第２制御フレームを送信することであって、チャネルの一部のチャネルは装置で利用可能である、送信することと、少なくとも一部のチャネルを利用して送信されたデータを受信することと、を含んでいる。
【００２４】
本開示の特定の態様は、無線通信のための装置を提供する。本装置は、一般に、装置に対してデータを送信するために望ましい各々の１つまたは複数のチャネルに関する第１制御フレームを受信するように構成された受信機と、各々のチャネルに関する第１制御フレームを受信したことに応答して、各々の少なくとも一部のチャネルに関する第２制御フレームを送信するように構成された送信機と、を含んでおり、ここで、チャネルの一部のチャネルは装置で利用可能であり、かつ、ここで、受信機は少なくとも一部のチャネルを利用して送信されたデータを受信するようにさらに構成されている。
【００２５】
本開示の特定の態様は、無線通信のための装置を提供する。本装置は、一般に、装置に対してデータを送信するために望ましい各々の１つまたは複数のチャネルに関する第１制御フレームを受信するための手段と、各々のチャネルに関する第１制御フレームを受信したことに応答して、各々の少なくとも一部のチャネルに関する第２制御フレームを送信するための手段と、を含んでおり、ここで、チャネルの一部のチャネルは装置で利用可能であり、かつ、ここで、受信するための手段は、少なくとも一部のチャネルを利用して送信されたデータを受信するようにさらに構成されている。
【００２６】
本開示の特定の態様は、無線通信のためのコンピュータプログラム・プロダクトを提供する。本コンピュータプログラム・プロダクトは、一般に、装置に対してデータを送信するために望ましい各々の１つまたは複数のチャネルに関する第１制御フレームを、装置で受信すること、各々のチャネルに関する第１制御フレームを受信したことに応答して、各々の少なくとも一部のチャネルに関する第２制御フレームを送信することであって、チャネルの一部のチャネルは装置で利用可能である、送信すること、および、少なくとも一部のチャネルを利用して送信されたデータを受信すること、が実行可能である、命令を有するコンピュータ可読媒体を含んでいる。
【００２７】
本開示の特定の態様は、無線ノードを提供する。本無線ノードは、一般に、少なくとも１本のアンテナと、装置に対してデータを送信するために望ましい各々の１つまたは複数のチャネルに関する第１制御フレームを、少なくとも１本のアンテナを介して受信するように構成された受信機と、各々のチャネルに関する第１制御フレームを受信したことに応答して、各々の少なくとも一部のチャネルに関する第２制御フレームを送信するように構成された送信機と、を含んでおり、ここで、チャネルの一部のチャネルは装置で利用可能であり、かつ、ここで、受信機は、少なくとも一部のチャネルを利用して送信されたデータを受信するようにさらに構成されている。
【００２８】
本開示の特定の態様は、無線通信のための方法を提供する。本方法は、一般に、第１帯域幅を介して第１制御フレームを装置に対して送信することと、第１帯域幅を介して第２制御フレームを受信することと、（１）第２制御フレームは、特定の帯域幅で送信された第１制御フレームに応じて受信されないが、特定の帯域幅よりも低い帯域幅で受信されたか、あるいは（２）第２制御フレームは、特定の帯域幅で送信された第１制御フレームに応じてより低い帯域幅を介して受信されているか、のどちらかまで、次第に増大する送信帯域幅を介して第１制御フレームのうち、装置に対して送信を繰り返すことと、より低い帯域幅でデータを送信することと、を含んでいる。
【００２９】
本開示の特定の態様は、無線通信のための装置を提供する。本装置は、一般に、第１帯域幅を介して第１制御フレームを、別の装置に対して送信するように構成された送信機と、第１帯域幅を介して第２制御フレームを受信するように構成された受信機と、を含んでおり、ここで、送信機は、（１）第２制御フレームは、特定の帯域幅で送信された第１制御フレームに応じて受信されないが、特定の帯域幅よりも低い帯域幅で受信されたか、あるいは（２）第２制御フレームが特定の帯域幅で送信された第１制御フレームに応じてより低い帯域幅を介して受信されているか、のどちらかまで、次第に増大する送信帯域幅を介して第１制御フレームのうち、もう一方の装置に対して、送信を繰り返すようにさらに構成されており、ここで、送信機は、より低い帯域幅でデータを送信するようにさらに構成されている。
【００３０】
本開示の特定の態様は、無線通信のための装置を提供する。本装置は、一般に、第１帯域幅を介して第１制御フレームを別の装置に対して送信するための手段と、第１帯域幅を介して第２制御フレームを受信するための手段と、を含んでおり、ここで、送信するための手段は、（１）第２制御フレームが特定の帯域幅で送信された第１制御フレームに応じて受信されないが、特定の帯域幅よりも低い帯域幅で受信されたか、あるいは（２）第２制御フレームは、特定の帯域幅で送信された第１制御フレームに応じてより低い帯域幅を介して受信されているか、のどちらかまで、次第に増大する送信帯域幅を介して第１制御フレームのうち、もう一方の装置に対して送信を繰り返すように構成されており、ここで、送信するための手段は、より低い帯域幅でデータを送信するように構成されている。
【００３１】
本開示の特定の態様は、無線通信のためのコンピュータプログラム・プロダクトを提供する。本コンピュータプログラム・プロダクトは、一般に、第１帯域幅を介して第１制御フレームを装置に対して送信し、第１帯域幅を介して第２制御フレームを受信し、（１）第２制御フレームが、特定の帯域幅で送信された第１制御フレームに応じて受信されないが、特定の帯域幅よりも低い帯域幅で受信されたか、あるいは（２）第２制御フレームが、特定の帯域幅で送信された第１制御フレームに応じてより低い帯域幅を介して受信されているか、のどちらかまで、次第に増大する送信帯域幅を介して第１制御フレームのうち、装置に対して、送信を繰り返し、かつ、より低い帯域幅でデータを送信するように実行可能である命令を有するコンピュータ可読媒体を含んでいる。
【００３２】
本開示の特定の態様は、アクセス・ポイントを提供する。本アクセス・ポイントは、一般に、少なくとも１本のアンテナと、第１帯域幅を介して第１制御フレームを、少なくとも１本のアンテナを介して、装置に対して、送信するように構成された送信機と、第１帯域幅を介して第２制御フレームを受信するように構成された受信機と、を含んでおり、ここで、送信機は、（１）第２制御フレームが特定の帯域幅で送信された第１制御フレームに応じて受信されないが、特定の帯域幅よりも低い帯域幅で受信されたか、あるいは（２）第２制御フレームが特定の帯域幅で送信された第１制御フレームに応じてより低い帯域幅を介して受信されているか、のどちらかまで、次第に増大する送信帯域幅を介して第１制御フレームのうち、もう一方の装置に対して、送信を繰り返すようにさらに構成されており、ここで、送信機は、より低い帯域幅でデータを送信するようにさらに構成されている。
【図面の簡単な説明】
【００３３】
本開示の上記の特徴が詳細に理解されることができるように、上で簡単にまとめたより詳細な説明が、一部が添付図面中に示されている態様を参照することで提示され得る。ただし、添付された図面はこの開示の特定の典型的な態様を示しているに過ぎず、また、それ故、説明はその他の有効な態様に対して承認し得るために、その範囲を限定すると考慮されるべきではない、ことは留意されるべきである。
【図１】図１は、本開示の特定の態様に従う無線通信ネットワークの図を示す。
【図２】図２は、本開示の特定の態様に従う一例のアクセス・ポイントおよびユーザ端末のブロック図を示す。
【図３】図３は、本開示の特定の態様に従う一例の無線デバイスのブロック図を示す。
【図４】図４は、本開示の特定の態様に従う無線通信に関する一例のフレーム構造を示す。
【図５】図５は、本開示の特定の態様に従う一例のプリアンブル構造を示す。
【図６】図６は、本開示の特定の態様に従う帯域幅発見に関する単一のＲＴＳ／ＣＴＳフレーム交換の一例を示す。
【図７】図７は、本開示の特定の態様に従う、制御フレームが実際に送信されているチャネルによって、送信エンティティの観点から、帯域幅情報を暗黙に交換するための例の動作を示す。
【図７Ａ】図７Ａは、図７に示された動作を実行するための例の手段を示す。
【図８】図８は、本開示の特定の態様に従う、制御フレームが実際に送信されているチャネルによって、受信エンティティの観点から、帯域幅情報を暗黙に交換するための例の動作を示す。
【図８Ａ】図８Ａは、図８に示された動作を実行するための例の手段を示す。
【図９】図９は、本開示の特定の態様に従う、送信エンティティの観点から、制御フレームを介して帯域幅情報を明白に交換するための例の動作を示す。
【図９Ａ】図９Ａは、図９に示された動作を実行するための例の手段を示す。
【図１０】図１０は、本開示の特定の態様に従う、受信エンティティの観点から、制御フレームを介して帯域幅情報を明白に交換するための例の動作を示す。
【図１０Ａ】図１０Ａは、図１０に示された動作を実行するための例の手段を示す。
【図１１】図１１は、本開示の特定の態様に従う、帯域幅発見に関する二重のＲＴＳ／ＣＴＳ交換の一例を示す。
【図１２】図１２は、本開示の特定の態様に従う、レガシーＲＴＳフレームおよびレガシーＣＴＳフレームの拡張を介して帯域幅情報を指示することを示す。
【図１３】図１３は、本開示の特定の態様に従う、送信エンティティの観点から、次第に増大する送信帯域幅を使用して制御フレームを介して帯域幅情報を交換するための例の動作を示す。
【図１３Ａ】図１３Ａは、図１３に示された動作を実行するための例の手段を示す。
【図１４】図１４は、本開示の特定の態様に従う、明白な帯域幅情報と共に例のＲＴＳフレーム構造を示す。
【図１５】図１５は、本開示の特定の態様に従う、明白な帯域幅情報と共に例のＣＴＳフレーム構造を示す。
【詳細な説明】
【００３４】
本開示の様々な態様が、以下、添付図面を参照してより十分に記述される。ただし、この開示は、多くの異なる形式で実施され得、この開示全体にわたって提示されているいずれかの特定の構造もしくは機能に限定されると解釈されるべきではない。むしろ、これらの態様は、この開示が徹底的かつ完全であり、当業者に対して本開示の範囲を十分に伝えるように提供される。ここでの教示に基づいて、当業者は、本開示の範囲が、独立してインプリメントされようと、本開示の任意の他の態様と組み合わされようと、ここに開示された開示の任意の態様をカバーするように意図されている、ことを十分理解するだろう。例えば、ここに示す態様のいくつかを使用して、装置がインプリメントされ得るか、方法が実行され得る。また、本開示の範囲は、ここに示す本開示の様々な態様に加えてあるいはそれらとは他に、その他の構造、機能、あるいは構造および機能を使用して実行されるような装置もしくは方法をカバーするように意図されている。ここに開示された開示の任意の態様は、特許請求の範囲の１つまたは複数の要素によって実施され得る、ことは理解されるべきである。
【００３５】
用語「典型的（exemplary）」は、「用例、事例、あるいは例証として役立つ」を意味するようにここで用いられている。「典型的」としてここに開示された任意の態様は、必ずしも他の態様よりも好ましいもしくは有利であると解釈される必要はない。
【００３６】
特定の態様がここに記述されているが、こうした態様の多くの変形および置き換えが本開示の範囲内に含まれる。好ましい態様のいくつかの利益および利点が述べられているが、本開示の範囲は、特定の利益、使用、あるいは目的に限定されるように意図されているわけではない。むしろ、本開示の態様は、異なる無線技術、システム構成、ネットワーク、および伝送プロトコルに対して広く適用可能であるように意図されており、それらの一部が、好ましい態様の以下の記述内および図面内に例として示されている。詳細な説明および図面は、限定するよりはむしろ本開示のただの一例に過ぎず、本開示の範囲は、添付された特許請求の範囲およびそれらに相当するものによって定義されている。
【００３７】
一例の無線通信システム
ここに記述された技法は、直交多重化スキームに基づいた通信システムを含む、様々なブロードバンド無線通信システムに使用され得る。そのような通信システムの例には、空間分割多元接続（ＳＤＭＡ：Spatial Division Multiple Access）、時分割多元接続（ＴＤＭＡ：Time Division Multiple Access）、直交周波数分割多元接続（ＯＦＤＭＡ：Orthogonal Frequency Division Multiple Access）、単一搬送波周波数分割多元接続（ＳＣ−ＦＤＭＡ：Single-Carrier Frequency Division Multiple Access）、などのシステムが含まれる。ＳＤＭＡシステムでは、十分に異なる方向を利用して複数台のユーザ端末に属するデータを同時に伝送し得る。ＴＤＭＡシステムでは、伝送信号を各タイム・スロットが異なるユーザ端末に割り当てられている異なるタイム・スロットへ分割することで、複数のユーザ端末に同じ周波数チャネルを共有させ得る。ＯＦＤＭＡシステムでは、システム帯域幅全体を複数個の直交サブキャリアへ分割する変調技法である、直交周波数分割多重（ＯＦＤＭ：orthogonal frequency division multiplexing）を利用している。こうしたサブキャリアは、また、トーン、ビン、などと呼ばれ得る。ＯＦＤＭでは、各サブキャリアは独立してデータと変調され得る。SC-FDMAシステムでは、インターリーブされたFDMA（IFDMA）を利用してシステム帯域幅全体にわたって分布されているサブキャリアで伝送し得るか、局在化FDMA（LFDMA）を利用して隣接するサブキャリアのブロックで伝送し得るか、もしくは、強化されたFDMA（EFDMA）を利用して隣接するサブキャリアの複数個のブロックで伝送し得る。一般に、変調シンボルは、OFDMでは周波数領域内で送られ、SC-FDMAでは時間領域内で送られる。
【００３８】
本願の教示は、有線／無線を問わず様々な装置（例えば、ノード）に対して組み込まれ得る（例えば、当該装置内でインプリメントされ得るか、あるいは当該装置により実行され得る）。いくつかの態様では、本願の教示に従ってインプリメントされた無線ノードは、アクセス・ポイントあるいはアクセス端末を備え得る。
【００３９】
アクセス・ポイント（「ＡＰ」）は、ノードＢ、ラジオ・ネットワーク・コントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、ラジオ・トランシーバ、基本サービス・セット（「ＢＳＳ」）、拡張サービス・セット（「ＥＳＳ」）、ラジオ基地局（「ＲＢＳ」）、あるいはいくつかの他の専門用語を備え得るか、それらとしてインプリメントされ得るか、もしくはそれらとして知られ得る。
【００４０】
アクセス端末（「ＡＴ」）は、加入者局、加入者ユニット、移動局、遠隔局、遠隔端末、ユーザ端末、ユーザ・エージェント、ユーザ・デバイス、ユーザ設備、ユーザ局、あるいはいくつかの他の専門用語を備え得るか、それらとしてインプリメントされ得るか、あるいはそれらとして知られ得る。いくつかのインプリメンテーションでは、アクセス端末は、小型携帯移動電話機（cellular telephone）、コードレス電話機（cordless telephone）、セッション開始プロトコル（「ＳＩＰ」）電話、無線ローカル・ループ（「ＷＬＬ」）局、携帯情報端末（「ＰＤＡ」）（personal digital assistant）、無線接続能力を有する手持ち式のデバイス、局（「ＳＴＡ」）、あるいは、無線モデムに接続されたその他の適切な処理デバイスを備え得る。従って、ここに教示された１件または複数件の態様は、電話機（例えば、小型携帯移動電話機やスマート・フォン）、コンピュータ（例えば、ラップトップ）、携帯用通信デバイス、携帯用計算デバイス（例えば、パーソナル・データ・アシスタント）、娯楽用デバイス（例えば、音楽／映像デバイス、または衛星ラジオ）、全地球測位システム・デバイス、あるいは、無線／有線媒体を介して通信するように構成されている任意のその他の適したデバイス、に組み込まれ得る。いくつかの態様では、ノードは無線ノードである。そのような無線ノードは、例えば、有線／無線通信リンクを介してネットワーク（例えば、インターネットなどの広域ネットワークやセルラー・ネットワーク）のために接続性を提供し、あるいはネットワークに対する接続性を提供し得る。
【００４１】
図１は、アクセス・ポイントおよびユーザ端末を伴う、多元接続の複数入力・複数出力（ＭＩＭＯ）システム１００を示している。簡単のために、１つのアクセス・ポイント１１０だけが図１中に示されている。アクセス・ポイントは、一般に、ユーザ端末と通信する固定の局であり、かつ、また基地局と呼ばれることもあれば、その他の専門用語で呼ばれることもある。ユーザ端末は、備え付けの場合もあれば可動の場合もあり、かつ、また、移動局や無線デバイスと呼ばれることもあれば、その他の専門用語で呼ばれることもある。アクセス・ポイント１１０は、下りリンクおよび上りリンクに対して任意の瞬間に、１つまたは複数のユーザ端末１２０と通信し得る。下りリンク（つまり、フォワード・リンク）は、アクセス・ポイントからユーザ端末に向かう通信リンクであり、また、上りリンク（つまり、リバース・リンク）は、ユーザ端末からアクセス・ポイントに向かう通信リンクである。ユーザ端末は、別のユーザ端末とピア・ツー・ピアで通信をすることもできる。システム・コントローラ１３０は、アクセス・ポイントに対して結合し、かつ、アクセス・ポイントに調整および制御を提供する。
【００４２】
以下の開示のいくつかの部分が、空間分割多元接続（ＳＤＭＡ）を介して通信することが可能なユーザ端末１２０を説明する一方で、特定の態様に関して、ユーザ端末１２０は、ＳＤＭＡをサポートしない一部のユーザ端末も含み得る。したがって、そうした態様に関して、ＡＰ１１０は、ＳＤＭＡと非ＳＤＭＡの両方のユーザ端末と通信するように構成され得る。このアプローチであれば、古いバージョンのユーザ端末（「レガシー」局）が事業内で配備されたまま、より新しいＳＤＭＡユーザ端末を適切な時期に導入することができるので、好都合にも、古いバージョンのユーザ端末の使用寿命を拡張することができる。
【００４３】
システム１００は、下りリンクおよび上りリンクでのデータ伝送用に複数本の送信アンテナおよび複数本の受信アンテナを備えている。アクセス・ポイント１１０は、Ｎａｐ本のアンテナを備えていて、下りリンク伝送のための複数入力（ＭＩ）、および上りリンク伝送のための複数出力（ＭＯ）を表している。Ｋ台の選択されたユーザ端末１２０の１組は、下りリンク伝送のための複数出力と上りリンク伝送のための複数入力とを一括して表している。純粋なＳＤＭＡに関しては、Ｋ台のユーザ端末に関するデータ・シンボル・ストリームが、どうにかして符号、周波数、あるいは時間で多重化されない場合、
【数２】
2013541293.tif 000004
【００４４】
を有することが望ましい。Ｋは、データ・シンボル・ストリームが、ＴＤＭＡ技法、ＣＤＭＡを伴う異なる符合チャネル、ＯＦＤＭを伴うサブバンドの互いに素な集合、などを使用して多重化されることができる場合、Ｎａｐよりも大きくなり得る。各々の選択されたユーザ端末は、アクセス・ポイントに対してユーザ特有のデータを送信し、かつ／または、アクセス・ポイントからユーザ特有のデータを受信する。一般に、各々の選択されたユーザ端末は、１本または複数本のアンテナを備え得る（つまり、
【数３】
2013541293.tif 000005
【００４５】
）。Ｋ台の選択されたユーザ端末は、同じ本数か異なる本数のアンテナを有することができる。
【００４６】
ＳＤＭＡシステムは、時間分割複信（ＴＤＤ：time division duplex）システムか、周波数分割複信（ＦＤＤ：frequency division duplex）システムであり得る。ＴＤＤシステムでは、下りリンクおよび上りリンクは同じ周波数帯を共有している。ＦＤＤシステムでは、下りリンクおよび上りリンクは異なる周波数帯を使用している。ＭＩＭＯシステム１００は、また、伝送用に単一の搬送波または複数の搬送波を利用し得る。各々のユーザ端末は、（例えば、費用を抑えるために）単一のアンテナを備え得るか、（例えば、追加の費用がサポートされることができる場合）複数のアンテナを備え得る。システム１００は、また、送信／受信を異なる時間スロットへ分割し各々の時間スロットを異なるユーザ端末１２０に割り当てることによって、ユーザ端末１２０が同じ周波数チャネルを共有する場合、ＴＤＭＡシステムであり得る。
【００４７】
図２は、ＭＩＭＯシステム１００内のアクセス・ポイント１１０および２台のユーザ端末１２０ｍ、１２０ｘのブロック図を示す。アクセス・ポイント１１０は、Ｎｔ本のアンテナ２２４ａないし２２４ｔを備えている。ユーザ端末１２０ｍは、Ｎｕｔ，ｍ本のアンテナ２５２ｍａないし２５２ｍｕを備えており、また、ユーザ端末１２０ｘは、Ｎｕｔ，ｘ本のアンテナ２５２ｘａないし２５２ｘｕを備えている。アクセス・ポイント１１０は、下りリンクのための送信エンティティであり、かつ、上りリンクのための受信エンティティである。各々のユーザ端末１２０は、上りリンクのための送信エンティティであり、かつ、下りリンクのための受信エンティティである。ここで用いられたように、「送信エンティティ」は、無線チャネルを介してデータを送信することが可能な独立して作動する装置もしくはデバイスであり、また、「受信エンティティ」は、無線チャネルを介してデータを受信することが可能な独立して作動する装置もしくはデバイスである。以下の記述において、添え字「ｄｎ」は下りリンクを意味し、添え字「ｕｐ」は上りリンクを意味し、Ｎｕｐ台のユーザ端末は上りリンクに対する同時通信のために選択され、Ｎｄｎ台のユーザ端末は下りリンクに対する同時通信のために選択され、ＮｕｐはＮｄｎと等しくあり得るか、等しくなくても良く、ＮｕｐおよびＮｄｎは、静止した値であり得るか、各々のスケジューリング間隔のために変化することができる。ビームステアリングまたはその他の空間処理技法が、アクセス・ポイントおよびユーザ端末において使用され得る。
【００４８】
上りリンクでは、上りリンク伝送に関して選択された各々のユーザ端末１２０において、ＴＸデータ・プロセッサ２８８は、データ・ソース２８６からトラフィック・データを受信し、かつ、コントローラ２８０から制御データを受信する。ＴＸデータ・プロセッサ２８８は、ユーザ端末に関して選択されたレートに関連した符号化変調方式に基づいてユーザ端末に関するトラフィック・データを処理（例えば、符号化する、インターリーブする、変調する）し、データ・シンボル・ストリームを供給する。ＴＸ空間プロセッサ２９０は、データ・シンボル・ストリームに対して空間処理を施し、かつ、Ｎｕｔ，ｍの送信シンボル・ストリームをＮｕｔ，ｍ本のアンテナに供給する。各々の送信機ユニット（ＴＭＴＲ）２５４は、個々の送信シンボル・ストリームを受信しかつ処理（例えば、アナログ信号に変換する、増幅する、フィルタリングする、周波数アップコンバートする）し、上りリンク信号を生成する。Ｎｕｔ，ｍ台の送信機ユニット２５４は、Ｎｕｔ，ｍ本のアンテナ２５２からアクセス・ポイントへ伝送するためにＮｕｔ，ｍ個の上りリンク信号を供給する。
【００４９】
Ｎｕｐ台のユーザ端末は、上りリンクに対する同時通信のためにスケジューリングされ得る。各々のこうしたユーザ端末は、そのデータ・シンボル・ストリームに対して空間処理を施し、かつ、アクセス・ポイントに対して、上りリンクで送信シンボル・ストリーム一式を送信する。
【００５０】
アクセス・ポイント１１０において、Ｎａｐ本のアンテナ２２４ａないし２２４ａｐは、上りリンクに対して送信している全てのＮｕｐ台のユーザ端末から上りリンク信号を受信する。各々のアンテナ２２４は、個々の受信機ユニット（ＲＣＶＲ）２２２に対して受信した信号を供給する。各々の受信機ユニット２２２は、送信機ユニット２５４によって実行されたものに対して相補的な処理を実行し、かつ、受信したシンボル・ストリームを供給する。ＲＸ空間プロセッサ２４０は、Ｎａｐ台の受信機ユニット２２２からＮａｐ個の受信されたシンボル・ストリームに対して受信機空間処理を実行し、かつ、Ｎｕｐ個の回復された上りリンクのデータ・シンボル・ストリームを提供する。受信機空間処理は、チャネル相関行列反転（ＣＣＭＩ：channel correlation matrix inversion）、最小二乗平均誤差（ＭＭＳＥ：minimum mean square error）、ソフト干渉消去（ＳＩＣ：soft interference cancellation）、あるいはその他の技法に従って実行される。各々の回復された上りリンクのデータ・シンボル・ストリームは、個々のユーザ端末によって送信されたデータ・シンボル・ストリームの推定である。ＲＸデータ・プロセッサ２４２は、そのストリームに関して用いられたレートに基づいて、各々の回復された上りリンクのデータ・シンボル・ストリームを処理（例えば、復調する、デインターリーブする、復号する）し、復号されたデータを取得する。各々のユーザ端末に関して復号されたデータは、ストレージのためにデータ・シンク２４４に供給され、かつ／またはさらなる処理のためにコントローラ２３０に対して供給され得る。
【００５１】
下りリンクでは、アクセス・ポイント１１０において、ＴＸデータ・プロセッサ２１０は、下りリンク伝送のためにスケジュールされたＮｄｎ台のユーザ端末に関してデータ・ソース２０８からトラフィック・データを受信し、コントローラ２３０から制御データを受信し、可能であればスケジューラ２３４からその他のデータを受信する。様々なタイプのデータが、異なるトランスポート・チャネルで送られ得る。ＴＸデータ・プロセッサ２１０は、そのユーザ端末に関して選択されたレートに基づいて、各々のユーザ端末に関するトラフィック・データを処理する（例えば、符号化する、インターリーブする、変調する）。ＴＸデータ・プロセッサ２１０は、Ｎｄｎ台のユーザ端末に関してＮｄｎ個の下りリンクのデータ・シンボル・ストリームを提供する。ＴＸ空間プロセッサ２２０は、Ｎｄｎ個の下りリンクのデータ・シンボル・ストリームに対して、空間処理（前の開示で記述されたような、プリコーディングやビームフォーミングなど）を実行し、かつ、Ｎａｐ本のアンテナに関して、Ｎａｐ個の送信シンボル・ストリームを供給する。各々の送信機ユニット２２２は、個々の送信シンボル・ストリームを受信しかつ処理して、下りリンク信号を生成する。Ｎａｐ台の送信機ユニット２２２は、Ｎａｐ本のアンテナ２２４からユーザ端末への伝送のためにＮａｐ個の下りリンク信号を供給している。
【００５２】
各々のユーザ端末１２０において、Ｎｕｔ，ｍ本のアンテナ２５２は、アクセス・ポイント１１０からＮａｐ個の下りリンク信号を受信する。各々の受信機ユニット２５４は、関連するアンテナ２５２から受信された信号を処理し、かつ、受信されたシンボル・ストリームを供給する。ＲＸ空間プロセッサ２６０は、Ｎｕｔ，ｍ台の受信機ユニット２５４から、Ｎｕｔ，ｍ個の受信されたシンボル・ストリームに対して受信機空間処理を実行し、ユーザ端末に関して回復された下りリンクのデータ・シンボル・ストリームを提供する。受信機空間処理は、ＣＣＭＩ、ＭＭＳＥ、もしくはその他の技法に従って実行される。ＲＸデータ・プロセッサ２７０は、回復された下りリンクのデータ・シンボル・ストリームを処理（例えば、復調する、デインターリーブする、復号する）し、ユーザ端末に関して復号されたデータを取得する。
【００５３】
各々のユーザ端末１２０において、チャネル推定器２７８は、下りリンクのチャネル応答を推定し、かつ、下りリンクのチャネル推定を供給し、これは、チャネル利得推定、ＳＮＲ推定、雑音分散、などを含み得る。同様に、チャネル推定器２２８は、上りリンクのチャネル応答を推定し、かつ、上りリンクのチャネル推定を供給する。各々のユーザ端末に関するコントローラ２８０は、典型的に、そのユーザ端末に関する下りリンクのチャネル応答行列Ｈｄｎ，ｍに基づいて、ユーザ端末に関する空間フィルター行列を導出する。コントローラ２３０は、有効な上りリンクのチャネル応答行列Ｈｕｐ，ｅｆｆに基づいて、アクセス・ポイントに関する空間フィルター行列を導出する。各々のユーザ端末に関するコントローラ２８０は、アクセス・ポイントに対して、フィードバック情報（例えば、下りリンクおよび／または上りリンクの固有ベクトル、固有値、ＳＮＲ推定、など）を送り得る。コントローラ２３０および２８０は、また、それぞれアクセス・ポイント１１０およびユーザ端末１２０において、様々な処理ユニットの動作を制御する。
【００５４】
図３は、ＭＩＭＯシステム１００内で用いられ得る無線デバイス３０２において利用され得る様々なコンポーネントを示す。無線デバイス３０２は、本明細書に記述された様々な方法をインプリメントするように構成され得るデバイスの一例である。無線デバイス３０２は、アクセス・ポイント１１０もしくはユーザ端末１２０であり得る。
【００５５】
無線デバイス３０２は、無線デバイス３０２の動作を制御するプロセッサ３０４を含み得る。プロセッサ３０４は、また、中央演算処理装置（ＣＰＵ：central processing unit）とも呼ばれ得る。メモリ３０６は、読み取り専用メモリ（ＲＯＭ：read-only memory）とランダム・アクセス・メモリ（ＲＡＭ：random access memory）との両方を含み得、プロセッサ３０４に対して命令群およびデータを提供する。メモリ３０６の一部は、また、不揮発性ランダム・アクセス・メモリ（ＮＶＲＡＭ：non-volatile random access memory）を含み得る。プロセッサ３０４は、通常、メモリ３０６内に格納されたプログラム命令群に基づいて論理演算および算術演算を実行する。メモリ３０６における命令群は、本明細書に記述された方法をインプリメントするように実行可能であり得る。
【００５６】
無線デバイス３０２は、また、無線デバイス３０２と遠隔地との間のデータの送受信を可能にするように、送信機３１０および受信機３１２を含み得るハウジング３０８を含み得る。送信機３１０および受信機３１２は、トランシーバ３１４へ組み合わされ得る。単一のもしくは複数の送信アンテナ３１６は、ハウジング３０８へ取り付けられ得、かつ、トランシーバ３１４へ電気的に結合され得る。無線デバイス３０２は、また、複数の送信機、複数の受信機、複数のトランシーバを含み得る（図示せず）。
【００５７】
無線デバイス３０２は、トランシーバ３１４によって受信される信号のレベルを検出しかつ定量化することを目的として使用され得る、信号検出器３１８を含み得る。信号検出器３１８は、そうした信号を、全エネルギー、シンボル毎のサブキャリア毎のエネルギー、パワー・スペクトル密度、およびその他の信号として検出し得る。無線デバイス３０２は、また、信号を処理する際に使用するための、デジタル信号プロセッサ（ＤＳＰ：digital signal processor）３２０を含み得る。
【００５８】
無線デバイス３０２の様々なコンポーネントは、バス・システム３２２とともに結合され得、それは、データ・バスに加えて、電力バス、制御信号バス、状態信号バス、を含み得る。
【００５９】
一例のフレーム構造
通信するために、無線ネットワーク（例えば、図１中に示されたシステム１００）中のアクセス・ポイント（ＡＰ）１１０およびユーザ端末１２０は、特定のフレーム構造に応じてメッセージを交換し得る。図４は、本開示の特定の態様に従う、無線通信のための一例のフレーム構造４００を示す。送信要求（ＲＴＳ：Request to Send）フレームもしくは送信許可（ＣＴＳ：Clear to Send）フレームなどの短い制御フレームは、このフレーム構造を備え得る。フレーム構造４００は、プリアンブル５００、媒体アクセス制御（ＭＡＣ：Media Access Control）ヘッダー４０２、フレーム・ボディ４０４、および、フレーム検査シーケンス（ＦＣＳ：frame check sequence）４０６、を備え得る。
【００６０】
図５は、本開示の特定の態様に従う、プリアンブル５００の一例の構造を示す。プリアンブル５００は、全レガシー部分５０２（つまり、ビームフォーミングされていない部分）および、プリコーディングされた802.11ac  VHT（ベリー・ハイ・スループット（Very High Throughput））部分５０４を備え得る。レガシー部分５０２は、レガシー・ショート・トレーニング・フィールド（L-STF）５０６、レガシー・ロング・トレーニング・フィールド５０８、レガシー信号(L-SIG)フィールド５１０、および、２つのVHT信号A（VHT-SIG-A）フィールド５１２、５１４内の２つのOFDMシンボルを備え得る。特定の態様に関して、レガシー部分５０２は、また、STAの特定の組がMU-MIMO伝送の空間ストリームを受信するであろう全てのサポートされたSTAに対して伝達するために、グループ識別子(ID)フィールド５１６を備え得る。
【００６１】
プリコーディングされた802.11ac  VHT部分５０４は、VHTショート・トレーニング・フィールド(VHT-STF)５１８、VHTロング・トレーニング・フィールド１（VHT-LTF1）５２０、VHTロング・トレーニング・フィールド（VHT-LTF）５２２、VHT信号B（VHT-SIG-B）フィールド５２４、および、データ部分５２６を備え得る。VHT-SIG-Bフィールド５２４は、1個のOFDMシンボルを備え得、かつ、送信プリコーディングされ／ビームフォーミングされ得る。
【００６２】
例の複数のチャネル動作に関するＲＴＳおよびＣＴＳ
IEEE802.11acは、802.11ネットワーク中でより高い処理能力を可能にするIEEE802.11規格に対する補正である。より高い処理能力は、MU-MIMO（複数ユーザの複数入力・複数出力）および、８０MHzもしくは１６０MHzチャネル帯域幅の使用など、複数の手段を通して実現される。802.11acは、また、ベリー・ハイ・スループット（VHT）と呼ばれ得る。
【００６３】
802.11acネットワークでは、基本のチャネル・ユニットはおよそ２０MHzの幅である。各々のPPDU（物理層変換プロトコル（PLCP）プロトコル・データ・ユニット）は、２０MHz、４０MHz、８０ＭＨz、もしくは１６０MHz、（つまり、１個、２個、４個、もしくは８個の２０MHzチャネル）に及ぶことが出来る。各々の送信エンティティは、データを伝送するために用いられる複数のチャネルからの主要チャネルを割り当てられている。伝送手順は、用いられることが出来る複数のチャネルを決定するために、主要チャネル上で検知する実在搬送波および仮想搬送波と、もう一方のチャネル上で検知する実在搬送波を実行することからなる。
【００６４】
しかしながら、より広いＰＰＤＵ帯域幅および隠れたノードのより高い尤度が原因で、ＰＰＤＵの帯域幅を決定するよりも前に、受信機周りの自由（つまり、利用可能な）チャネルを決定する必要がある。結果として生じるPPDUは、送信エンティティ周りの「自由な」帯域幅と、受信エンティティ周りの自由な帯域幅のうち、より劣った方に及ぶだろう。
【００６５】
したがって、必要とされていることは、受信機周りの自由な帯域幅を有効に決定するための技法および装置である。さらに、そうした帯域幅の決定は、好ましくは無線媒体を指定し、かつ隠れたノードからの伝送を保護し、その他のSTAに関するネットワーク割り当てベクトル（NAV ：Network Allocation Vector）カウンタを設定することを可能にするだろう。
【００６６】
図６は、本開示の特定の態様に従う、帯域幅発見に関する単一のＲＴＳ／ＣＴＳフレーム交換６００の一例を示す。ＩＥＥＥ８０２．１１ａｃ補正に応じる８０ＭＨｚ伝送に関して、送信要求（ＲＴＳ）フレーム６０２などの短い制御フレームは、データを送信するために送信エンティティ（例えば、ＡＰ１１０）から４個の２０ＭＨｚチャネル（ＣＨ１−ＣＨ４）に送信され得る。複製（duplicate）モードでは、主要チャネル（例えば、ＣＨ１）に送信されるべきＲＴＳフレーム６０２は、示されたように主要チャネルを介して送信されたＲＴＳフレームと同時に、その他のチャネル（例えば、ＣＨ２−ＣＨ４）を介してコピーされ、かつ送信され得る。
【００６７】
受信エンティティ（例えば、ユーザ端末１２０）は、受信エンティティ周りで、送信されたＲＴＳフレームおよび利用可能となるように決定されたチャネルを介して、チャネルを決定し得る。受信エンティティは、それから、利用可能なチャネル（例えば、ＣＨ１−ＣＨ２）に対して受信されたＲＴＳフレーム６０２に応じて、送信許可（ＣＴＳ）フレーム６０４などの短い制御フレームを送信し得る。
【００６８】
送信エンティティは、送信されたＣＴＳフレーム６０４を介してチャネルを決定し得る。送信エンティティは、続いて、利用可能なチャネル（送信されたＣＴＳフレーム６０４上のチャネル）を介してデータ６０６を送信し得る。図６に示されたとおり、データを送信するために用いられるべき帯域幅は、IEEE802.11ac補正に基づいて、４０MHｚ（つまり、２つの２０MHzチャネル）であり得る。
【００６９】
総括として、本開示の態様は、第１に、送信機・受信機間の利用可能な帯域幅（BW）情報をいかにして交換するか、を取り扱う。この帯域幅情報の交換は、実際に送信されたＲＴＳ／ＣＴＳフレーム内のチャネルを決定することによって暗黙に実行され得るか、あるいは明白に実行され得る。明白な帯域幅情報交換は、レガシー（ＩＥＥＥ８０２．１１ａ／ｂ／ｇ補正に基づいてすでに存在している）・フレーム・フォーマット（本明細書では、レガシーＲＴＳフレームと呼ばれる）内の情報を隠すことによって、あるいは、帯域幅情報フィールドを搬送する新しいフレーム・フォーマット（本明細書では、ＶＨＴ  ＲＴＳフレームと呼ばれる）を定義することによって、達成され得る。
【００７０】
本開示の特定の態様は、また、送信機および受信機に関する保護を提供するために、いかにしてＲＴＳ／ＣＴＳフレームを送信するか、を取り扱う。ここで記述されたように、保護は、一般に、データ・フレームを送信するため、および、関連する肯定応答（ＡＣＫ：acknowledgement）フレームを受信するために十分長い時間間隔に関する無線媒体を指定するＲＴＳ／ＣＴＳ機構に言及する。
【００７１】
特定の態様は、レガシー・プリアンブルおよびレガシー・フレーム・フォーマットを使用してＲＴＳ／ＣＴＳ交換を実行し得る。ＲＴＳ／ＣＴＳフレームは、データ伝送をカバーするためにＮＡＶ情報を搬送し得る。これは、十中八九、レガシーＳＴＡおよびＶＨＴ  ＳＴＡに対する保護を提供し得る。そうした態様は、暗黙のあるいは明白な帯域幅シグナリング機構を採用し得る。
【００７２】
特定のその他の態様は、ＢＷ情報を含むＶＨＴフレーム・フォーマット、および、レガシー・プリアンブルもしくはＶＨＴプリアンブルを使用してＲＴＳ／ＣＴＳ交換を実行し得る。ＲＴＳ／ＣＴＳフレームは、データ伝送をカバーするためにＮＡＶ情報を搬送し得る。これは、十中八九、レガシーＳＴＡおよびＶＨＴ  ＳＴＡに対する保護を提供し得る。しかしながら、レガシーＳＴＡは、ＶＨＴ  ＲＴＳフレームがレガシーＲＴＳフレームと同じ動作をトリガーし得ない、という事実に基づいて、ペナルティーを科され得る。
【００７３】
特定のその他の態様は、明白なＢＷ情報を含む、ＶＨＴフレーム・フォーマットおよびレガシー・プリアンブルもしくはＶＨＴプリアンブルを使用して、ＲＴＳ／ＣＴＳ交換を実行し得る。ＲＴＳ／ＣＴＳ  ＮＡＶは、ＲＴＳ／ＣＴＳ交換だけをカバーするように設定され得る。この最初のＲＴＳ／ＣＴＳ交換は、レガシー・プリアンブルおよびレガシー・フレーム・フォーマットを使用して次のＲＴＳ／ＣＴＳ交換に引き続かれ得る。こうしたレガシーＲＴＳ／ＣＴＳフレームは、データ伝送をカバーするようにＮＡＶ情報を搬送し得る。これは、十中八九、レガシーＳＴＡおよびＶＨＴ  ＳＴＡに対して保護を提供し得る。
【００７４】
特定のその他の態様は、明白なＢＷ情報を伴って、ＶＨＴフレーム・フォーマットおよびレガシー・プリアンブルもしくはＶＨＴプリアンブルを伴う次のＲＴＳ／ＣＴＳフレーム交換に続かれる、レガシー・プリアンブルおよびレガシー・フレーム・フォーマットを使用して最初のＲＴＳ／ＣＴＳ交換を実行し得る。
【００７５】
図７は、実際に送信される制御フレーム内のチャネルに基づいて帯域幅情報を暗黙に交換するための、例の動作７００を示す。動作７００は、ＡＰ１１０などの送信エンティティによって実行され得る。動作７００は、７０２において、装置（例えば、受信エンティティ）に対して、装置に対してデータを送信するために望ましい各々の１つまたは複数のチャネル上で第１制御フレームを送信することによって、開始し得る。７０４において、第２制御フレームは、各々の少なくとも一部のチャネル上で受信され得、ここで、チャネルの一部分中のチャネルは装置で利用可能である。７０６において、送信エンティティは、少なくとも一部のチャネルを利用してデータを送信し得る。
【００７６】
図８は、実際に送信された制御フレーム内のチャネルに基づいて帯域幅情報を暗黙に交換するための例の動作８００を示す。動作８００は、ユーザ端末１２０などの受信エンティティによって実行され得る。動作８００は、８０２において、装置（例えば、受信エンティティ）において、装置に対してデータを送信するために望ましい各々の１つまたは複数のチャネル上で第１制御フレームを受信することによって、開始し得る。８０４において、第１制御フレームを受信したことに応答して、受信エンティティは、各々の少なくとも一部のチャネルに対して、第２制御フレームを送信し得、ここで、チャネルの一部分中のチャネルは、装置で利用可能である。８０６において、受信エンティティは、少なくとも一部のチャネルを利用して送信されたデータを受信し得る。
【００７７】
方法１
第１の方法は、（１）送信されているＲＴＳ／ＣＴＳフレーム内のチャネルは暗黙にＢＷ情報を表す、（２）保護レベルを定義する、といった本開示の２つの態様を一緒に取り扱う。この方法は、複製モードまたはコピー・モードを使用して送信されたＲＴＳフレームおよびＣＴＳフレームを利用することを備え得る。言い換えると、主要（２０ＭＨｚ）チャネルを介して送信されるべきＲＴＳ  ＰＰＤＵは、送信機が送信用を目的とする他の２０ＭＨｚチャネルの全てもしくは一部にコピーされる。
【００７８】
ＲＴＳフレームは、IEEE802.11a補正に基づいたプリアンブルおよびフレーム・フォーマットを使用することによって送信され得る（また、レガシーRTSフレームと呼ばれる）。ここで留意すべきは、そうしたRTSフレームが送信された帯域幅の明白な指示を搬送しない、ことである。むしろこの方法は、送信されるRTSフレーム（のコピー）をチャネル上で検出するための受信機の能力に頼っている。
【００７９】
この方法のステップは、以下のステップを備え得る。
【００８０】
ステップ１：送信エンティティ（例えば、「TxSTA」と記された送信局）は、TxSTAで自由となるように検知されたチャネルを介して、複製モードを使用して１つまたは複数のRTSフレームを送信し得る。こうした自由チャネルは、データを送信するために望ましいチャネル（つまり、希望のチャネル）を表し得る。自由チャネルの定義は、無線媒体が、送信開始前にPIFS（点局座標機能（point coordination function：PCF）フレーム間空間）時間に関してアイドル状態であったことを指示する検知するキャリアを有することを含み得る。例えば、RTSフレーム６０２は、図６に示されたとおり、CH1-CH4上に送信され得る。
【００８１】
ステップ２：受信エンティティ（例えば、「RxSTA」と記された受信局）は、RTSフレームを受信し、かつ、RTSフレームが、複数チャネルのショート・トレーニング・フィールド（STF）検出などの任意の様々な適用可能な技法を使用して送信されたことを介して、チャネルを決定し得る。ここで留意すべきは、この検出が、明白なシグナリングは用いないが、物理（PHY）層で信号検出能力に頼る、ことである。「CH_RTS」は、受信機で決定されるチャネルを受信されたRTSフレームを介したチャネルであるように記すものとする。
【００８２】
ステップ３：RxSTAは、RxSTA周りで自由であるように決定されているCH_RTSのサブセット上で、TxSTAに対して１つまたは複数のCTSフレームを送信し得る。例えば、CTSフレーム６０４は、図６に示されたようにCH1-CH2上で送信され得る。
【００８３】
ステップ4：TxSTAは、RxSTAによって送信されたCTSフレームを受信し得、かつ、送信されたCTSフレームを介してチャネルを決定し得る。TxSTAは、それから、送信されたCTSフレーム上でチャネル（例えば、図６に示されたようにＣＨ１−ＣＨ２）を介してデータを送信し得る。ここで留意すべきは、受信されたＣＴＳフレーム上のチャネルの決定が、明白なシグナリングを使用しないが、ＰＨＹ層で信号検出能力に頼る、ことである。
【００８４】
図９は、制御フレームを介して帯域幅情報を明白に交換するための例の動作９００を示す。動作９００は、ＡＰ１１０などの送信エンティティによって実行され得る。動作９００は、９０２において、装置（例えば、受信エンティティ）に対して、装置に対してデータを送信するために希望の帯域幅を指示する第１制御フレームを送信することによって、開始し得る。９０４において、送信エンティティは、装置の利用可能な帯域幅を指示する第２制御フレームを受信し得る。送信エンティティは、９０６において、希望の帯域幅と利用可能な帯域幅のうちより劣った方に基づいてデータを送信し得る。
【００８５】
図１０は、制御フレームを介して帯域幅情報を明白に交換するための例の動作１０００を示す。本動作は、ユーザ端末１２０などの受信エンティティによって実行され得る。動作１０００は、１００２において、装置（例えば、受信エンティティ）において、装置に対してデータを送信するために希望の帯域幅を指示する第１制御フレームを受信することによって、開始し得る。１００４において、第１制御フレームを受信したことに応答して、装置は、装置に対して利用可能な帯域幅を指示する第２制御フレームを送信し得る。１００６において、装置は、希望の帯域幅と利用可能な帯域幅のうちより劣った方を利用して送信されたデータを受信し得る。
【００８６】
方法２
第２の方法は、ＢＷ情報交換だけを取り扱う。方法２は、レガシー・フレーム・パケット・プリアンブルまたはＶＨＴフレーム・パケット・プリアンブルのどちらかを使用して送信されているＲＴＳ／ＣＴＳフレーム内に送信された帯域幅情報が含まれているということで、方法１とは異なる。方法２で解決されるべき主な問題は、帯域幅情報を含むＲＴＳ／ＣＴＳフレームが、レガシー・デバイスに関して有効なＲＴＳ／ＣＴＳフレームとして未だに機能することを確実にする、ことである。これを達成するための複数の技法が、方法２に関して以下に記述されている。
【００８７】
ＲＴＳ／ＣＴＳフレームのデュレーション・フィールドを使用すること（バージョン１）
この第１の技法を伴うアイデアは、帯域幅指示器としてＭＡＣヘッダー４０２のデュレーション・フィールド４０８の、２個以上の最下位ビット（ＬＳＢ：least significant bit）などの、ビットを使用することである。この方法で、帯域幅指示は、レガシーＲＴＳフレームまたはレガシーＣＴＳフレーム内に「隠された状態」であり得る。２個のビットは、２０ＭＨｚ、４０ＭＨｚ、８０ＭＨｚ、１６０ＭＨｚ帯域幅の使用を指示するために十分である。ここで留意すべきは、デュレーション・フィールド４０８が、マイクロ秒（μｓ）で時間を示す、ことである。特定の態様に関して、デュレーション・フィールド４０８の少なくとも１個の最上位ビット（ＭＳＢ：most significant bit）は、デュレーション・フィールドが帯域幅情報を含んでいることを指示し得る。
【００８８】
ステップ１：送信エンティティは、送信されるべきデータに基づいて送信時間Ｔを計算し得、T1=4*ceil(T/4)を定義し得、T_RTS=T1+（ＢＷを指示するためのＬＳＢ）を定義し得、かつ、送信されるＲＴＳフレームのデュレーション・フィールドをＴ＿ＲＴＳに設定し得る。
【００８９】
ステップ２：ＲＴＳフレームの意図された受容するものであるＶＨＴの能力のあるＳＴＡは、第１にＬＳＢをゼロに設定することによって（ＲＴＳのデュレーション・フィールド４０８内の）Ｔ＿ＲＴＳから取得される、Ｔ１に基づいて希望の指定終了時間を決定し得る。レガシーＳＴＡ−あるいはＲＴＳフレームの意図された受容するものではないＶＨＴ  ＳＴＡは、指定された時間をＴ＿ＲＴＳに単に設定し得る。
【００９０】
ステップ３：ＶＨＴ能力のあるＲｘＳＴＡは、ＣＴＳに関するデュレーション・フィールド（Ｔ＿ＣＴＳと定義される）を以下のように計算し得る。
【００９１】
Ｔ＿ＣＴＳ＝Ｔ１＋（ＲｘＳＴＡで利用可能なＢＷを指示するためのＬＳＢ）
ステップ４：ＴｘＳＴＡは、使用されるべき利用可能な帯域幅を決定するために、ＲｘＳＴＡからＣＴＳフレームを受信し得、かつ、デュレーション・フィールドのＬＳＢを使用し得る。
【００９２】
ＲＴＳ／ＣＴＳのデュレーション・フィールドを使用すること（バージョン２）
この第２の技法は、以下に記述される特定の変更を伴って、バージョン１と同じスキームを使用し得る。ここで留意すべきは、ＣＴＳフレームが、ＲＴＳによって設定されるＮＡＶをわずかに拡張するかもしれない、ことである。この問題を避けるために、デュレーション・フィールドは、十分なマージン内で組み込まれるように、４μｓで「事前に」増大され得る。
【００９３】
ステップ１：送信エンティティは、送信されるべきデータに基づいて、送信時間Ｔを計算し得、T1=4*(1+ceil(T/4))を定義し得、Ｔ＿ＲＴＳ＝Ｔ１＋（ＢＷを指示するためのＬＳＢ）を定義し得、かつ、送信されるべきＲＴＳのデュレーション・フィールド４０８をＴ＿ＲＴＳに設定し得る。
【００９４】
ステップ２：バージョン１のステップ２と同じ。
【００９５】
ステップ３：ＶＨＴ能力のあるＲｘＳＴＡは、Ｔ＿ＣＴＳ＝Ｔ１−（ＲｘＳＴＡで利用可能なＢＷを指示するためのＬＳＢ）に基づいて、ＣＴＳフレームに関するデュレーション・フィールド（Ｔ＿ＣＴＳと定義される）を計算し得る。
【００９６】
ステップ４：バージョン１のステップ４と同じ。
【００９７】
Ｌ−ＳＩＧフィールドを使用すること
特定の態様に関して、ＲＴＳ／ＣＴＳフレームは、レガシー・プリアンブルを備え得る。このレガシー・プリアンブルは、レガシー信号（Ｌ−ＳＩＧ）フィールド５１０を有し得、Ｌ−ＳＩＧフィールドの１ビットは、ＲＴＳ／ＣＴＳフレームが帯域幅情報を含むかどうかを指示するために使用され得る。特定の態様に関して、Ｌ−ＳＩＧフィールドの同位相（Ｉ）成分もしくは直交（Ｑ）成分の少なくとも１つは、ＲＴＳフレームまたはＣＴＳフレームが帯域幅情報を含むかどうかを指示し得る。
【００９８】
Ｌ−ＳＩＧフィールドの使用は、方法２に開示されたその他の技法と組み合わされ得る。例えば、デュレーション・フィールド４０８の２つのＬＳＢは、Ｌ−ＳＩＧフィールドの1ビットが、デュレーション・フィールドが帯域幅情報を含むことを指示し得る一方で、レガシーＲＴＳ／ＣＴＳフレーム内の帯域幅情報を指示し得る。
【００９９】
サービス・フィールド・ビットを使用すること
特定の態様に関して、サービス・フィールド・ビットは、帯域幅指示として使用され得る。スクランブラ初期化に使用されると、サービス・フィールドは、データ・フィールド（データ部分５２６）の第１部分（例えば、第１の１６ビット）を備え得る。１つのオプションとして、（IEEE802.11a補正に基づいた）９個の指定されたサービス・ビットのうち任意の２個は、帯域幅を指示するために使用され得る。特定の態様に関しては、また、パリティに関する１個の追加のビットが含まれ得る。
【０１００】
第２のオプションとして、スクランブラ初期化シードは、帯域幅を指示するために使用され得る。この第２のオプションを利用する特定の態様に関して、スクランブラ・シードは、各々の帯域幅に関して定義され得る。例えば、４個すべてのスクランブラ・シードは、２０MHz、４０MHz、８０MHz、１６０MHzに関して定義され得る。その他の態様に関して、各々の基本サービス・セット（BSS ：Basic Service Set）のTxSTAは、各々の帯域幅に関するスクランブラ中で用いられるようにビットを定義し得る。
【０１０１】
レガシー受信機STAは、影響されないものとする。RTSを受信するVHT能力のあるSTAは、RTSの送信機アドレスを検査し得る。RTSがVHT STAによって送信された場合、受信機STAは、BWを決定するためにスクランブラ・フィールド内で情報を使用し得る。RTSがレガシーSTAによって送信された場合、受信機STAは、１つのBW情報も送信されていなかった、ことを判断し得る。
【０１０２】
フレーム制御ビットを使用すること
特定の態様に関して、RTS/CTSフレームのMACヘッダー４０２のフレーム制御フィールド４１０内のビットは、帯域幅指示として使用され得る。現在、７個の「使い道の無い」ビットがあり、全て０に設定されている。特定の態様に関して、フレーム制御ビットの１つは、RTS/CTSフレームが帯域幅情報を伴うRTS/CTSフレームの新しいタイプである、ことを指示するために使用され得、かつ、２つ以上のその他のビットは、帯域幅情報を指示するために使用され得る。
【０１０３】
NAVビットを使用すること
特定の態様に関して、NAVの２個以上のビット（例えば、２個のLSB）は、帯域幅指示として使用され得る。RTSフレームを受信するVHT STAは、RTSフレームがVHT STAによって送信されたことを通知され得る。そうした通知は、STAのタイプ（つまり、レガシーＳＴＡ対VHT STA）を指示し得る、発信者のアドレスを使用して提供され得る。
【０１０４】
上で記述された技法に加えて、その他の技法は、RTS/CTSフレーム内に含まれた帯域幅情報を交換するために用いられ得る。特定の態様に関して、物理層（PHY）レガシー・プリアンブル内のビットは、帯域幅情報を指示するために再利用され得る。しかしながら、これは、レガシーSTAに対して悪影響を有し得る。
【０１０５】
方法３
第３の方法は、更新された802.11acプリアンブルを使用することを含む。この方法は、媒体指定に関するフレーム交換およびBW情報交換を一緒に対処する。
【０１０６】
ステップ１：TxSTAは、RTS  PPDUのデータ部分に関して複製モードを使用してVHT（802.11ac）プリアンブルを伴いRTSフレームを送信し得る。動作の複製モードをシグナリングする目的で、VHT-SIG-Aフィールド５１２の現在指定されたビットの１つは、複製モードを意味するように再分類され得る。この複製モード・ビットは「１」に設定され得、かつ、チャネル帯域幅ビットは送信されているRTSフレームを介して帯域幅を意味し得る。
【０１０７】
ステップ２：RxSTAは、RTSフレームを受信し得、かつ、RTSフレーム内のチャネル帯域幅指示器および複製モード・ビットの組み合わせを使用して送信されたRTSを介して、チャネルを決定し得る。CH_RTSは、受信機で決定されるチャネルを受信されたRTSを介したチャネルであるように意味し得る。
【０１０８】
ステップ３：RxSTAは、RxSTA周りで自由であるように決定されるCH_RTSのサブセットに関してTxSTAに対してCTSフレームを送信し得る。１個よりも多くの２０MHｚチャネルが使用される場合、VHT-SIG-A複製モード・ビットは、決定され得、かつ、チャネル帯域幅ビットは送信されているCTSを介して帯域幅を指示し得る。
【０１０９】
ステップ４：TxSTAは、RxSTAによって送信されたCTSフレームを受信し得る。TxSTAは、（VHT-SIG-Aからの情報を使用して）送信されたCTSを介してチャネルを決定し得、かつ、送信されたCTSに関するチャネルを介してデータを送信し得る。
【０１１０】
方法４
第４の方法は、BW情報交換だけを取り扱う。方法４では、（VHT-RTSと呼ばれる）RTSフレームの新しいフォーマットが定義され得る。ここで留意すべきは、これは、フレーム・フォーマットに言及し、PHYプリアンブルには言及しない、ことである。当該プリアンブルは、レガシー・プリアンブルあるいはVHTプリアンブルであり得る。レガシー・プリアンブルと共に送信されたとき、レガシーSTAは、十中八九、信号を復号することができ得るが、VHT-RTSフレームは、それらに対してRTSフレームのようには見えないだろう。レガシーSTAは、デュレーション・フィールド４０８に応じて、ネットワーク割り当てベクトル（NAV）を単に設定するだろう。VHT-RTSフレーム中のデュレーション・フィールドは、CTSフレームの受信、ショート・フレーム間スペース（SIFS）、および、それに続くデータの送信のために十分な時間をカバーする、NAVを指示し得る。
【０１１１】
VHT-RTSフレーム・フォーマットは、BWの明白な指示を伴う新しいフィールドを含み得る。同様に、（VHT-CTSと呼ばれる）CTSに関する新しいフレーム・フォーマットは、BWを指示するフィールドを含んで、定義され得る。新しいRTS/CTSフレームは、新しい制御フレームであり得るか、あるいは制御ラッパー（wrapper）を使用し得る。
【０１１２】
方法５
この第５の方法で、RTS/CTSフレームは、特定の数のビットを有するハイ・スループット制御（HTC）フィールドを備え得る。特定の態様に関して、２個以上のHTCフィールドのビットは、希望の帯域幅を指示し得る。
【０１１３】
方法６
第６の方法は、保護に関するフレーム交換を取り扱う。方法６では、明白なBW情報を含んでいるVHT RTS/CTSフレームが、利用可能なBWを発見する目的で交換され得る。VHT RTS/CTSによって設定されたNAVは、データ交換ではなく、RTS/CTS交換だけをカバーし得る。図１１は、方法６に従う、帯域幅発見に関する二重のRTS/CTS交換１１００の一例を示す。
【０１１４】
第１に、TxSTAは、既知の自由チャネル（例えば、図１１に示されたようなCH1-CH4）上で、レガシー複製プリアンブルもしくはVHTプリアンブルを伴う１つまたは複数のVHT-RTSフレーム１１０２を送信し得る。第２に、RxSTAは、VHT-RTSフレーム１１０２によって指示されたチャネル（例えば、図１１に示されたようなCH1-CH2）の中の既知の自由チャネル上でレガシー複製プリアンブルもしくはVHTプリアンブルを伴う１つまたは複数のVHT-CTSフレーム１１０４を送信し得る。
【０１１５】
前の交換に続いて、レガシーRTS/CTSフレームは、交換され得る。言い換えると、TxSTAは、コピー・モードを使用してVHT-CTSフレーム１１０４によって指示されたチャネル上の複製モード内のレガシー・プリアンブルを伴う１つまたは複数のレガシーRTS（L-RTS）フレーム１１０６を送信し得る。それから、RxSTAは、以前にVHT-CTSフレーム１１０４によって指示された自由チャネル上に複製されたレガシー・プリアンブルを伴うレガシーCTS（L-CTS）フレーム１１０８を送信し得る。レガシーCTSフレーム１１０８を受信した後、TxSTAは、VHT-CTSフレーム１１０４によって指示されたチャネル上でデータ１１１０を送信し得る。
【０１１６】
上述のとおり、VHT-RTS／CTSフレームによって設定されたNAVは、データ交換ではなく、RTS/CTS交換だけをカバーし得る。例えば、VHT-RTSフレーム１１０２内のデュレーション・フィールド４０８は、特定の態様に関して、VHT-CTSフレーム１１０４の受信、ショート・フレーム間スペース（SIFS）、および、それに続くレガシーRTSフレーム１１０６の送信に関して十分な時間をカバーするNAVを指示し得る。その他の態様に関して、VHT−RTSフレーム１１０２内のデュレーション・フィールド４０８は、VHT-CTSフレーム１１０４の受信、第１SIFS、それに続くレガシーRTSフレーム１１０６の送信、第２SIFS、および、レガシーCTSフレーム１１０８の受信に関して十分な時間をカバーするNAVを指示し得る。
【０１１７】
一方、レガシーRTS/CTS機構によって設定されたNAVは、データ交換をカバーし得る。例えば、L-RTSフレーム１１０６内のデュレーション・フィールド４０８は、L-CTSフレーム１１０８の受信、ショート・フレーム間スペース（SIFS）、および、それに続くデータ１１１０の送信に関して十分な時間をカバーするNAVを指示し得る。この方法では、レガシーRTSフレームおよびレガシーCTSフレームによって設定されたNAVは、データの伝送を保護する。
【０１１８】
方法７
上記の方法６に類似して、方法７は、また、明白な帯域幅情報を使用して帯域幅発見に関する二重のRTS/CTS交換を含む。しかしながら、方法７は、VHT-RTS/CTSフレームを交換するよりも前に、レガシーRTS/CTSフレームを交換することを必要とする。
【０１１９】
より詳細には、TxSTAは、主要チャネル上で（あるいは、コピー・モード内の全てのチャネル上で）レガシーRTSフレームを送信し得る。RxSTAは、アイドル状態である全てのチャネル上で、レガシーRTSフレームを受信し得、かつ、レガシーCTSフレームを送信し得る。明白な情報はこれらのフレームによって全く搬送されていないので、（方法１に関して上記のように暗黙に実行されない限り）BW決定は利用可能ではあり得ない。前の交換は、自由チャネル上でコピー・モードを使用してVHTプリアンブルあるいはレガシー・プリアンブルを伴ってVHT-RTSフレームを送信するTxSTAに続かれ得る。VHT-RTSフレームは、送信エンティティ側で自由チャネルを指示し得る。RxSTAは、利用可能なチャネル上でコピー・モードを使用してレガシー・プリアンブルあるいはVHTプリアンブルを伴いVHT-CTSフレームを送信し得る。VHT-CTSフレームは、受信エンティティ側で、自由チャネルを指示し得る。それ以降、TxSTAは、VHT-CTSフレームによって指示されるチャネル上でデータを送信し得る。
【０１２０】
方法８
方法８は、レガシーRTS/CTSフレームの拡張を介して、明白に帯域幅情報を指示することを含み得る。図１２に示されたように、VHT−RTSフレーム１２００（または、VHT-CTSフレーム１２５０）は、レガシーRTSフレーム（またはレガシーCTSフレーム）、および、VHT拡張フィールド（VAF）１２１０（または１２６０）と呼ばれる１個のエクストラ・ピギーバック・シンボルを備え得る。L-SIGフィールド１２０２（または１２５２）によって指示されるデュレーションは、VAFではなく、RTS媒体アクセス制御（MAC）プロトコル・データ・ユニット（MPDU）１２０４（あるいはCTS  MPDU１２５４）だけをカバーし得る。
【０１２１】
方法８は、レガシー・ノードに、RTS/CTSメッセージを復号させ、かつ、NAVを設定させ得る。しかしながら、VHT STAは、L-SIG長さフィールドが、RTSフレームの長さ（２０バイト）あるいはCTSフレームの長さ（１４バイト）を指示する場合、１個のエクストラ・シンボルを復号するように準備し得る。VHT STAは、十中八九、SIFS（ショート・フレーム間スペース）よりも少なくRTSに対して応答することができ、それ故、１２μｓの１まとめ（budget）だけがVAF１２１０、１２６０に対して許容され得る。
【０１２２】
VAFは、様々なデータ・レート・オプションで送信され得る。特定の態様に関して、VAFは、最低レートで送信され得る。その他の態様に関して、VAFは、復号の利点を提供し得る、前のMPDUと同じデータで送信され得る。特定の態様に関して、VAFは、RTS/CTS  MPDUのように、「コピー」モード内で送信され得る。
【０１２３】
VAF１２１０、１２６０の２４ビットだけが、有効であり得る。VAFは、６Mb/sで１個のシンボルに完全に合うように設計され得る。その他のビットは、パディング（padding）あるいは固定パターンに設定され得る。特定の態様に関して、VAF１２１０、１２６０は、少なくとも８ビットの巡回冗長検査（CRC ：Cyclic Redundancy Check）および６テール・ビットを含み得る。８ビットCRCは、頑丈な検出を可能にし得る。２４ビットＶＡＦでは、１０個の情報ビットが、帯域幅を指示するために利用可能であり得る。
【０１２４】
特定の態様に関しては、たとえVHT-RTSフレーム１２００のVAFが検出されなくても、宛先VHT能力のあるSTAは、例えば、主要チャネル上のVHT-CTSフレーム１２５０を送信し得る。
【０１２５】
方法９
第９の方法は、保護のために、BW情報交換とフレーム交換とを一緒に取り扱う。方法９は、以下のステップを含み得る。
【０１２６】
ステップ１：TxSTAは、主要チャネル上で（つまり、２０MHz帯域幅と共に）、複製モード無しでVHTプリアンブルを使用してVHT-RTSフレームを送信し得、かつ、VHT-CTSフレームを受信し得る。
【０１２７】
ステップ２：TxSTAは、次第に増大する帯域幅（例えば、それぞれ２つとそれから４つのチャネルを使用して、４０MHｚとそれから８０MHz）と共にVHT-RTSフレームを送信し得る。
【０１２８】
ステップ３：VHT-CTSフレームが、VHT-RTSフレームよりも狭い帯域幅を指示する上で、ステップ２に応じて受信されている場合、TxSTAは、VHT-RTSを送信することを停止し得、かつ、受信されたVHT-CTSフレームによって指示された帯域幅に応じてデータを送信し得る。VHT-CTSフレームがステップ２に応じて受信されていない場合、TxSTAは、PIFS継続を使用して既知の利用可能なチャネル上でデータを送信し得る。例えば、VHT-CTSフレームがステップ２内のより高い帯域幅に関するＶＨＴ−ＲＴＳフレームに応じて受信されていない場合、TxSTAは、これまで受信されたVHT-CTSフレームの最高の帯域幅でデータを送信し得る。
【０１２９】
図１３は、方法９に従って、次第に増大する送信帯域幅を使用して制御フレームを介して帯域幅情報を交換するための例の動作１３００を示す。動作１３００は、送信エンティティ（例えば、アクセス・ポイント１１０）によって実行され得る。動作１３００は、１３０２において、第１帯域幅を介して第１制御フレームを、装置（例えば、ユーザ端末１２０などの受信エンティティ）に対して送信することによって、開始し得る。１３０４において、送信エンティティは、第１帯域幅を介して第２制御フレームを受信し得る。１３０６において、送信エンティティは、次第に増大する送信帯域幅を介して、第１制御フレームの、装置に対して、送信を繰り返し得る。送信は、（１）第２制御フレームは、特定の帯域幅で送信された第１制御フレームに応じて受信されないが、特定の帯域幅よりも狭い帯域幅で受信されるか、あるいは（２）第２制御フレームは、特定の帯域幅で送信された第１制御フレームに応じてより狭い帯域幅を介して受信されるか、のどちらかまで、繰り返され得る。１３０８において、送信エンティティは、より狭い帯域幅で装置に対してデータを送信し得る。
【０１３０】
明白なBW情報を送信する特定の態様に関して、BW情報は、NAVもしくはRTS/CTSフレームのフレーム制御フィールド４１０内で送信され得る。受信エンティティは、RTSフレームの送信アドレスが、明白なBW情報を決定するよりも前に、複数チャネル能力のあるSTAあるいはその他のエンティティ（つまり、802.11ac、802.11af、またはそれより後の補正をサポートするVHTデバイス）に相当することを検査し得る。特定の態様に関して、RTS/CTSフレームが複数チャネル能力のあるデバイスによって送信されている検査が、表索引に基づき得る。その他の態様に関して、RTS/CTSフレームが複数チャネル能力のあるエンティティによって送信されている検査が、例えば標準化ボディに割り当てられているアドレスの１組に属している−あるいはその範囲内である−アドレスに基づき得る。
【０１３１】
図１４に示されたように、明白なBW情報は、RTSフレーム１４００内で提供され得る。特定の態様に応じて、RTSフレーム１４００は、レガシーRTSに基づき得るがわずかな差を伴う。１個のエクストラ・バイト（１オクテット）を備えるフィールド１４０２は、RTSフレーム内に含まれ得、かつ、FCSフィールド１４０４よりも前にロケートされ得る。エクストラ・バイト・フィールド１４０２は、例えば、（「ＢＷインフォ」フィールドと示される）２ビットのＢＷ指示を備え得る。このフィールド１４０２のその他のビットは、将来のオプション機能のために指定され（「ＲＳＶＤ」と示され）得る。特定の態様に応じて、このフレーム１４００は、IEEE802.11ad補正内でのサブタイプ拡張を使用して定義された新しい制御フレームであり得る。一例として、制御フレームは、802.11ad、拡張されたサブタイプ１０１１に応じて、タイプ制御（０１）およびサブタイプ制御フレーム拡張（０１１０）を使用して定義され得る。別の例として、制御フレームは、タイプ拡張（１１）およびサブタイプVHT-RTS（０００１）を使用して定義され得る。
【０１３２】
図１５に示されたように、明白なBW情報は、CTSフレーム１５００内で提供され得る。特定の態様に応じて、CTSフレーム１５００は、わずかな差を伴うが、レガシーCTSに基づき得る。１個のエクストラ・バイト（８ビット）を備えるフィールド１５０２は、CTSフレーム内に含まれ得、かつ、FCSフィールド１５０４よりも前にロケートされ得る。エクストラ・バイト・フィールド１５０２は、例えば、（「BWインフォ」フィールド１５０６と示される）２ビットのBW指示を備え得る。このフィールド１５０２のその他のビットは、将来のオプション機能のために指定され（「RSVD」と示され）得る。特定の態様に応じて、このフレーム１５００は、IEEE802.11ad補正でのサブタイプ拡張を使用して定義された新しい制御フレームであり得る。一例として、制御フレームは、802.11ad、拡張されたサブタイプ１１００に応じて、タイプ制御（０１）およびサブタイプ制御フレーム拡張（０１１０）を使用して定義され得る。別の例として、制御フレームは、タイプ拡張（１１）およびサブタイプVHT-CTS（００１０）を使用して定義され得る。
【０１３３】
上記の方法および装置は、少なくとも２０ＭＨｚ、４０ＭＨｚ、８０ＭＨｚ、１６０ＭＨｚ、もしくはより高い帯域幅を提供し、ＲＴＳ／ＣＴＳ交換を使用して無線通信のために使用されるべき帯域幅をシグナリングするために様々なオプションを提供する。この帯域幅情報交換に加えて、本開示の態様は、また、複数チャネル内のＮＡＶ保護を可能にし得る。
【０１３４】
上で記述された方法の様々な動作は、対応する機能を実行することができる任意の適した手段によって実行され得る。当該手段は、限定するわけではないが、回路、特定用途向け集積回路（ＡＳＩＣ：application specific integrated circuit）、もしくはプロセッサを含んで、様々なハードウェアおよび／またはソフトウェア・コンポーネントおよび／またはモジュールを含み得る。一般に、図に示された動作があるところでは、それらの動作は、類似の番号付けを伴う、対応する対象物の手段プラス機能コンポーネントを有し得る。例えば、図７に示された動作７００は、図７Ａに示された手段７００Ａに対応する。
【０１３５】
例えば、第１制御フレームおよび／またはデータを送信するための手段は、図２に示されたアクセス・ポイント１１０の送信機ユニット２２２、図２に示されたユーザ端末１２０の送信機ユニット２５４、あるいは、図３に示された無線デバイス３０２の送信機３１０などの送信機を備え得る。受信するための手段は、図２に示されたアクセス・ポイント１１０の受信機ユニット２２２、図２に示されたユーザ端末１２０の受信機ユニット２５４、あるいは、図３に示された無線デバイス３０２の受信機３１２などの受信機を備え得る。受信されたＲＴＳフレームのアドレスを検査するための手段および／または希望のチャネルを決定するための手段は、図２に示されたアクセス・ポイント１１０のＲＸデータ・プロセッサ２４２および／またはコントローラ２３０や、ユーザ端末１２０のＲＸデータ・プロセッサ２７０および／またはコントローラ２８０などの、１つまたは複数のプロセッサを含み得る、処理システムを備え得る。
【０１３６】
ここで用いられたように、用語「決定する」は、幅広い様々なアクションを含んでいる。例えば、「決定する」は、算出する（calculating）、計算する（computing）、処理する、導出する、調べる、検索する（例えば、表、データベース、あるいは別のデータ構造で検索する）、確認する、および類似のアクションを含み得る。また、「決定する」は、受信する（例えば、情報を受信する）、アクセスする（例えば、メモリ内のデータにアクセスする）、および類似のアクションを含み得る。また、「決定する」は、解決する、選択する、選ぶ、確立する、および類似のアクションを含み得る。
【０１３７】
ここで用いられたように、項目のリスト「の少なくとも１つ」という語句は、単一のメンバーを含む、それらの項目の任意の組み合わせを指す。一例として、「ａ、ｂ、ｃの少なくとも１つ」は、ａ、ｂ、ｃ、ａとｂ、ａとｃ、ｂとｃ、および、ａとｂとｃをカバーするように意図されている。
【０１３８】
本開示と関連して記述された様々な例証となる論理ブロック、モジュール、および回路は、汎用プロセッサ、デジタル信号プロセッサ（ＤＳＰ：digital signal processor）、特定用途向け集積回路（ＡＳＩＣ）、フィールド・プログラム可能ゲート・アレイ（ＦＰＧＡ：field programmable gate array）または他のプログラム可能論理デバイス（ＰＬＤ）、離散ゲート、あるいはトランジスタ論理、離散ハードウェア・コンポーネント、あるいは、ここに記述された機能を実行するように設計されたそれらの任意の組み合わせで、インプリメントあるいは実行され得る。汎用プロセッサはマイクロプロセッサであり得るが、代わりの実施形態では、プロセッサは、任意の市販のプロセッサ、コントローラ、マイクロコントローラ、あるいはステート・マシーンであり得る。プロセッサは、また、例えば、ＤＳＰとマイクロプロセッサとの組み合わせ、複数のマイクロプロセッサ、ＤＳＰコアと連携した１つまたは複数のマイクロプロセッサ、あるいは、任意の他のそのような構成である、計算デバイスの組み合わせとしてインプリメントされ得る。
【０１３９】
本開示と関連して記述されたアルゴリズムあるいは方法のステップは、ハードウェアにおいて、プロセッサに実行されたソフトウェア・モジュールにおいて、あるいは、その２つの組み合わせにおいて、直接的に具体化され得る。ソフトウェア・モジュールは、当業者には知られたいずれの形式の記憶媒体に存在し得る。用いられ得る記憶媒体のいくつかの例は、ランダム・アクセス・メモリ（ＲＡＭ）、読み取り専用メモリ（ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭなどを含む。ソフトウェア・モジュールは、単一の命令、あるいは多くの命令を備え得、かつ、異なるプログラムの中で、複数の記憶媒体にわたって、いくつかの異なるコード・セグメントを介して分布され得る。記憶媒体は、プロセッサが記憶媒体から情報を読み取ることができ、記憶媒体に対して情報を書き込むことができるように、プロセッサに対して結合され得る。別の方法では、記憶媒体は、プロセッサに対して不可欠であり得る。
【０１４０】
本明細書に開示された方法は、記述された方法を達成するための１つまたは複数のステップあるいはアクションを備える。方法のステップおよび／またはアクションは、特許請求の範囲から逸脱することなく、お互いに置き換えられ得る。言い換えると、ステップやアクションの具体的な順序が指定されない限り、具体的なステップおよび／またはアクションの順序および／または使用は、特許請求の範囲から逸脱することなく修正され得る。
【０１４１】
記述された機能は、ハードウェアで、ソフトウェアで、ファームウェアで、あるいはそれらの任意の組み合わせでインプリメントされ得る。ハードウェアでインプリメントされた場合、一例のハードウェア構成は、無線ノード内に処理システムを備え得る。処理システムは、バス・アーキテクチャと共にインプリメントされ得る。バスは、全体の設計の制約および処理システムの特定の用途に応じて、任意の数の相互接続バスおよびブリッジを含み得る。バスは、プロセッサ、機械可読媒体、およびバス・インターフェースを含む、様々な回路と共にリンクし得る。バス・インターフェースは、バスを介して処理システムに対して、その他のものの中からネットワーク・アダプタを提供するように使用され得る。ネットワーク・アダプタは、ＰＨＹ層の信号処理機能をインプリメントするように使用され得る。ユーザ端末１２０の場合には（図１を参照）、ユーザ・インターフェース（例えば、キーパッド、ディスプレイ、マウス、ジョイスティック、など）は、また、バスに対して接続され得る。バスは、また、タイミング・ソース、周辺機器、電圧レギュレータ、電源管理回路、および、当業者には知られた類似のもの、などの様々なその他の回路にリンクし得、それ故、それよりは記述されないものとする。
【０１４２】
プロセッサは、機械可読媒体に格納されたソフトウェアの実行を含む、バスおよび一般処理を管理することを担い得る。プロセッサは、１つまたは複数の一般目的および／または特殊目的のプロセッサと共にインプリメントされ得る。例は、マイクロプロセッサ、マイクロコントローラ、ＤＳＰプロセッサ、およびソフトウェアを実行することができるその他の回路を含む。ソフトウェアは、ソフトウェア、ファームウェア、ミドルウェア、マイクロコード、ハードウェア記述言語と呼ばれようと呼ばれまいと、命令、データ、あるいはそれらの組み合わせを意味するように広く解釈されるべきである。機械可読媒体は、一例として、ＲＡＭ（ランダム・アクセス・メモリ）、フラッシュ・メモリ、ＲＯＭ（読み取り専用メモリ）、ＰＲＯＭ（プログラム可能読み取り専用メモリ）、ＥＰＲＯＭ（消去可能プログラム可能読み取り専用メモリ）、ＥＥＰＲＯＭ（電気的に消去可能プログラム可能読み取り専用メモリ）、レジスタ、磁気ディスク、光学ディスク、ハード・ドライブ、あるいは任意のその他の適した記録媒体、あるいは任意のそれらの組み合わせを含み得る。機械可読媒体は、コンピュータプログラム・プロダクトで具体化され得る。コンピュータプログラム・プロダクトは、パッケージング材料を備え得る。
【０１４３】
ハードウェア・インプリメンテーションでは、機械可読媒体は、プロセッサから隔てられた処理システムの一部であり得る。しかしながら、当業者がすぐに十分理解できるように、機械可読媒体あるいはそれらの任意の一部は、処理システムに対して外付けであり得る。一例として、機械可読媒体は、伝送線、データで変換された搬送波、および／または無線ノードから隔てられたコンピュータ・プロダクトを含み得、それら全てが、バス・インターフェースを通してプロセッサによってアクセスされ得る。変わりに、あるいは加えて、機械可読媒体あるいはそれらの一部は、キャッシュおよび／または一般的なレジスタ・ファイルであり得る場合のように、プロセッサへ統合され得る。
【０１４４】
処理システムは、外部バス・アーキテクチャを通してその他の支持回路と共に全てリンクされた、少なくとも一部の機械可読媒体を提供する１つまたは複数のマイクロプロセッサを伴う一般目的処理システムとして構成され得る。その代わりに、回路、および単一チップへ統合された機械可読媒体の少なくとも一部をサポートする、プロセッサ、バス・インターフェース、アクセス端末の場合にはユーザ・インターフェースを、伴うＡＳＩＣ（特定用途向け集積回路）、あるいは、１つまたは複数のＦＰＧＡ（フィールド・プログラム可能ゲ−ト・アレイ）、ＰＬＤ（プログラム可能論理デバイス）はコントローラ、ステート・マシーン、ゲーテッド・ロジック、個別ハードウェア・コンポーネント、あるいはその他の適した回路、あるいは、この開示を通して記述された様々な機能を実行することができる回路の組み合わせ、と共にインプリメントされ得る。当業者は、システム全体に課された全体の設計の制約および特定の用途に応じて処理システムに関して記述された機能をインプリメントすることがいかに最良かを理解するだろう。
【０１４５】
機械可読媒体は、複数のソフトウェア・モジュールを備え得る。ソフトウェア・モジュールは、プロセッサによって実行されたとき、処理システムに様々な機能を実行させる命令を含んでいる。ソフトウェア・モジュールは、送信モジュールおよび受信モジュールを含み得る。各々のソフトウェア・モジュールは、単一の記憶デバイス中に存在し得るか、あるいは複数の記憶デバイスにわたって分布され得る。一例として、ソフトウェア・モジュールは、引き金を引く出来事が生じるとき、ハード・ドライブからＲＡＭへロードされ得る。ソフトウェア・モジュールの実行中、プロセッサは、アクセス速度を増やすために、いくつかの命令をキャッシュへロードし得る。１つまたは複数のキャッシュ線は、それから、プロセッサによる実行のために一般レジスタ・ファイルへロードされ得る。以下のソフトウェア・モジュールの機能に言及するとき、そうした機能は、そのソフトウェア・モジュールからの命令を実行するときにプロセッサによってインプリメントされる、ことを理解されるべきである。
【０１４６】
ソフトウェアでインプリメントされる場合、機能は、コンピュータ可読媒体上で１つまたは複数の命令もしくはコードとして、格納あるいは送信され得る。コンピュータ可読媒体は、１つの場所から別の場所へのコンピュータ・プログラムの転送を用意にする、任意の媒体を含む、通信媒体とコンピュータ記憶媒体との両方を含む。記憶媒体は、コンピュータによってアクセスされることができる任意の利用可能な媒体であり得る。一例として、限定するわけではないが、そうしたコンピュータ可読媒体は、ＲＡＭ、ＲＯＭ、ＥＥＰＲＯＭ，ＣＤ−ＲＯＭ、あるいはその他の光学ディスク・ストレージ、磁気ディスク・ストレージ、あるいはその他の磁気ストレージ・デバイス、あるいは、命令やデータ構造の形式の希望のプログラム・コードを搬送するか格納するように使用されることができ、かつ、コンピュータによってアクセスされることができる任意の他の媒体を備えることができる。また、任意の接続が、厳密にはコンピュータ可読媒体と称される。例えば、ソフトウェアが、同軸ケーブル、光ファイバー・ケーブル、ツイステッド・ペア、デジタル加入者回線（ＤＳＬ）、または、赤外線（ＩＲ）、電波、マイクロ波などの無線技術を使用して、ウェブサイト、サーバ、あるいはその他の遠隔ソース、から伝送される場合、同軸ケーブル、光ファイバー・ケーブル、ツイステッド・ペア、ＤＳＬ、あるいは赤外線、電波、マイクロ波などの無線技術は、媒体の定義に含まれる。ここで使用するような、ディスク（ｄｉｓｋ）およびディスク（ｄｉｓｃ）は、コンパクト・ディスク（ＣＤ）、レーザーディスク（登録商標）、光ディスク、デジタル多用途ディスク（ＤＶＤ）、フロッピー（登録商標）ディスク、および、ブルーレイディスクを含み、ここで、ディスク（ｄｉｓｋ）は通常データを磁気的に再生する一方で、ディスク（ｄｉｓｃ）はレーザによってデータを光学的に再生する。したがって、いくつかの態様では、コンピュータ可読媒体は、非一時的なコンピュータ可読媒体（例えば、具体的な媒体）を備え得る。加えて、その他の態様に関しては、コンピュータ可読媒体は、一時的なコンピュータ可読媒体（例えば、信号）を備え得る。上記の組み合わせは、また、コンピュータ可読媒体の範囲内に含まれるべきである。
【０１４７】
したがって、特定の態様は、ここに表された動作を実行するためのコンピュータ・プログラム・プロダクトを備え得る。例えば、そうしたコンピュータ・プログラム・プロダクトは、そこに格納された（かつ／または符号化された）命令を有するコンピュータ可読媒体を備え得、当該命令は、ここに記述された動作を実行するように１つまたは複数のプロセッサによって実行可能である。特定の態様に関して、コンピュータ・プログラム・プロダクトは、パッケージング材料を含み得る。
【０１４８】
さらに、ここに記述された方法および技法を実行するためのモジュールおよび／またはその他の適切な手段は、適応されるユーザ端末および／または基地局により、ダウンロードされ、かつ／またはさもなければ取得されることができる、ことは十分理解されるべきである。例えば、そうしたデバイスは、ここに記述された方法を実行するための手段の転送を促進するように、サーバに対して結合されることができる。代わりに、ここに記述された様々な方法は、ユーザ端末および／または基地局が、デバイスに対して記憶手段を提供するか結合する上で様々な方法を取得することができるように、記憶手段（例えば、ＲＡＭ、ＲＯＭ、コンパクト・ディスク（ＣＤ）やフロッピー・ディスクなどの物理記憶媒体）を介して提供されることができる。さらに、デバイスに対してここに記述された方法および技法を提供するための任意の他の適切な方法が、利用されることができる。
【０１４９】
特許請求の範囲は、上で示された正確な構成およびコンポーネントに限定されない、ことは理解されるべきである。様々な修正、変更、変形例が、特許請求の範囲から逸脱することなく、上に記述された方法および装置の、構成、動作、詳細中に行われ得る。
【図１】
2013541293.tif 000006
【図２】
2013541293.tif 000007
【図３】
2013541293.tif 000008
【図４】
2013541293.tif 000009
【図５】
2013541293.tif 000010
【図６】
2013541293.tif 000011
【図７】
2013541293.tif 000012
【図７Ａ】
2013541293.tif 000013
【図８】
2013541293.tif 000014
【図８Ａ】
2013541293.tif 000015
【図９】
2013541293.tif 000016
【図９Ａ】
2013541293.tif 000017
【図１０】
2013541293.tif 000018
【図１０Ａ】
2013541293.tif 000019
【図１１】
2013541293.tif 000020
【図１２】
2013541293.tif 000021
【図１３】
2013541293.tif 000022
【図１３Ａ】
2013541293.tif 000023
【図１４】
2013541293.tif 000024
【図１５】
2013541293.tif 000025
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
無線通信のための方法であって、
装置に対して、前記装置に対してデータを送信するための希望の帯域幅を指示する第１制御フレームを送信することであって、前記第１制御フレームは送信要求（ＲＴＳ：Request to Send）フレームを備え、前記ＲＴＳフレームは前記希望の帯域幅を指示する帯域幅情報フィールドを伴うフレーム・フォーマットを備える、送信することと、
前記装置の利用可能な帯域幅を指示する第２制御フレームを受信することであって、前記第１制御フレームを送信することは、前記希望の帯域幅に応じて前記装置に対して前記データを送信するための各々の１つまたは複数のチャネル上で、前記帯域幅情報フィールドを伴い、前記ＲＴＳフレームを送信することを備え、前記第２制御フレームを受信することは、前記装置の前記利用可能な帯域幅に応じて各々の少なくとも一部の前記チャネル上で、送信許可（ＣＴＳ：Clear to Send）フレームを受信することを備える、前記第２制御フレームを受信することと、
前記希望の帯域幅および前記利用可能な帯域幅のより劣った方に基づいて前記データを送信することと、
を備えた方法。
【請求項２】
前記第１制御フレームは、送信要求（ＲＴＳ）フレームを備え、前記ＲＴＳフレームは米国電気電子学会（ＩＥＥＥ：Institute of Electrical and Electronics Engineers）８０２．１１規格に対するＩＥＥＥ８０２．１１ａ補正に応じたレガシー・フレーム・フォーマットを備える、請求項１の方法。
【請求項３】
前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備え、
前記ＲＴＳフレームは、ＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示するか、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示するか、
前記ＲＴＳフレームはＩＥＥＥ８０２．１１ａ補正に応じたスクランブラ初期化シードを有する前記サービス・フィールドを備え、前記サービス・フィールドの前記スクランブラ初期化シードは前記希望の帯域幅を指示するか、
のうちの少なくとも１つである、請求項１の方法。
【請求項４】
前記Ｌ−ＳＩＧフィールドの同位相（Ｉ）成分または直交（Ｑ）成分の少なくとも１つは、前記ＲＴＳフレームが前記希望の帯域幅を指示することを指示する、請求項３の方法。
【請求項５】
前記第１制御フレームは送信要求（ＲＴＳ）フレームを備え、前記ＲＴＳフレームはデュレーション・フィールドを備え、前記デュレーション・フィールドの２個以上の最下位ビット（ＬＳＢ）は前記希望の帯域幅を指示する、請求項１の方法。
【請求項６】
前記デュレーション・フィールドの少なくとも１個の最上位ビット（ＭＳＢ）は、前記ＲＴＳフレームが前記希望の帯域幅を指示することを指示する、請求項５の方法。
【請求項７】
前記第１制御フレームは送信要求（ＲＴＳ）フレームを備え、前記ＲＴＳフレームはフレーム制御フィールドを備え、前記フレーム制御フィールドの２個以上のビットは、前記希望の帯域幅を指示する請求項１の方法。
【請求項８】
前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、請求項１の方法。
【請求項９】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットの１個は、前記複製モードを指示する、請求項８の方法。
【請求項１０】
前記第１制御フレームは送信要求（ＲＴＳ）フレームを備え、前記ＲＴＳフレームはハイ・スループット制御（ＨＴＣ）フィールドを備え、前記ＨＴＣフィールドの２個以上のビットは前記希望の帯域幅を指示する、請求項１の方法。
【請求項１１】
前記第１制御フレームは送信要求（ＲＴＳ）フレームを備え、前記第２制御フレームは送信許可（ＣＴＳ）フレームを備え、前記ＲＴＳフレームは、前記ＣＴＳフレームの受信、ショート・フレーム間スペース（ＳＩＦＳ）のための時間、および前記データの送信をカバーするネットワーク割り当てベクトルを指示するデュレーション・フィールドを備える、請求項１の方法。
【請求項１２】
前記ＲＴＳフレームは、
前記帯域幅情報フィールドを伴う前記フレーム・フォーマットと、
米国電気電子学会（ＩＥＥＥ）８０２．１１規格に対するＩＥＥＥ８０２．１１ａ補正に応じたレガシー・プリアンブルあるいは複製モードが前記ＲＴＳフレームのデータ部分のために使用されるかどうかを指示するプリアンブルと、
を備える、請求項１の方法。
【請求項１３】
前記装置に対して、米国電気電子学会（ＩＥＥＥ）８０２．１１規格に対するＩＥＥＥ８０２．１１ａ補正に応じたレガシーＲＴＳフレームを送信することであって、前記ＲＴＳフレームは、各々の少なくとも一部の前記チャネル上で複製される、送信することと、
ＩＥＥＥ８０２．１１ａ補正に応じたレガシーＣＴＳフレームを受信することであって、前記レガシーＣＴＳフレームは各々の前記少なくとも一部の前記チャネル上で複製され、レガシーＲＴＳおよびレガシーＣＴＳフレームに設定され複製される第１のネットワーク割り当てベクトル（ＮＡＶ：Network Allocation Vector）は前記データの伝送を保護する、受信することと、
を更に備える、請求項１の方法。
【請求項１４】
前記ＲＴＳフレームは、前記ＣＴＳフレームの受信、ショート・フレーム間スペース（ＳＩＦＳ）のための時間、および前記レガシーＲＴＳフレームの送信をカバーする第２ネットワーク割り当てベクトル（ＮＡＶ）を指示するデュレーション・フィールドを備える、請求項１３の方法。
【請求項１５】
前記装置に対して、各々の第１組のチャネル上で複製され、あるいは主要チャネル上で、米国電気電子学会（ＩＥＥＥ）８０２．１１規格に対するＩＥＥＥ８０２．１１ａ補正に応じたレガシーＲＴＳフレームを送信することと、
少なくとも一部の前記第１組のチャネル上でＩＥＥＥ８０２．１１ａ補正に応じたレガシー送信許可（ＣＴＳ）フレームを受信することであって、前記少なくとも一部の前記第１組のチャネルは前記装置でアイドル状態であり、前記第１制御フレームを送信することは、前記レガシーＣＴＳフレームを受信後に、前記希望の帯域幅に応じて前記装置に対して前記データを送信するための各々の第２組のチャネル上で、前記帯域幅情報フィールドと共に、前記ＲＴＳフレームを送信することを備え、前記第２制御フレームを受信することは、前記装置の前記利用可能な帯域幅に応じて各々の少なくとも一部の前記第２組のチャネル上でＣＴＳフレームを受信することを備える、受信することと、
をさらに備える、請求項１の方法。
【請求項１６】
無線通信のための装置であって、
別の装置に対して、前記別の装置にデータを送信するために希望の帯域幅を指示する第１制御フレームを送信するように構成された送信機と、
前記別の装置の利用可能な帯域幅を指示する第２制御フレームを受信するように構成された受信機であって、前記送信機は、前記希望の帯域幅および前記利用可能な帯域幅のより劣った方に基づいて前記データを送信するようにさらに構成され、前記第１制御フレームは、送信要求（ＲＴＳ）フレームを備え、前記ＲＴＳフレームは、前記希望の帯域幅を指示する、帯域幅情報フィールドを伴うフレーム・フォーマットを備え、前記送信機は、前記希望の帯域幅に応じた前記別の装置に対して前記データを送信するための各々の１つまたは複数のチャネル上で、前記帯域幅情報フィールドと共に、前記ＲＴＳフレームを送信することによって前記第１制御フレームを送信するように構成され、前記受信機は、前記別の装置の前記利用可能な帯域幅に応じた各々の少なくとも一部の前記チャネル上で送信許可（ＣＴＳ）フレームを受信することによって前記第２制御フレームを受信するように構成された、受信機と、
を備えた装置。
【請求項１７】
前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備える、請求項１６の装置。
【請求項１８】
前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備え、
前記ＲＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示する、か、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示する、か、
前記ＲＴＳフレームはＩＥＥＥ８０２．１１ａ補正に応じたスクランブラ初期化シードを有するサービス・フィールドを備え、前記サービス・フィールドの前記スクランブラ初期化シードは前記希望の帯域幅を指示する、か、
のうちの少なくとも１つである、請求項１６の装置。
【請求項１９】
前記Ｌ−ＳＩＧフィールドの同位相（Ｉ）成分あるいは直交（Ｑ）成分の少なくとも１つは、前記ＲＴＳフレームが前記希望の帯域幅を指示することを指示する、請求項１８の装置。
【請求項２０】
前記第１制御フィールドは、送信要求（ＲＴＳ）フレームを備え、前記ＲＴＳフレームはデュレーション・フィールドを備え、前記デュレーション・フィールドの２個以上の最下位ビット（ＬＳＢ）は、前記希望の帯域幅を指示する、請求項１６の装置。
【請求項２１】
前記デュレーション・フィールドの少なくとも１個の最上位ビット（ＭＳＢ）は、前記ＲＴＳフレームが前記希望の帯域幅を指示することを指示する、請求項２０の装置。
【請求項２２】
前記第１制御フレームは送信要求（ＲＴＳ）フレームを備え、前記ＲＴＳフレームはフレーム制御フィールドを備え、前記フレーム制御フィールドの２個以上のビットは前記希望の帯域幅を指示する、請求項１６の装置。
【請求項２３】
前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、請求項１６の装置。
【請求項２４】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットの１つは、前記複製モードを指示する、請求項２３の装置。
【請求項２５】
前記第１制御フレームは送信要求（ＲＴＳ）フレームを備え、前記ＲＴＳフレームはハイ・スループット制御（ＨＴＣ）フィールドを備え、前記ＨＴＣフィールドの２個以上のビットは前記希望の帯域幅を指示する、請求項１６の装置。
【請求項２６】
前記第１制御フレームは、送信要求（ＲＴＳ）フレームを備え、前記第２制御フレームは送信許可（ＣＴＳ）フレームを備え、前記ＲＴＳフレームは、前記ＣＴＳフレームの受信、ショート・フレーム間スペース（ＳＩＦＳ）のための時間、および前記データの送信、をカバーするネットワーク割り当てベクトル（ＮＡＶ）を指示するデュレーション・フィールドを備える、請求項１６の装置。
【請求項２７】
前記ＲＴＳフレームは、
前記帯域幅情報フィールドを伴う前記フレーム・フォーマットと、
米国電気電子学会（ＩＥＥＥ）８０２．１１規格に対するＩＥＥＥ８０２．１１ａ補正に応じたレガシー・プリアンブルもしくは複製モードが前記ＲＴＳフレームのデータ部分のために使用されるかどうかを指示するプリアンブルと、
を備える、請求項１６の装置。
【請求項２８】
前記送信機は、米国電気電子学会（ＩＥＥＥ）８０２．１１規格に対するＩＥＥＥ８０２．１１ａ補正に応じたレガシーＲＴＳフレームを前記別の装置へ送信するようにさらに構成され、前記レガシーＲＴＳフレームは、各々の前記少なくとも一部の前記チャネル上で複製され、前記受信機は、ＩＥＥＥ８０２．１１ａ補正に応じたレガシーＣＴＳフレームを受信するようにさらに構成され、前記レガシーＣＴＳフレームは各々の前記少なくとも一部の前記チャネル上で複製され、前記レガシーＲＴＳおよびレガシーＣＴＳフレームによって設定されている第１ネットワーク割り当てベクトル（ＮＡＶ）は、前記データの伝送を保護する、請求項１６の装置。
【請求項２９】
前記ＲＴＳフレームは、前記ＣＴＳフレームの受信、短いフレーム間スペース（ＳＩＦＳ）のための時間、および前記レガシーＲＴＳフレームの伝送をカバーする、第２ネットワーク割り当てベクトル（ＮＡＶ）を指示するデュレーション・フィールドを備える、請求項２８の装置。
【請求項３０】
前記送信機は、各々の第１組のチャネル上で複製されるか主要チャネル上で米国電気電子学会（ＩＥＥＥ）８０２．１１規格に対するＩＥＥＥ８０２．１１ａ補正に応じたレガシーＲＴＳフレームを、前記別の装置へ送信するようにさらに構成され、前記受信機は、少なくとも一部の前記第１組のチャネル上でＩＥＥＥ８０２．１１ａ補正に応じたレガシー送信許可（ＣＴＳ）フレームを受信するようにさらに構成され、前記少なくとも一部の前記第１組のチャネルは前記別の装置でアイドル状態であり、前記送信機は、前記レガシーＣＴＳフレーム受信後に前記希望の帯域幅に応じた前記別の装置に対して前記データを送信するための各々の第２組のチャネル上で、前記帯域幅情報フィールドと共に、前記ＲＴＳフレームを送信することによって、前記第１制御フレームを送信するようにさらに構成され、前記受信機は、前記別の装置の前記利用可能な帯域幅に応じた各々の少なくとも一部の前記第２組のチャネル上でＣＴＳフレームを受信することによって前記第２制御フレームを受信するようにさらに構成された、請求項１６の装置。
【請求項３１】
無線通信のための装置であって、
別の装置に対して、前記別の装置に対してデータを送信するための希望の帯域幅を指示する第１制御フレームを送信するための手段と、
前記別の装置の利用可能な帯域幅を指示する第２制御フレームを受信するための手段であって、前記送信するための手段は前記希望の帯域幅および前記利用可能な帯域幅のより劣った方に基づいて、前記データを送信するようにさらに構成されていて、前記第１制御フレームは送信要求（ＲＴＳ）フレームを備え、前記ＲＴＳフレームは、前記希望の帯域幅を指示する帯域幅情報フィールドを伴うフレーム・フォーマットを備え、前記第１制御フレームを送信するための前記手段は、前記希望の帯域幅に応じた前記別の装置に前記データを送信するために各々の１つまたは複数のチャネル上で、前記帯域幅情報フィールドと共に、前記ＲＴＳフレームを送信するために構成され、前記第２制御フレームを受信するための前記手段は、前記別の装置の前記利用可能な帯域幅に応じた各々の少なくとも一部の前記チャネル上で送信許可（ＣＴＳ）フレームを受信するように構成されている、受信するための手段と、
を備えた装置。
【請求項３２】
前記第１制御フレームは送信要求（ＲＴＳ）フレームを備え、前記ＲＴＳフレームは、米国電気電子学会（ＩＥＥＥ）８０２．１１規格に対するＩＥＥＥ８０２．１１ａ補正に応じたレガシー・フレーム・フォーマットを備える、請求項３１の装置。
【請求項３３】
前記第１制御フレームは送信要求（ＲＴＳ）フレームを備え、前記ＲＴＳフレームは、米国電気電子学会（ＩＥＥＥ）８０２．１１規格に対するＩＥＥＥ８０２．１１ａ補正に応じたレガシー・フレーム・フォーマットを備え、
前記ＲＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示する、か、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示するか、
前記ＲＴＳフレームはＩＥＥＥ８０２．１１ａ補正に応じたスクランブラ初期化シードを有する前記サービス・フィールドを備え、前記サービス・フィールドの前記スクランブラ初期化シードは前記希望の帯域幅を指示するか、
のうちの少なくとも１つである、請求項３１の装置。
【請求項３４】
前記Ｌ−ＳＩＧフィールドの同位相（Ｉ）成分もしくは直交（Ｑ）成分の少なくとも１つは、前記ＲＴＳフレームが前記希望の帯域幅を指示することを指示する、請求項３３の装置。
【請求項３５】
前記第１制御フレームは送信要求（ＲＴＳ）フレームを備え、前記ＲＴＳフレームはデュレーション・フィールドを備え、前記デュレーション・フィールドの２個以上の最下位（ＬＳＢ）ビットは、前記希望の帯域幅を指示する、請求項３１の装置。
【請求項３６】
前記デュレーション・フィールドの少なくとも１個の最上位（ＭＳＢ）ビットは、前記ＲＴＳフレームが前記希望の帯域幅を指示することを指示する、請求項３５の装置。
【請求項３７】
前記第１制御フレームは送信要求（ＲＴＳ）フレームを備え、前記ＲＴＳフレームはフレーム制御フィールドを備え、前記フレーム制御フィールドの２個以上のビットは前記希望の帯域幅を指示する、請求項３１の装置。
【請求項３８】
前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、請求項３１の装置。
【請求項３９】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットのうちの１個は、前記複製モードを指示する、請求項３８の装置。
【請求項４０】
前記第１制御フレームは、送信要求（ＲＴＳ）フレームを備え、前記ＲＴＳフレームは、ハイ・スループット制御（ＨＴＣ）フィールドを備え、前記ＨＴＣフィールドの２個以上のビットは前記希望の帯域幅を指示する、請求項３１の装置。
【請求項４１】
前記第１制御フレームは送信要求（ＲＴＳ）フレームを備え、前記第２制御フレームは送信許可（ＣＴＳ）フレームを備え、前記ＲＴＳフレームは、前記ＣＴＳフレームの受信、ショート・フレーム間スペース（ＳＩＦＳ）のための時間、および、前記データの伝送、をカバーするネットワーク割り当てベクトル（ＮＡＶ）を指示するデュレーション・フィールドを備える、請求項３１の装置。
【請求項４２】
前記ＲＴＳフレームは、
前記帯域幅情報フィールドを伴う前記フレーム・フォーマットと、
米国電気電子学会（ＩＥＥＥ）８０２．１１ａ補正に応じたレガシー・プリアンブルか、もしくは複製モードが前記ＲＴＳフレームのデータ部分のために使用されるかどうかを指示するプリアンブルと、
を備える、請求項３１の装置。
【請求項４３】
前記送信するための手段は、米国電気電子学会（ＩＥＥＥ）８０２．１１規格に対するＩＥＥＥ８０２．１１ａ補正に応じたレガシーＲＴＳフレームを、前記別の装置に対して送信するようにさらに構成され、前記レガシーＲＴＳフレームは各々の前記少なくとも前記一部の前記チャネル上で複製され、前記受信するための手段はＩＥＥＥ８０２．１１ａ補正に応じたレガシーＣＴＳフレームを受信するようにさらに構成され、前記レガシーＣＴＳフレームは各々の前記少なくとも前記一部の前記チャネル上で複製され、前記レガシーＲＴＳおよびレガシーＣＴＳフレームによって設定された第１ネットワーク割り当てベクトル（ＮＡＶ）は前記データの伝送を保護する、請求項３１の装置。
【請求項４４】
前記ＲＴＳフレームは、前記ＣＴＳフレームの受信、ショート・フレーム間スペース（ＳＩＦＳ）のための時間、および、前記レガシーＲＴＳフレームの伝送をカバーする第２ネットワーク割り当てベクトル（ＮＡＶ）を指示するデュレーション・フィールドを備える、請求項４３の装置。
【請求項４５】
前記送信するための手段は、各々の第１組のチャネル上で複製されるかあるいは、主要チャネル上で米国電気電子学会（ＩＥＥＥ）８０２．１１規格に対するＩＥＥＥ８０２．１１ａ補正に応じたレガシーＲＴＳフレームを、前記別の装置に対して送信するようにさらに構成され、前記受信するための手段は、少なくとも一部の前記第１組のチャネル上でＩＥＥＥ８０２．１１ａ補正に応じたレガシー送信許可（ＣＴＳ）フレームを受信するようにさらに構成され、前記少なくとも前記一部の前記第１組のチャネルは前記別の装置でアイドル状態であり、前記第１制御フレームを送信するための前記手段は、前記レガシーＣＴＳフレームを受信後に、前記希望の帯域幅に応じた前記別の装置に対して前記データを送信するための各々の第２組のチャネル上で、前記帯域幅情報フィールドと共に、前記ＲＴＳフレームを送信するようにさらに構成され、前記第２制御フレームを受信するための前記手段は、前記別の装置の前記利用可能な帯域幅に応じた各々の少なくとも一部の前記第２組のチャネル上で、ＣＴＳフレームを受信するようにさらに構成される、請求項３１の装置。
【請求項４６】
無線通信のためのコンピュータプログラム・プロダクトであって、
装置に対して、前記装置に対してデータを送信するための希望の帯域幅を指示する第１制御フレームを送信することであって、前記第１制御フレームは送信要求（ＲＴＳ）フレームを備え、前記ＲＴＳフレームは、前記希望の帯域幅を指示する帯域幅情報フィールドを伴うフレーム・フォーマットを備える、送信することと、
前記装置の利用可能な帯域幅を指示する第２制御フレームを受信することであって、前記第１制御フレームを送信することは、前記希望の帯域幅に応じた前記装置に前記データを送信するために各々の１つまたは複数のチャネル上で、前記帯域幅情報フィールドと共に、前記ＲＴＳフレームを送信することを備え、前記第２制御フレームを受信することは、前記装置の前記利用可能な帯域幅に応じた各々の少なくとも一部の前記チャネル上で送信許可（ＣＴＳ）フレームを受信することを備える、前記第２制御フレームを受信することと、
前記希望の帯域幅及び前記利用可能な帯域幅のうちより劣った方に基づいて前記データを送信することと、
を実行可能である命令群を備えるコンピュータ可読媒体を備える、コンピュータプログラム・プロダクト。
【請求項４７】
少なくとも１本のアンテナと、
装置に対して前記少なくとも1本のアンテナを介して、前記装置に対してデータを送信するための希望の帯域幅を指示する第１制御フレームを、送信するように構成された送信機と、
前記装置の利用可能な帯域幅を指示する第２制御フレームを受信するように構成された受信機であって、前記送信機は、前記希望の帯域幅および前記利用可能な帯域幅のうちより劣った方に基づいて前記データを送信するようにさらに構成されており、前記第１制御フレームは送信要求（ＲＴＳ）フレームを備え、前記ＲＴＳフレームは、前記希望の帯域幅を指示する帯域幅情報フィールドを伴うフレーム・フォーマットを備え、前記送信機は、前記希望の帯域幅に応じた前記別の装置に前記データを送信するために各々の１つまたは複数のチャネル上で、前記帯域幅情報フィールドと共に、前記ＲＴＳフレームを送信することによって前記第１制御フレームを送信するように構成され、前記受信機は、前記別の装置の前記利用可能な帯域幅に応じた各々の少なくとも一部の前記チャネル上で送信許可（ＣＴＳ）フレームを受信することによって前記第２制御フレームを受信するように構成されている、受信機と、
を備えた、アクセス・ポイント。
【請求項４８】
無線通信のための方法であって、
装置において、前記装置に対してデータを送信するための希望の帯域幅を指示する第１制御フレームを受信することと、
前記第１制御フレームを受信したことに応じて、前記装置の利用可能な帯域幅を指示する第２制御フレームを送信することであって、前記第２制御フレームは送信許可（ＣＴＳ）フレームを備え、前記ＣＴＳフレームは前記利用可能な帯域幅を指示する帯域幅情報フィールドと共にフレーム・フォーマットを備え、前記第１制御フレームを受信することは、前記希望の帯域幅に応じた前記装置に対して前記データを送信するために各々の１つまたは複数のチャネル上で送信要求（ＲＴＳ）フレームを受信することを備え、前記第２制御フレームを送信することは、前記装置の前記利用可能な帯域幅に応じた各々の少なくとも一部の前記チャネル上で、前記帯域幅情報フィールドと共に、前記ＣＴＳフレームを送信することを備える、送信することと、
前記希望の帯域幅および前記利用可能な帯域幅のうちより劣った方を使用して送信された前記データを受信することと、
を備えた、方法。
【請求項４９】
前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、請求項４８の方法。
【請求項５０】
前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、請求項４８の方法。
【請求項５１】
前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、請求項５０の方法。
【請求項５２】
前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、請求項４８の方法。
【請求項５３】
前記デュレーション・フィールドの少なくとも１個の最上位ビット（ＭＳＢ）は、前記ＣＴＳフレームが前記利用可能な帯域幅を指示する、請求項５２の方法。
【請求項５４】
前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、請求項４８の方法。
【請求項５５】
前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、請求項４８の方法。
【請求項５６】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、請求項５５の方法。
【請求項５７】
前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、請求項４８の方法。
【請求項５８】
前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、請求項４８の方法。
【請求項５９】
前記装置において、米国電気電子学会（ＩＥＥＥ）８０２．１１規格に対するＩＥＥＥ８０２．１１ａ補正に応じたレガシーＲＴＳフレームを受信することであって、前記レガシーＲＴＳフレームは各々の前記少なくとも一部の前記チャネル上で複製されている、受信することと、
ＩＥＥＥ８０２．１１ａ補正に応じたレガシーＣＴＳフレームを送信することであって、前記レガシーＣＴＳフレームは各々の前記少なくとも一部の前記チャネルで複製され、前記レガシーＲＴＳおよびレガシーＣＴＳフレームによって設定されたネットワーク割り当てベクトル（ＮＡＶ）は前記データの受信を保護する、送信することと、
を備える、請求項４８の方法。
【請求項６０】
前記装置において、米国電気電子学会（ＩＥＥＥ）８０２．１１規格に対するＩＥＥＥ８０２．１１ａ補正に応じたレガシー送信要求（ＲＴＳ）フレームを受信することであって、前記レガシーＲＴＳフレームは主要チャネル上で受信されるか、各々の第１組のチャネル上で複製される、受信することと、
少なくとも一部の前記第１組のチャネル上でＩＥＥＥ８０２．１１ａ補正に応じたレガシーＣＴＳフレームを送信することであって、前記少なくとも一部の前記第１組のチャネルは前記装置においてアイドル状態であり、前記第１制御フレームを受信することは、前記レガシーＣＴＳフレームを送信後に、前記希望の帯域幅に応じた前記装置に対して前記データを送信するために各々の第２組のチャネル上でＲＴＳフレームを受信することを備え、前記第２制御フレームを送信することは前記装置の前記利用可能な帯域幅に応じた各々の少なくとも一部の前記第２組のチャネル上で、前記帯域幅情報フィールドと共に、前記ＣＴＳフレームを送信することを備える、請求項４８の方法。
【請求項６１】
前記第１制御フレームのアドレスが、前記受信された第一制御フレームからの前記希望の帯域幅を決定するよりも前に、複数チャネル能力のあるエンティティに対応するかどうかを検査することをさらに備え、前記検査することは１組のアドレスに属する前記アドレスに基づいている、請求項４８の方法。
【請求項６２】
無線通信のための装置であって、
前記装置に対してデータを送信するための希望の帯域幅を指示する第１制御フレームを受信するように構成された受信機と、
前記第１制御フレームを受信したことに応じて、前記装置の利用可能な帯域幅を指示する第２制御フレームを送信するように構成された送信機であって、前記受信機は前記希望の帯域幅および前記利用可能な帯域幅のうちより劣った方を利用して送信された前記データを受信するようにさらに構成され、前記第２制御フレームは送信許可（ＣＴＳ）フレームを備え、前記ＣＴＳフレームは前記利用可能な帯域幅を指示する帯域幅情報フィールドと共にフレーム・フォーマットを備え、前記受信機は、前記希望の帯域幅に応じた前記装置に対して前記データを送信するために各々の１つまたは複数のチャネル上で送信要求（ＲＴＳ）フレームを受信することによって前記第１制御フレームを受信するように構成され、前記送信機は、前記装置の前記利用可能な帯域幅に応じた各々の少なくとも一部の前記チャネル上で、前記帯域幅情報フィールドと共に、前記ＣＴＳフレームを送信することによって前記第２制御フレームを送信するように構成されている、送信機と、
を備えた装置。
【請求項６３】
前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、請求項６２の装置。
【請求項６４】
前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、請求項６２の装置。
【請求項６５】
前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、請求項６４の装置。
【請求項６６】
前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、請求項６２の装置。
【請求項６７】
前記デュレーション・フィールドの少なくとも１個の最上位ビット（ＭＳＢ）は、前記ＣＴＳフレームが前記利用可能な帯域幅を指示することを指示する、請求項６６の装置。
【請求項６８】
前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、請求項６２の装置。
【請求項６９】
前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、請求項６２の装置。
【請求項７０】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、請求項６９の装置。
【請求項７１】
前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、請求項６２の装置。
【請求項７２】
前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、請求項６２の装置。
【請求項７３】
前記受信機は、米国電気電子学会（ＩＥＥＥ）８０２．１１規格に対するＩＥＥＥ８０２．１１ａ補正に応じたレガシーＲＴＳフレームを受信するようにさらに構成され、前記レガシーＲＴＳフレームは各々の前記少なくとも一部の前記チャネル上で複製されており、前記送信機は、ＩＥＥＥ８０２．１１ａ補正に応じたレガシーＣＴＳフレームを送信するようにさらに構成され、前記レガシーＣＴＳフレームは各々の前記少なくとも前記一部の前記チャネルで複製され、前記レガシーＲＴＳおよびレガシーＣＴＳフレームによって設定されたネットワーク割り当てベクトル（ＮＡＶ）は前記データの受信を保護する、請求項６２の装置。
【請求項７４】
前記受信機は、米国電気電子学会（ＩＥＥＥ）８０２．１１規格に対するＩＥＥＥ８０２．１１ａ補正に応じたレガシー送信要求（ＲＴＳ）フレームを受信するようにさらに構成され、前記レガシーＲＴＳフレームは主要チャネル上で受信されるか、各々の第１組のチャネル上で複製され、前記送信機は、少なくとも一部の前記第１組のチャネル上でＩＥＥＥ８０２．１１ａ補正に応じたレガシーＣＴＳフレームを送信するようにさらに構成され、前記少なくとも一部の前記第１組のチャネルは前記装置においてアイドル状態であり、前記受信機は、前記レガシーＣＴＳフレームを送信後に、前記希望の帯域幅に応じた前記装置に対して前記データを送信するために各々の第２組のチャネル上でＲＴＳフレームを受信することによって、前記第１制御フレームを受信するようにさらに構成され、前記送信機は、前記装置の前記利用可能な帯域幅に応じた各々の少なくとも一部の前記第２組のチャネル上で、前記帯域幅情報フィールドと共に、前記ＣＴＳフレームを送信することによって、前記第２制御フレームを送信するようにさらに構成されている、請求項６２の装置。
【請求項７５】
前記第１制御フレームのアドレスが、前記受信された第一制御フレームからの前記希望の帯域幅を決定するよりも前に、複数チャネル能力のあるエンティティに対応するかどうかを検査するように構成された処理システムをさらに備え、前記検査することは１組のアドレスに属する前記アドレスに基づいている、請求項６２の装置。
【請求項７６】
無線通信のための装置であって、
前記装置に対してデータを送信するための希望の帯域幅を指示する第１制御フレームを受信するための手段と、
前記第１制御フレームを受信したことに応じて、前記装置の利用可能な帯域幅を指示する第２制御フレームを送信するための手段であって、前記受信するための手段は前記希望の帯域幅および前記利用可能な帯域幅のうちより劣った方を利用して送信された前記データを受信するようにさらに構成され、前記第２制御フレームは送信許可（ＣＴＳ）フレームを備え、前記ＣＴＳフレームは前記利用可能な帯域幅を指示する帯域幅情報フィールドと共にフレーム・フォーマットを備え、前記第１制御フレームを前記受信するための手段は、前記希望の帯域幅に応じた前記装置に対して前記データを送信するために各々の１つまたは複数のチャネル上で送信要求（ＲＴＳ）フレームを受信するように構成され、前記第２制御フレームを前記送信するための手段は、前記装置の前記利用可能な帯域幅に応じた各々の少なくとも一部の前記チャネル上で、前記帯域幅情報フィールドと共に、前記ＣＴＳフレームを送信するように構成されている、送信するための手段と、
を備えた装置。
【請求項７７】
前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、請求項７６の装置。
【請求項７８】
前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、請求項７６の装置。
【請求項７９】
前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、請求項７８の装置。
【請求項８０】
前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、請求項７６の装置。
【請求項８１】
前記デュレーション・フィールドの少なくとも１個の最上位ビット（ＭＳＢ）は、前記ＣＴＳフレームが前記利用可能な帯域幅を指示することを指示する、請求項８０の装置。
【請求項８２】
前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、請求項７６の装置。
【請求項８３】
前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、請求項７６の装置。
【請求項８４】
前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、請求項８３の装置。
【請求項８５】
前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、請求項７６の装置。
【請求項８６】
前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、請求項７６の装置。
【請求項８７】
前記受信するための手段は、米国電気電子学会（ＩＥＥＥ）８０２．１１規格に対するＩＥＥＥ８０２．１１ａ補正に応じたレガシーＲＴＳフレームを受信するようにさらに構成され、前記レガシーＲＴＳフレームは各々の前記少なくとも前記一部の前記チャネル上で複製されており、前記送信するための手段は、ＩＥＥＥ８０２．１１ａ補正に応じたレガシーＣＴＳフレームを送信するようにさらに構成され、前記レガシーＣＴＳフレームは各々の前記少なくとも前記一部の前記チャネルで複製され、前記レガシーＲＴＳフレームおよび前記レガシーＣＴＳフレームによって設定されたネットワーク割り当てベクトル（ＮＡＶ）は前記データの受信を保護する、請求項７６の装置。
【請求項８８】
前記受信するための手段は、米国電気電子学会（ＩＥＥＥ）８０２．１１規格に対するＩＥＥＥ８０２．１１ａ補正に応じたレガシー送信要求（ＲＴＳ）フレームを受信するようにさらに構成され、前記レガシーＲＴＳフレームは主要チャネル上で受信されるか、各々の第１組のチャネル上で複製され、前記送信するための手段は、少なくとも一部の前記第１組のチャネル上でＩＥＥＥ８０２．１１ａ補正に応じたレガシーＣＴＳフレームを送信するようにさらに構成され、前記少なくとも一部の前記第１組のチャネルは前記装置においてアイドル状態であり、前記第１制御フレームを前記受信するための手段は、前記レガシーＣＴＳフレームを送信後に、前記希望の帯域幅に応じた前記装置に対して前記データを送信するために各々の第２組のチャネル上でＲＴＳフレームを受信するようにさらに構成され、前記第２制御フレームを前記送信するための手段は、前記装置の前記利用可能な帯域幅に応じた各々の少なくとも一部の前記第２組のチャネル上で、前記帯域幅情報フィールドと共に、前記ＣＴＳフレームを送信するようにさらに構成されている、請求項７６の装置。
【請求項８９】
前記第１制御フレームのアドレスが、前記受信された第一制御フレームからの前記希望の帯域幅を決定するよりも前に、複数チャネル能力のあるエンティティに対応するかどうかを検査するための手段をさらに備え、前記検査することは１組のアドレスに属する前記アドレスに基づいている、請求項７６の装置。
【請求項９０】
無線通信のためのコンピュータプログラム・プロダクトであって、
装置において、前記装置に対してデータを送信するための希望の帯域幅を指示する第１制御フレームを受信することと、
前記第１制御フレームを受信したことに応答して、前記装置の利用可能な帯域幅を指示する第２制御フレームを送信することであって、前記第２制御フレームは送信許可（ＣＴＳ）フレームを備え、前記ＣＴＳフレームは前記利用可能な帯域幅を指示する帯域幅情報フィールドと共にフレーム・フォーマットを備え、前記第１制御フレームを受信することは、前記希望の帯域幅に応じた前記装置に対して前記データを送信するために各々の１つまたは複数のチャネル上で送信要求（ＲＴＳ）フレームを受信することを備え、前記第２制御フレームを送信することは、前記装置の前記利用可能な帯域幅に応じた各々の少なくとも一部の前記チャネル上で、前記帯域幅情報フィールドと共に、前記ＣＴＳフレームを送信することを備える、送信することと、
前記希望の帯域幅及び前記利用可能な帯域幅のうちより劣った方を用いて送信された前記データを受信することと、
を実行可能である命令群を備えるコンピュータ可読媒体を備える、コンピュータプログラム・プロダクト。
【請求項９１】
無線ノードであって、
少なくとも１本のアンテナと、
前記少なくとも1本のアンテナを介して、前記無線ノードに対してデータを送信するための希望の帯域幅を指示する第１制御フレームを受信するように構成された受信機と、
前記第１制御フレームを受信したことに応答して、前記無線ノードの利用可能な帯域幅を指示する第２制御フレームを受信するように構成された送信機であって、前記受信機は、前記希望の帯域幅および前記利用可能な帯域幅のうちより劣った方を使用して送信された前記データを受信するようにさらに構成されており、前記第２制御フレームは送信許可（ＣＴＳ）フレームを備え、前記ＣＴＳフレームは前記利用可能な帯域幅を指示する帯域幅情報フィールドと共にフレーム・フォーマットを備え、前記受信機は、前記希望の帯域幅に応じた前記装置に対して前記データを送信するために各々の１つまたは複数のチャネル上で送信要求（ＲＴＳ）フレームを受信することによって前記第１制御フレームを受信するように構成され、前記送信機は、前記装置の前記利用可能な帯域幅に応じた各々の少なくとも一部の前記チャネル上で、前記帯域幅情報フィールドと共に、前記ＣＴＳフレームを送信することによって前記第２制御フレームを送信するように構成されている、送信機と、
を備えた、無線ノード。
【手続補正２】
【補正対象書類名】明細書
【補正対象項目名】０１４９
【補正方法】変更
【補正の内容】
【０１４９】
特許請求の範囲は、上で示された正確な構成およびコンポーネントに限定されない、ことは理解されるべきである。様々な修正、変更、変形例が、特許請求の範囲から逸脱することなく、上に記述された方法および装置の、構成、動作、詳細中に行われ得る。
以下に本件出願当初の特許請求の範囲に記載された発明を付記する。
［１］無線通信のための方法であって、
装置に対して、前記装置に対してデータを送信するための希望の帯域幅を指示する第１制御フレームを送信することと、
前記装置の利用可能な帯域幅を指示する第２制御フレームを受信することと、
前記希望の帯域幅および前記利用可能な帯域幅のより劣った方に基づいて前記データを送信することと、
を備えた方法。
［２］前記第１制御フレームは、送信要求（ＲＴＳ：Request to Send）フレームを備え、前記ＲＴＳフレームは米国電気電子学会（ＩＥＥＥ：Institute of Electrical and Electronics Engineers）８０２．１１規格に対するＩＥＥＥ８０２．１１ａ補正に応じたレガシー・フレーム・フォーマットを備える、［１］の方法。
［３］前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備え、
前記ＲＴＳフレームは、ＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示するか、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示するか、
前記ＲＴＳフレームはＩＥＥＥ８０２．１１ａ補正に応じたスクランブラ初期化シードを有する前記サービス・フィールドを備え、前記サービス・フィールドの前記スクランブラ初期化シードは前記希望の帯域幅を指示するか、
のうちの少なくとも１つである、［１］の方法。
［４］前記Ｌ−ＳＩＧフィールドの同位相（Ｉ）成分または直交（Ｑ）成分の少なくとも１つは、前記ＲＴＳフレームが前記希望の帯域幅を指示することを指示する、［３］の方法。
［５］前記第１制御フレームは送信要求（ＲＴＳ）フレームを備え、前記ＲＴＳフレームはデュレーション・フィールドを備え、前記デュレーション・フィールドの２個以上の最下位ビット（ＬＳＢ）は前記希望の帯域幅を指示する、［１］の方法。
［６］前記デュレーション・フィールドの少なくとも１個の最上位ビット（ＭＳＢ）は、前記ＲＴＳフレームが前記希望の帯域幅を指示することを指示する、［５］の方法。
［７］前記第１制御フレームは送信要求（ＲＴＳ）フレームを備え、前記ＲＴＳフレームはフレーム制御フィールドを備え、前記フレーム制御フィールドの２個以上のビットは、前記希望の帯域幅を指示する［１］の方法。
［８］前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、［１］の方法。
［９］前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットの１個は、前記複製モードを指示する、［８］の方法。
［１０］前記第１制御フレームは送信要求（ＲＴＳ）フレームを備え、前記ＲＴＳフレームはハイ・スループット制御（ＨＴＣ）フィールドを備え、前記ＨＴＣフィールドの２個以上のビットは前記希望の帯域幅を指示する、［１］の方法。
［１１］前記第１制御フレームは送信要求（ＲＴＳ）フレームを備え、前記第２制御フレームは送信許可（ＣＴＳ：Clear to Send）フレームを備え、前記ＲＴＳフレームは、前記ＣＴＳフレームの受信、ショート・フレーム間スペース（ＳＩＦＳ）のための時間、および前記データの送信をカバーするネットワーク割り当てベクトルを指示するデュレーション・フィールドを備える、［１］の方法。
［１２］前記第１制御フレームは送信要求（ＲＴＳ）フレームを備え、前記ＲＴＳフレームは前記希望の帯域幅を指示する帯域幅情報フィールドを伴うフレーム・フォーマットを備える、［１］の方法。
［１３］前記ＲＴＳフレームは、
前記帯域幅情報フィールドを伴う前記フレーム・フォーマットと、
米国電気電子学会（ＩＥＥＥ）８０２．１１規格に対するＩＥＥＥ８０２．１１ａ補正に応じたレガシー・プリアンブルあるいは複製モードが前記ＲＴＳフレームのデータ部分のために使用されるかどうかを指示するプリアンブルと、
を備える、［１２］の方法。
［１４］前記第１制御フレームを送信することは、前記希望の帯域幅に応じて前記装置に対して前記データを送信するための各々の１つまたは複数のチャネル上で、前記帯域幅情報フィールドと共に、前記ＲＴＳフレームを送信することを備え、前記第２制御フレームを受信することは、前記装置の前記利用可能な帯域幅に応じて各々の少なくとも一部のチャネル上で送信許可（ＣＴＳ）フレームを受信することを備える、［１２］の方法。
［１５］前記装置に対して、米国電気電子学会（ＩＥＥＥ）８０２．１１規格に対するＩＥＥＥ８０２．１１ａ補正に応じたレガシーＲＴＳフレームを送信することであって、前記ＲＴＳフレームは、各々の少なくとも一部の前記チャネル上で複製される、送信することと、
ＩＥＥＥ８０２．１１ａ補正に応じたレガシーＣＴＳフレームを受信することであって、前記レガシーＣＴＳフレームは各々の前記少なくとも一部の前記チャネル上で複製され、レガシーＲＴＳおよびレガシーＣＴＳフレームに設定され複製される第１のネットワーク割り当てベクトル（ＮＡＶ：Network Allocation Vector）は前記データの伝送を保護する、受信することと、
を更に備える、［１４］の方法。
［１６］前記ＲＴＳフレームは、前記ＣＴＳフレームの受信、ショート・フレーム間スペース（ＳＩＦＳ）のための時間、および前記レガシーＲＴＳフレームの送信をカバーする第２ネットワーク割り当てベクトル（ＮＡＶ）を指示するデュレーション・フィールドを備える、［１５］の方法。
［１７］前記装置に対して、各々の第１組のチャネル上で複製され、あるいは主要チャネル上で、米国電気電子学会（ＩＥＥＥ）８０２．１１規格に対するＩＥＥＥ８０２．１１ａ補正に応じたレガシーＲＴＳフレームを送信することと、
少なくとも一部の前記第１組のチャネル上でＩＥＥＥ８０２．１１ａ補正に応じたレガシー送信許可（ＣＴＳ）フレームを受信することであって、前記少なくとも一部の前記第１組のチャネルは前記装置でアイドル状態であり、前記第１制御フレームを送信することは、前記レガシーＣＴＳフレームを受信後に、前記希望の帯域幅に応じて前記装置に対して前記データを送信するための各々の第２組のチャネル上で、前記帯域幅情報フィールドと共に、前記ＲＴＳフレームを送信することを備え、前記第２制御フレームを受信することは、前記装置の前記利用可能な帯域幅に応じて各々の少なくとも一部の前記第２組のチャネル上でＣＴＳフレームを受信することを備える、受信することと、
をさらに備える、［１２］の方法。
［１８］無線通信のための装置であって、
別の装置に対して、前記別の装置にデータを送信するために希望の帯域幅を指示する第１制御フレームを送信するように構成された送信機と、
前記別の装置の利用可能な帯域幅を指示する第２制御フレームを受信するように構成された受信機であって、前記送信機は、前記希望の帯域幅および前記利用可能な帯域幅のより劣った方に基づいて前記データを送信するようにさらに構成された、受信機と、
を備える装置。
［１９］前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備える、［１９］の装置。
［２０］前記第１制御フレームは送信要求（ＲＴＳ）フレームを備え、前記ＲＴＳフレームは米国電気電子学会（ＩＥＥＥ）８０２．１１規格に対するＩＥＥＥ８０２．１１ａ補正に応じたレガシー・フレーム・フォーマットを備え、
前記ＲＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示する、か、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示する、か、
前記ＲＴＳフレームはＩＥＥＥ８０２．１１ａ補正に応じたスクランブラ初期化シードを有するサービス・フィールドを備え、前記サービス・フィールドの前記スクランブラ初期化シードは前記希望の帯域幅を指示する、か、
のうちの少なくとも１つである、［１８］の装置。
［２１］前記Ｌ−ＳＩＧフィールドの同位相（Ｉ）成分あるいは直交（Ｑ）成分の少なくとも１つは、前記ＲＴＳフレームが前記希望の帯域幅を指示することを指示する、［２０］の装置。
［２２］前記第１制御フィールドは、送信要求（ＲＴＳ）フレームを備え、前記ＲＴＳフレームはデュレーション・フィールドを備え、前記デュレーション・フィールドの２個以上の最下位ビット（ＬＳＢ）は、前記希望の帯域幅を指示する、［１８］の装置。
［２３］前記デュレーション・フィールドの少なくとも１個の最上位ビット（ＭＳＢ）は、前記ＲＴＳフレームが前記希望の帯域幅を指示することを指示する、［２２］の装置。
［２４］前記第１制御フレームは送信要求（ＲＴＳ）フレームを備え、前記ＲＴＳフレームはフレーム制御フィールドを備え、前記フレーム制御フィールドの２個以上のビットは前記希望の帯域幅を指示する、［１８］の装置。
［２５］前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、［１８］の装置。
［２６］前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットの１つは、前記複製モードを指示する、［２５］の装置。
［２７］前記第１制御フレームは送信要求（ＲＴＳ）フレームを備え、前記ＲＴＳフレームはハイ・スループット制御（ＨＴＣ）フィールドを備え、前記ＨＴＣフィールドの２個以上のビットは前記希望の帯域幅を指示する、［１８］の装置。
［２８］前記第１制御フレームは、送信要求（ＲＴＳ）フレームを備え、前記第２制御フレームは送信許可（ＣＴＳ）フレームを備え、前記ＲＴＳフレームは、前記ＣＴＳフレームの受信、ショート・フレーム間スペース（ＳＩＦＳ）のための時間、および前記データの送信、をカバーするネットワーク割り当てベクトル（ＮＡＶ）を指示するデュレーション・フィールドを備える、［１８］の装置。
［２９］前記第１制御フレームは、送信要求（ＲＴＳ）フレームを備え、前記ＲＴＳフレームは、前記希望の帯域幅を指示する、帯域幅情報フィールドを伴うフレーム・フォーマットを備える、［１８］の装置。
［３０］前記ＲＴＳフレームは、
前記帯域幅情報フィールドを伴う前記フレーム・フォーマットと、
米国電気電子学会（ＩＥＥＥ）８０２．１１規格に対するＩＥＥＥ８０２．１１ａ補正に応じたレガシー・プリアンブルもしくは複製モードが前記ＲＴＳフレームのデータ部分のために使用されるかどうかを指示するプリアンブルと、
を備える、［２９］の装置。
［３１］前記送信機は、前記希望の帯域幅に応じた前記別の装置に対して前記データを送信するための各々の１つまたは複数のチャネル上で、前記帯域幅情報フィールドと共に、前記ＲＴＳフレームを送信することによって前記第１制御フレームを送信するように構成され、前記受信機は、前記別の装置の前記利用可能な帯域幅に応じた各々の少なくとも一部の前記チャネル上で送信許可（ＣＴＳ）フレームを受信することによって前記第２制御フレームを受信するように構成された、［２９］の装置。
［３２］前記送信機は、米国電気電子学会（ＩＥＥＥ）８０２．１１規格に対するＩＥＥＥ８０２．１１ａ補正に応じたレガシーＲＴＳフレームを前記別の装置へ送信するようにさらに構成され、前記レガシーＲＴＳフレームは、各々の前記少なくとも一部の前記チャネル上で複製され、前記受信機は、ＩＥＥＥ８０２．１１ａ補正に応じたレガシーＣＴＳフレームを受信するようにさらに構成され、前記レガシーＣＴＳフレームは各々の前記少なくとも一部の前記チャネル上で複製され、前記レガシーＲＴＳおよびレガシーＣＴＳフレームによって設定されている第１ネットワーク割り当てベクトル（ＮＡＶ）は、前記データの伝送を保護する、［３１］の装置。
［３３］前記ＲＴＳフレームは、前記ＣＴＳフレームの受信、ショート・フレーム間スペース（ＳＩＦＳ）のための時間、および前記レガシーＲＴＳフレームの伝送をカバーする、第２ネットワーク割り当てベクトル（ＮＡＶ）を指示するデュレーション・フィールドを備える、［３２］の装置。
［３４］前記送信機は、各々の第１組のチャネル上で複製されるか主要チャネル上で米国電気電子学会（ＩＥＥＥ）８０２．１１規格に対するＩＥＥＥ８０２．１１ａ補正に応じたレガシーＲＴＳフレームを、前記別の装置へ送信するようにさらに構成され、前記受信機は、少なくとも一部の前記第１組のチャネル上でＩＥＥＥ８０２．１１ａ補正に応じたレガシー送信許可（ＣＴＳ）フレームを受信するようにさらに構成され、前記少なくとも一部の前記第１組のチャネルは前記別の装置でアイドル状態であり、前記送信機は、前記レガシーＣＴＳフレーム受信後に前記希望の帯域幅に応じた前記別の装置に対して前記データを送信するための各々の第２組のチャネル上で、前記帯域幅情報フィールドと共に、前記ＲＴＳフレームを送信することによって、前記第１制御フレームを送信するようにさらに構成され、前記受信機は、前記別の装置の前記利用可能な帯域幅に応じた各々の少なくとも一部の前記第２組のチャネル上でＣＴＳフレームを受信することによって前記第２制御フレームを受信するようにさらに構成された、［２９］の装置。
［３５］無線通信のための装置であって、
別の装置に対して、前記別の装置に対してデータを送信するための希望の帯域幅を指示する第１制御フレームを送信するための手段と、
前記別の装置の利用可能な帯域幅を指示する第２制御フレームを受信するための手段であって、前記送信するための手段は前記希望の帯域幅および前記利用可能な帯域幅のより劣った方に基づいて、前記データを送信するようにさらに構成されている、受信するための手段と、
を備えた装置。
［３６］前記第１制御フレームは送信要求（ＲＴＳ）フレームを備え、前記ＲＴＳフレームは、米国電気電子学会（ＩＥＥＥ）８０２．１１規格に対するＩＥＥＥ８０２．１１ａ補正に応じたレガシー・フレーム・フォーマットを備える、［３５］の装置。
［３７］前記第１制御フレームは送信要求（ＲＴＳ）フレームを備え、前記ＲＴＳフレームは、米国電気電子学会（ＩＥＥＥ）８０２．１１規格に対するＩＥＥＥ８０２．１１ａ補正に応じたレガシー・フレーム・フォーマットを備え、
前記ＲＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは前記ＲＴＳフレームが前記希望の帯域幅を指示することを指示する、か、
前記ＲＴＳフレームはＩＥＥＥ８０２．１１ａ補正に応じた２個以上の指定されたビットを有するサービス・フィールドを備え、前記サービス・フィールドの前記指定されたビットは前記希望の帯域幅を指示するか、
前記ＲＴＳフレームはＩＥＥＥ８０２．１１ａ補正に応じたスクランブラ初期化シードを有する前記サービス・フィールドを備え、前記サービス・フィールドの前記スクランブラ初期化シードは前記希望の帯域幅を指示するか、
のうちの少なくとも１つである、［３５］の装置。
［３８］前記Ｌ−ＳＩＧフィールドの同位相（Ｉ）成分もしくは直交（Ｑ）成分の少なくとも１つは、前記ＲＴＳフレームが前記希望の帯域幅を指示することを指示する、［３７］の装置。
［３９］前記第１制御フレームは送信要求（ＲＴＳ）フレームを備え、前記ＲＴＳフレームはデュレーション・フィールドを備え、前記デュレーション・フィールドの２個以上の最下位（ＬＳＢ）ビットは、前記希望の帯域幅を指示する、［３５］の装置。
［４０］前記デュレーション・フィールドの少なくとも１個の最上位（ＭＳＢ）ビットは、前記ＲＴＳフレームが前記希望の帯域幅を指示することを指示する、［３９］の装置。
［４１］前記第１制御フレームは送信要求（ＲＴＳ）フレームを備え、前記ＲＴＳフレームはフレーム制御フィールドを備え、前記フレーム制御フィールドの２個以上のビットは前記希望の帯域幅を指示する、［３５］の装置。
［４２］前記第１制御フレームは送信要求（ＲＴＳ）フレームを備え、前記ＲＴＳフレームは、
複製モードが前記ＲＴＳフレームのデータ部分のために使用されるかどうかを指示するプリアンブルと、
前記希望の帯域幅を指示するチャネル帯域幅ビットと、
を備える、［３５］の装置。
［４３］前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの前記指定されたビットのうちの１個は、前記複製モードを指示する、［４２］の装置。
［４４］前記第１制御フレームは、送信要求（ＲＴＳ）フレームを備え、前記ＲＴＳフレームは、ハイ・スループット制御（ＨＴＣ）フィールドを備え、前記ＨＴＣフィールドの２個以上のビットは前記希望の帯域幅を指示する、［３５］の装置。
［４５］前記第１制御フレームは送信要求（ＲＴＳ）フレームを備え、前記第２制御フレームは送信許可（ＣＴＳ）フレームを備え、前記ＲＴＳフレームは、前記ＣＴＳフレームの受信、ショート・フレーム間スペース（ＳＩＦＳ）のための時間、および、前記データの伝送、をカバーするネットワーク割り当てベクトル（ＮＡＶ）を指示するデュレーション・フィールドを備える、［３５］の装置。
［４６］前記第１制御フレームは送信要求（ＲＴＳ）フレームを備え、前記ＲＴＳフレームは、前記希望の帯域幅を指示する帯域幅情報フィールドを伴うフレーム・フォーマットを備える、［３５］の装置。
［４７］前記ＲＴＳフレームは、
前記帯域幅情報フィールドを伴う前記フレーム・フォーマットと、
米国電気電子学会（ＩＥＥＥ）８０２．１１ａ補正に応じたレガシー・プリアンブルか、もしくは複製モードが前記ＲＴＳフレームのデータ部分のために使用されるかどうかを指示するプリアンブルと、
を備える、［４６］の装置。
［４８］前記第１制御フレームを送信するための前記手段は、前記希望の帯域幅に応じた前記別の装置に前記データを送信するために各々の１つまたは複数のチャネル上で、前記帯域幅情報フィールドと共に、前記ＲＴＳフレームを送信するために構成され、前記第２制御フレームを受信するための前記手段は、前記別の装置の前記利用可能な帯域幅に応じた各々の少なくとも一部の前記チャネル上で送信許可（ＣＴＳ）フレームを受信するように構成されている、［４６］の装置。
［４９］前記送信するための手段は、米国電気電子学会（ＩＥＥＥ）８０２．１１規格に対するＩＥＥＥ８０２．１１ａ補正に応じたレガシーＲＴＳフレームを、前記別の装置に対して送信するようにさらに構成され、前記レガシーＲＴＳフレームは各々の前記少なくとも前記一部の前記チャネル上で複製され、前記受信するための手段はＩＥＥＥ８０２．１１ａ補正に応じたレガシーＣＴＳフレームを受信するようにさらに構成され、前記レガシーＣＴＳフレームは各々の前記少なくとも前記一部の前記チャネル上で複製され、前記レガシーＲＴＳおよびレガシーＣＴＳフレームによって設定された第１ネットワーク割り当てベクトル（ＮＡＶ）は前記データの伝送を保護する、［４８］の装置。
［５０］前記ＲＴＳフレームは、前記ＣＴＳフレームの受信、ショート・フレーム間スペース（ＳＩＦＳ）のための時間、および、前記レガシーＲＴＳフレームの伝送をカバーする第２ネットワーク割り当てベクトル（ＮＡＶ）を指示するデュレーション・フィールドを備える、［４９］の装置。
［５１］前記送信するための手段は、各々の第１組のチャネル上で複製されるかあるいは、主要チャネル上で米国電気電子学会（ＩＥＥＥ）８０２．１１規格に対するＩＥＥＥ８０２．１１ａ補正に応じたレガシーＲＴＳフレームを、前記別の装置に対して送信するようにさらに構成され、前記受信するための手段は、少なくとも一部の前記第１組のチャネル上でＩＥＥＥ８０２．１１ａ補正に応じたレガシー送信許可（ＣＴＳ）フレームを受信するようにさらに構成され、前記少なくとも前記一部の前記第１組のチャネルは前記別の装置でアイドル状態であり、前記第１制御フレームを送信するための前記手段は、前記レガシーＣＴＳフレームを受信後に、前記希望の帯域幅に応じた前記別の装置に対して前記データを送信するための各々の第２組のチャネル上で、前記帯域幅情報フィールドと共に、前記ＲＴＳフレームを送信するようにさらに構成され、前記第２制御フレームを受信するための前記手段は、前記別の装置の前記利用可能な帯域幅に応じた各々の少なくとも一部の前記第２組のチャネル上で、ＣＴＳフレームを受信するようにさらに構成される、［４６］の装置。
［５２］無線通信のためのコンピュータプログラム・プロダクトであって、
装置に対して、前記装置に対してデータを送信するための希望の帯域幅を指示する第１制御フレームを送信することと、
前記装置の利用可能な帯域幅を指示する第２制御フレームを受信することと、
前記希望の帯域幅及び前記利用可能な帯域幅のうちより劣った方に基づいて前記データを送信することと、
を実行可能である命令群を備えるコンピュータ可読媒体を備える、コンピュータプログラム・プロダクト。
［５３］  少なくとも１本のアンテナと、
装置に対して前記少なくとも1本のアンテナを介して、前記装置に対してデータを送信するための希望の帯域幅を指示する第１制御フレームを、送信するように構成された送信機と、
前記装置の利用可能な帯域幅を指示する第２制御フレームを受信するように構成された受信機であって、前記送信機は、前記希望の帯域幅および前記利用可能な帯域幅のうちより劣った方に基づいて前記データを送信するようにさらに構成されている、受信機と、
を備えた、アクセス・ポイント。
［５４］無線通信のための方法であって、
装置において、前記装置に対してデータを送信するための希望の帯域幅を指示する第１制御フレームを受信することと、
前記第１制御フレームを受信したことに応じて、前記装置の利用可能な帯域幅を指示する第２制御フレームを送信することと、
前記希望の帯域幅および前記利用可能な帯域幅のうちより劣った方を使用して送信された前記データを受信することと、
を備えた、方法。
［５５］前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、［５４］の方法。
［５６］前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、［５４］の方法。
［５７］前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、［５６］の方法。
［５８］前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、［５４］の方法。
［５９］前記デュレーション・フィールドの少なくとも１個の最上位ビット（ＭＳＢ）は、前記ＣＴＳフレームが前記利用可能な帯域幅を指示する、［５８］の方法。
［６０］前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、［５４］の方法。
［６１］前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、［５４］の方法。
［６２］前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、［６１］の方法。
［６３］前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、［５４］の方法。
［６４］前記第２制御フレームは送信許可（ＣＴＳ）フレームを備え、前記ＣＴＳフレームは前記利用可能な帯域幅を指示する帯域幅情報フィールドと共にフレーム・フォーマットを備える、［５４］の方法。
［６５］前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、［６４］の方法。
［６６］前記第１制御フレームを受信することは、前記希望の帯域幅に応じた前記装置に対して前記データを送信するために各々の１つまたは複数のチャネル上で送信要求（ＲＴＳ）フレームを受信することを備え、前記第２制御フレームを送信することは、前記装置の前記利用可能な帯域幅に応じた各々の少なくとも一部の前記チャネル上で、前記帯域幅情報フィールドと共に、前記ＣＴＳフレームを送信することを備える、［６４］の方法。
［６７］前記装置において、米国電気電子学会（ＩＥＥＥ）８０２．１１規格に対するＩＥＥＥ８０２．１１ａ補正に応じたレガシーＲＴＳフレームを受信することであって、前記レガシーＲＴＳフレームは各々の前記少なくとも一部の前記チャネル上で複製されている、受信することと、
ＩＥＥＥ８０２．１１ａ補正に応じたレガシーＣＴＳフレームを送信することであって、前記レガシーＣＴＳフレームは各々の前記少なくとも一部の前記チャネルで複製され、前記レガシーＲＴＳおよびレガシーＣＴＳフレームによって設定されたネットワーク割り当てベクトル（ＮＡＶ）は前記データの受信を保護する、送信することと、
を備える、［６６］の方法。
［６８］前記装置において、米国電気電子学会（ＩＥＥＥ）８０２．１１規格に対するＩＥＥＥ８０２．１１ａ補正に応じたレガシー送信要求（ＲＴＳ）フレームを受信することであって、前記レガシーＲＴＳフレームは主要チャネル上で受信されるか、各々の第１組のチャネル上で複製される、受信することと、
少なくとも一部の前記第１組のチャネル上でＩＥＥＥ８０２．１１ａ補正に応じたレガシーＣＴＳフレームを送信することであって、前記少なくとも一部の前記第１組のチャネルは前記装置においてアイドル状態であり、前記第１制御フレームを受信することは、前記レガシーＣＴＳフレームを送信後に、前記希望の帯域幅に応じた前記装置に対して前記データを送信するために各々の第２組のチャネル上でＲＴＳフレームを受信することを備え、前記第２制御フレームを送信することは前記装置の前記利用可能な帯域幅に応じた各々の少なくとも一部の前記第２組のチャネル上で、前記帯域幅情報フィールドと共に、前記ＣＴＳフレームを送信することを備える、［６４］の方法。
［６９］前記第１制御フレームのアドレスが、前記受信された第一制御フレームからの前記希望の帯域幅を決定するよりも前に、複数チャネル能力のあるエンティティに対応するかどうかを検査することをさらに備え、前記検査することは１組のアドレスに属する前記アドレスに基づいている、［５４］の方法。
［７０］無線通信のための装置であって、
前記装置に対してデータを送信するための希望の帯域幅を指示する第１制御フレームを受信するように構成された受信機と、
前記第１制御フレームを受信したことに応じて、前記装置の利用可能な帯域幅を指示する第２制御フレームを送信するように構成された送信機であって、前記受信機は前記希望の帯域幅および前記利用可能な帯域幅のうちより劣った方を利用して送信された前記データを受信するようにさらに構成された、送信機と、
を備えた装置。
［７１］前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、［７０］の装置。
［７２］前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、［７０］の装置。
［７３］前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、［７２］の装置。
［７４］前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、［７０］の装置。
［７５］前記デュレーション・フィールドの少なくとも１個の最上位ビット（ＭＳＢ）は、前記ＣＴＳフレームが前記利用可能な帯域幅を指示することを指示する、［７４］の装置。
［７６］前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、［７０］の装置。
［７７］前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、［７０］の装置。
［７８］前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、［７７］の装置。
［７９］前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、［７０］の装置。
［８０］前記第２制御フレームは送信許可（ＣＴＳ）フレームを備え、前記ＣＴＳフレームは前記利用可能な帯域幅を指示する帯域幅情報フィールドと共にフレーム・フォーマットを備える、［７０］の装置。
［８１］前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、［８０］の装置。
［８２］前記受信機は、前記希望の帯域幅に応じた前記装置に対して前記データを送信するために各々の１つまたは複数のチャネル上で送信要求（ＲＴＳ）フレームを受信することによって前記第１制御フレームを受信するように構成され、前記送信機は、前記装置の前記利用可能な帯域幅に応じた各々の少なくとも一部の前記チャネル上で、前記帯域幅情報フィールドと共に、前記ＣＴＳフレームを送信することによって前記第２制御フレームを送信するように構成されている、［８０］の装置。
［８３］前記受信機は、米国電気電子学会（ＩＥＥＥ）８０２．１１規格に対するＩＥＥＥ８０２．１１ａ補正に応じたレガシーＲＴＳフレームを受信するようにさらに構成され、前記レガシーＲＴＳフレームは各々の前記少なくとも一部の前記チャネル上で複製されており、前記送信機は、ＩＥＥＥ８０２．１１ａ補正に応じたレガシーＣＴＳフレームを送信するようにさらに構成され、前記レガシーＣＴＳフレームは各々の前記少なくとも前記一部の前記チャネルで複製され、前記レガシーＲＴＳおよびレガシーＣＴＳフレームによって設定されたネットワーク割り当てベクトル（ＮＡＶ）は前記データの受信を保護する、［８２］の装置。
［８４］前記受信機は、米国電気電子学会（ＩＥＥＥ）８０２．１１規格に対するＩＥＥＥ８０２．１１ａ補正に応じたレガシー送信要求（ＲＴＳ）フレームを受信するようにさらに構成され、前記レガシーＲＴＳフレームは主要チャネル上で受信されるか、各々の第１組のチャネル上で複製され、前記送信機は、少なくとも一部の前記第１組のチャネル上でＩＥＥＥ８０２．１１ａ補正に応じたレガシーＣＴＳフレームを送信するようにさらに構成され、前記少なくとも一部の前記第１組のチャネルは前記装置においてアイドル状態であり、前記受信機は、前記レガシーＣＴＳフレームを送信後に、前記希望の帯域幅に応じた前記装置に対して前記データを送信するために各々の第２組のチャネル上でＲＴＳフレームを受信することによって、前記第１制御フレームを受信するようにさらに構成され、前記送信機は、前記装置の前記利用可能な帯域幅に応じた各々の少なくとも一部の前記第２組のチャネル上で、前記帯域幅情報フィールドと共に、前記ＣＴＳフレームを送信することによって、前記第２制御フレームを送信するようにさらに構成されている、［８０］の装置。
［８５］前記第１制御フレームのアドレスが、前記受信された第一制御フレームからの前記希望の帯域幅を決定するよりも前に、複数チャネル能力のあるエンティティに対応するかどうかを検査するように構成された処理システムをさらに備え、前記検査することは１組のアドレスに属する前記アドレスに基づいている、［７０］の装置。
［８６］無線通信のための装置であって、
前記装置に対してデータを送信するための希望の帯域幅を指示する第１制御フレームを受信するための手段と、
前記第１制御フレームを受信したことに応じて、前記装置の利用可能な帯域幅を指示する第２制御フレームを送信するための手段であって、前記受信するための手段は前記希望の帯域幅および前記利用可能な帯域幅のうちより劣った方を利用して送信された前記データを受信するようにさらに構成された、送信するための手段と、
を備えた装置。
［８７］前記第２制御フレームは、送信許可（ＣＴＳ）フレームを備え、前記ＣＴＳフレームは、米国電気電子学会（ＩＥＥＥ）８０２．１１規格に対するＩＥＥＥ８０２．１１ａ補正に応じたレガシー・フレーム・フォーマットを備える、［８６］の装置。
［８８］前記第２制御フレームは送信許可（ＣＴＳ）フレームを備え、前記ＣＴＳフレームは米国電気電子学会（ＩＥＥＥ）８０２．１１規格に対するＩＥＥＥ８０２．１１ａ補正に応じたレガシー・フレーム・フォーマットを備え、少なくとも、
前記ＣＴＳフレームはＩＥＥＥ８０２．１１ａ補正に応じたレガシー・プリアンブルを備え、前記レガシー・プリアンブルはレガシー信号（Ｌ−ＳＩＧ）フィールドを備え、前記Ｌ−ＳＩＧフィールドの１ビットは、前記ＣＴＳフレームが前記利用可能な帯域幅を指示することを指示する、か、
前記ＣＴＳフレームはＩＥＥＥ８０２．１１ａ補正に応じた２個以上の指定されたビットを有するサービス・フィールドを備え、前記サービス・フィールドの前記指定されたビットは、前記利用可能な帯域幅を指示する、か、
前記ＣＴＳフレームはＩＥＥＥ８０２．１１ａ補正に応じたスクランブラ初期化シードを有する前記サービス・フィールドを備え、前記サービス・フィールドの前記スクランブラ初期化シードは、前記利用可能な帯域幅を指示する、か、
のうちの１つである、［８６］の装置。
［８９］前記Ｌ−ＳＩＧフィールドの同位相（Ｉ）成分もしくは直交（Ｑ）成分のうち少なくとも１つは、前記ＣＴＳフレームが前記利用可能な帯域幅を指示することを指示する、［８８］の装置。
［９０］前記第２制御フレームは送信許可（ＣＴＳ）フレームを備え、前記ＣＴＳフレームはデュレーション・フィールドを備え、前記デュレーション・フィールドの２個以上の最下位ビット（ＬＳＢ）は前記利用可能な帯域幅を指示する、［８６］の装置。
［９１］前記デュレーション・フィールドの少なくとも１個の最上位ビット（ＭＳＢ）は、前記ＣＴＳフレームが前記利用可能な帯域幅を指示することを指示する、［９０］の装置。
［９２］前記第２制御フレームは送信許可（ＣＴＳ）フレームを備え、前記ＣＴＳフレームはフレーム制御フィールドを備え、前記フレーム制御フィールドの２個以上のビットは前記利用可能な帯域幅を指示する、［８６］の装置。
［９３］前記第２制御フレームは送信許可（ＣＴＳ）フレームを備え、前記ＣＴＳフレームは、
複製モードが前記ＣＴＳフレームのデータ部分に使用されているかどうかを指示するプリアンブルと、
前記利用可能な帯域幅を指示するチャネル帯域幅ビットと、
を備える、［８６］の装置。
［９４］前記プリアンブルは、指定されたビットを有するベリー・ハイ・スループット信号Ａ（ＶＨＴ−ＳＩＧ−Ａ）フィールドを備え、前記ＶＨＴ−ＳＩＧ−Ａフィールドの１個の前記指定されたビットは、前記複製モードを指示する、［９３］の装置。
［９５］前記第２制御フレームは送信許可（ＣＴＳ）フレームを備え、前記ＣＴＳフレームはハイ・スループット制御（ＨＴＣ）フィールドを備え、前記ＨＴＣフィールドの２個以上のビットは前記利用可能な帯域幅を指示する、［８６］の装置。
［９６］前記第２制御フレームは送信許可（ＣＴＳ）フレームを備え、前記ＣＴＳフレームは前記利用可能な帯域幅を指示する帯域幅情報フィールドと共にフレーム・フォーマットを備える、［８６］の装置。
［９７］前記ＣＴＳフレームは、米国電気電子学会（ＩＥＥＥ）８０２．１１規格に対するＩＥＥＥ８０２．１１ａ補正に応じたレガシー・プリアンブル、あるいは、複製モードが前記ＣＴＳフレームのデータ部分のために使用されているかどうかを指示するプリアンブル、を備える、［９６］の装置。
［９８］前記第１制御フレームを前記受信するための手段は、前記希望の帯域幅に応じた前記装置に対して前記データを送信するために各々の１つまたは複数のチャネル上で送信要求（ＲＴＳ）フレームを受信するように構成され、前記第２制御フレームを前記送信するための手段は、前記装置の前記利用可能な帯域幅に応じた各々の少なくとも一部の前記チャネル上で、前記帯域幅情報フィールドと共に、前記ＣＴＳフレームを送信するように構成されている、［９６］の装置。
［９９］前記受信するための手段は、米国電気電子学会（ＩＥＥＥ）８０２．１１規格に対するＩＥＥＥ８０２．１１ａ補正に応じたレガシーＲＴＳフレームを受信するようにさらに構成され、前記レガシーＲＴＳフレームは各々の前記少なくとも前記一部の前記チャネル上で複製されており、前記送信するための手段は、ＩＥＥＥ８０２．１１ａ補正に応じたレガシーＣＴＳフレームを送信するようにさらに構成され、前記レガシーＣＴＳフレームは各々の前記少なくとも前記一部の前記チャネルで複製され、前記レガシーＲＴＳフレームおよび前記レガシーＣＴＳフレームによって設定されたネットワーク割り当てベクトル（ＮＡＶ）は前記データの受信を保護する、［９８］の装置。
［１００］前記受信するための手段は、米国電気電子学会（ＩＥＥＥ）８０２．１１規格に対するＩＥＥＥ８０２．１１ａ補正に応じたレガシー送信要求（ＲＴＳ）フレームを受信するようにさらに構成され、前記レガシーＲＴＳフレームは主要チャネル上で受信されるか、各々の第１組のチャネル上で複製され、前記送信するための手段は、少なくとも一部の前記第１組のチャネル上でＩＥＥＥ８０２．１１ａ補正に応じたレガシーＣＴＳフレームを送信するようにさらに構成され、前記少なくとも一部の前記第１組のチャネルは前記装置においてアイドル状態であり、前記第１制御フレームを前記受信するための手段は、前記レガシーＣＴＳフレームを送信後に、前記希望の帯域幅に応じた前記装置に対して前記データを送信するために各々の第２組のチャネル上でＲＴＳフレームを受信するようにさらに構成され、前記第２制御フレームを前記送信するための手段は、前記装置の前記利用可能な帯域幅に応じた各々の少なくとも一部の前記第２組のチャネル上で、前記帯域幅情報フィールドと共に、前記ＣＴＳフレームを送信するようにさらに構成されている、［９６］の装置。
［１０１］前記第１制御フレームのアドレスが、前記受信された第一制御フレームからの前記希望の帯域幅を決定するよりも前に、複数チャネル能力のあるエンティティに対応するかどうかを検査するための手段をさらに備え、前記検査することは１組のアドレスに属する前記アドレスに基づいている、［８６］の装置。
［１０２］無線通信のためのコンピュータプログラム・プロダクトであって、
装置において、前記装置に対してデータを送信するための希望の帯域幅を指示する第１制御フレームを受信することと、
前記第１制御フレームを受信したことに応答して、前記装置の利用可能な帯域幅を指示する第２制御フレームを送信することと、
前記希望の帯域幅及び前記利用可能な帯域幅のうちより劣った方を用いて送信された前記データを受信することと、
を実行可能である命令群を備えるコンピュータ可読媒体を備える、コンピュータプログラム・プロダクト。
［１０３］無線ノードであって、
少なくとも１本のアンテナと、
前記少なくとも1本のアンテナを介して、前記無線ノードに対してデータを送信するための希望の帯域幅を指示する第１制御フレームを受信するように構成された受信機と、
前記第１制御フレームを受信したことに応答して、前記無線ノードの利用可能な帯域幅を指示する第２制御フレームを受信するように構成された送信機であって、前記受信機は、前記希望の帯域幅および前記利用可能な帯域幅のうちより劣った方を使用して送信された前記データを受信するようにさらに構成されている、送信機と、
を備えた、無線ノード。
【国際調査報告】
2013541293.tif 000026
2013541293.tif 000027
2013541293.tif 000028